(57)【要約】  モバイル中心およびネットワーク中心測位技法を使用した、ベニューまたは他のローカルエリア内のロケーションベースサービスの適用例のためのシステム、方法およびデバイスが開示される。特に、ベニューは、ロケーションサービスおよび場合によってはローカルモバイルデバイスに対する通信サービスを提供するために、フェムトセルトランシーバおよび随意にＷｉＦｉ（登録商標）アクセスポイントを備えるロケーションサーバ、ロケーションベースサービスアプリケーションサーバ、およびアクセス／ロケーションネットワークを備えるアーキテクチャを配備し得る。モバイルデバイスは、グローバルプロバイダ識別子を使用してフェムトセルトランシーバに対して識別され得、フェムトセルトランシーバは、測位演算アプリケーションパート（ＰＣＡＰ）プロトコルまたはＬＴＥ測位プロトコルＡ（ＬＰＰａ）を使用して測位動作のサポートにおいてロケーションサーバと通信することができる。
2017503430.tif 000002
【特許請求の範囲】
【請求項１】
モバイルデバイスにおける方法であって、
ベニュー内でフェムトセルトランシーバによって認識可能であり、任意の公衆事業者定義のグローバルに一意の識別子とは無関係に決定された、前記モバイルデバイスのためのグローバルな一意の識別子を決定することと、
前記グローバルな一意の識別子を備える少なくとも１つのメッセージをロケーションサーバに送信することと、
前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信することとを備える、方法。
【請求項２】
前記１つまたは複数のワイヤレス信号が、前記フェムトセルトランシーバのうちの前記少なくとも１つからの要求に応答することなく送信される、請求項１に記載の方法。
【請求項３】
前記測位動作が、ネットワーク中心測位動作を備える、請求項１に記載の方法。
【請求項４】
前記グローバルな一意の識別子が、前記モバイルデバイスのプロバイダに割り当てられた一意のＩＤと、前記モバイルデバイスの前記プロバイダによって割り当てられたローカル識別子との連結を備える、請求項１に記載の方法。
【請求項５】
前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、請求項４に記載の方法。
【請求項６】
前記測位エンジンが、測位動作を実行するように構成されたハードコードされたデバイスを備える、請求項５に記載の方法。
【請求項７】
前記測位エンジンが、測位動作を実行することをプロセッサによって実行できる機械可読命令を備える、請求項５に記載の方法。
【請求項８】
前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記ロケーションサーバに前記少なくとも１つのメッセージを送信することが、フェムトセルトランシーバおよび前記フェムトセルトランシーバに接続されたローカルルーティングデバイスを介して前記少なくとも１つのメッセージを送信することを備える、請求項１に記載の方法。
【請求項９】
前記フェムトセルトランシーバが、ロングタームエボリューション（ＬＴＥ）に従って構成されたホーム展開型ｅＮｏｄｅＢ（ＨｅＮＢ）を備え、前記ロケーションサーバとの通信が、ＬＴＥ測位プロトコルＡ（ＬＰＰａ）メッセージを送信することおよび受信することを備える、請求項８に記載の方法。
【請求項１０】
前記フェムトセルトランシーバが、ＵＭＴＳに従って構成されたホームＮｏｄｅＢ（ＨＮＢ）を備え、前記ロケーションサーバとの通信が、測位演算アプリケーションパート（ＰＣＡＰ）メッセージを送信することおよび受信することを備える、請求項８に記載の方法。
【請求項１１】
ロケーションベースサービスアプリケーションサーバ（ＬＢＳ  ＡＳ）から前記モバイルデバイス上のアプリケーションによってロケーションサービスを取得することをさらに備え、前記ＬＢＳ  ＡＳが前記ロケーションサーバに対する前記モバイルデバイスを識別することを可能にするために、前記アプリケーションが前記ＬＢＳ  ＡＳに前記グローバルな一意の識別子を与える、請求項１に記載の方法。
【請求項１２】
ワイヤレス通信ネットワークにメッセージを送信し、ワイヤレス通信ネットワークからメッセージを受信するためのトランシーバと、
ベニュー内でフェムトセルトランシーバによって認識可能であり、任意の公衆事業者定義のグローバルに一意の識別子とは無関係に決定された、モバイルデバイスのためのグローバルな一意の識別子を決定すること、
前記グローバルな一意の識別子を備える少なくとも１つのメッセージを前記トランシーバを介してロケーションサーバに送信することを開始すること、および
前記ロケーションサーバと通信中の前記フェムトセルトランシーバのうちの少なくとも１つによる測位動作をサポートするために、前記グローバルな一意の識別子を備える１つまたは複数のワイヤレス信号を、前記トランシーバを介して前記フェムトセルトランシーバのうちの前記少なくとも１つに送信することを開始すること、を行うための１つまたは複数のプロセッサとを備える、モバイルデバイス。
【請求項１３】
前記ロケーションサーバが、ローカルＳＵＰＬ  ロケーションプラットフォーム（ＳＬＰ）を備え、前記少なくとも１つのメッセージが、フェムトセルトランシーバおよび前記ロケーションサーバに接続されたローカルルーティングデバイスを介して前記ロケーションサーバに送信される、請求項１２に記載のモバイルデバイス。
【請求項１４】
前記１つまたは複数のワイヤレス信号が、前記フェムトセルトランシーバのうちの前記少なくとも１つからの要求に応答することなく送信される、請求項１２に記載のモバイルデバイス。
【請求項１５】
前記グローバルな一意の識別子が、前記モバイルデバイスのプロバイダに割り当てられた一意のＩＤと、前記モバイルデバイスの前記プロバイダによって割り当てられたローカル識別子との連結を備える、請求項１２に記載のモバイルデバイス。
【請求項１６】
前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、請求項１５に記載のモバイルデバイス。
【請求項１７】
前記測位エンジンが、測位動作をするように構成されたハードコードされたデバイスを備える、請求項１６に記載のモバイルデバイス。
【請求項１８】
前記測位エンジンが、測位動作を実行することをプロセッサによって実行できる機械可読命令を備える、請求項１６に記載のモバイルデバイス。
【請求項１９】
記憶された機械可読命令を備える非一時的記憶媒体であって、前記機械可読命令が、モバイルデバイスの専用計算装置によって、
ベニュー内でフェムトセルトランシーバによって認識可能であり、任意の公衆事業者定義のグローバルに一意の識別子とは無関係に決定された、前記モバイルデバイスのためのグローバルな一意の識別子を決定することと、
前記グローバルな一意の識別子を備える少なくとも１つのメッセージをロケーションサーバに送信することを開始することと、
前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信することを開始することとを行うことを実行できる、非一時的記憶媒体。
【請求項２０】
モバイルデバイスにおける装置であって、
ベニュー内でフェムトセルトランシーバによって認識可能であり、任意の公衆事業者定義のグローバルに一意の識別子とは無関係に決定された、前記モバイルデバイスのためのグローバルな一意の識別子を決定するための手段と、
前記グローバルな一意の識別子を備える少なくとも１つのメッセージをロケーションサーバに送信するための手段と、
前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信するための手段とを備える、装置。
【請求項２１】
フェムトセルトランシーバにおいて、
任意の事業者定義のグローバルに一意の識別子とは無関係にモバイルデバイスにおいて決定されたグローバルな一意の識別子を取得するため、および１つまたは複数のワイヤレス信号の１つまたは複数の特性の１つまたは複数の測定値を取得するために、前記モバイルデバイスから送信された前記１つまたは複数のワイヤレス信号を収集することと、
前記１つまたは複数の測定値および前記グローバルな一意の識別子を備える１つまたは複数のメッセージを測位動作における使用のためにロケーションサーバに送信することとを備える、方法。
【請求項２２】
前記１つまたは複数のワイヤレス信号が、前記フェムトセルトランシーバからの要求に応答することなく送信される、請求項２１に記載の方法。
【請求項２３】
前記測位動作が、ネットワーク中心測位動作を備える、請求項２１に記載の方法。
【請求項２４】
前記グローバルな一意の識別子が、前記モバイルデバイスのプロバイダに割り当てられた一意のＩＤと、前記モバイルデバイスの前記プロバイダによって割り当てられたローカル識別子との連結を備える、請求項２１に記載の方法。
【請求項２５】
前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、請求項２４に記載の方法。
【請求項２６】
前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記ロケーションサーバに前記１つまたは複数のメッセージを送信することが、前記フェムトセルトランシーバに接続されたローカルルーティングデバイスを介して前記１つまたは複数のメッセージを送信することを備える、請求項２１に記載の方法。
【請求項２７】
前記フェムトセルトランシーバが、ロングタームエボリューション（ＬＴＥ）に従って構成されたホーム展開型ｅＮｏｄｅＢ（ＨｅＮＢ）を備え、前記ロケーションサーバに１つまたは複数のメッセージを送信することが、ＬＴＥ測位プロトコルＡ（ＬＰＰａ）メッセージを送信することを備える、請求項２６に記載の方法。
【請求項２８】
前記フェムトセルトランシーバが、ＵＭＴＳに従って構成されたホームＮｏｄｅＢ（ＨＮＢ）を備え、前記ロケーションサーバに１つまたは複数のメッセージを送信することが、測位演算アプリケーションパート（ＰＣＡＰ）メッセージを送信することを備える、請求項２６に記載の方法。
【請求項２９】
前記１つまたは複数の測定値が、少なくとも１つの受信信号強度インジケーション（ＲＳＳＩ）測定値を備える、請求項２６に記載の方法。
【請求項３０】
前記１つまたは複数の測定値が、少なくとも１つの往復信号伝播時間（ＲＴＴ）測定値を備える、請求項２６に記載の方法。
【請求項３１】
前記１つまたは複数の測定値が、少なくとも１つの信号到来角（ＡＯＡ）測定値を備える、請求項２６に記載の方法。
【請求項３２】
ワイヤレス受信機と、
送信機と、
任意の事業者定義のグローバルに一意の識別子とは無関係にモバイルデバイスにおいて決定されたグローバルな一意の識別子を、前記モバイルデバイスによって送信され、前記ワイヤレス受信機において収集された１つまたは複数のワイヤレス信号から取得すること、
前記収集された１つまたは複数のワイヤレス信号の１つまたは複数の特性の１つまたは複数の測定値を取得すること、および
前記１つまたは複数の測定値および前記グローバルな一意の識別子を備える１つまたは複数のメッセージを、前記送信機を介して測位動作における使用のためにロケーションサーバに送信することを開始すること、を行うための１つまたは複数のプロセッサとを備える、フェムトセルトランシーバ。
【請求項３３】
前記１つまたは複数のワイヤレス信号が、前記フェムトセルトランシーバからの要求に応答することなく送信される、請求項３２に記載のフェムトセルトランシーバ。
【請求項３４】
前記測位動作が、ネットワーク中心測位動作を備える、請求項３２に記載のフェムトセルトランシーバ。
【請求項３５】
前記グローバルな一意の識別子が、前記モバイルデバイスの測位エンジンのプロバイダに割り当てられた一意のＩＤと、前記モバイルデバイスの前記プロバイダによって割り当てられたローカル識別子との連結を備える、請求項３２に記載のフェムトセルトランシーバ。
【請求項３６】
前記ロケーションサーバが、ローカルＳＵＰＬロケーションプラットフォーム（ＳＬＰ）を備え、前記ロケーションサーバに前記１つまたは複数のメッセージを送信することが、前記ロケーションサーバに接続されたローカルルーティングデバイスを介して前記１つまたは複数のメッセージを送信することを備える、請求項３２に記載のフェムトセルトランシーバ。
【請求項３７】
前記フェムトセルトランシーバが、ＬＴＥに従って構成され、１つまたは複数のメッセージが、ＬＰＰａメッセージとしてローカルＳＬＰに送信される、請求項３６に記載のフェムトセルトランシーバ。
【請求項３８】
前記フェムトセルトランシーバが、ＵＭＴＳに従って構成され、１つまたは複数のメッセージが、ＰＣＡＰメッセージとして前記ローカルＳＬＰに送信される、請求項３７に記載のフェムトセルトランシーバ。
【請求項３９】
前記１つまたは複数の測定値が、少なくとも１つのＲＳＳＩ測定値を備える、請求項３２に記載のフェムトセルトランシーバ。
【請求項４０】
前記１つまたは複数の測定値が、少なくとも１つのＲＴＴ測定値を備える、請求項３２に記載のフェムトセルトランシーバ。
【請求項４１】
前記１つまたは複数の測定値が、少なくとも１つのＡＯＡ測定値を備える、請求項３２に記載のフェムトセルトランシーバ。
【請求項４２】
記憶された機械可読命令を備える非一時的記憶媒体であって、前記機械可読命令が、フェムトセルトランシーバの専用計算装置によって、
任意の事業者定義のグローバルに一意の識別子とは無関係にモバイルデバイスにおいて決定されたグローバルな一意の識別子を、前記モバイルデバイスによって送信され、前記フェムトセルトランシーバにおいて収集された１つまたは複数のワイヤレス信号から取得することと、
前記収集された１つまたは複数のワイヤレス信号の１つまたは複数の特性の１つまたは複数の測定値を取得することと、
前記１つまたは複数の測定値および前記グローバルな一意の識別子を備える１つまたは複数のメッセージを測位動作における使用のためにロケーションサーバに送信することを開始することとを行うことを実行できる、非一時的記憶媒体。
【請求項４３】
フェムトセルトランシーバにおける装置であって、
任意の事業者定義のグローバルに一意の識別子とは無関係にモバイルデバイスにおいて決定されたグローバルな一意の識別子を取得するため、および前記１つまたは複数のワイヤレス信号の１つまたは複数の特性の測定値を取得するために、前記モバイルデバイスから送信された１つまたは複数のワイヤレス信号を収集するための手段と、
前記１つまたは複数の測定値および前記グローバルな一意の識別子を備えることに対する１またはメッセージを測位動作における使用のためにロケーションサーバに送信するための手段とを備える、装置。
【請求項４４】
ロケーションサーバにおいて、
ベニュー内のフェムトセルトランシーバによって認識可能であり、任意の公衆事業者定義のグローバルに一意の識別子とは無関係に決定された、モバイルデバイスのためのグローバルな一意の識別子を備える第１のメッセージを、前記モバイルデバイスから受信することと、
前記グローバルな一意の識別子およびフェムトセルトランシーバによって取得された１つまたは複数の測定値を備える第２のメッセージを、前記フェムトセルトランシーバから受信することと、ここにおいて、前記１または測定値が、前記モバイルデバイスによって送信され、前記グローバルな一意の識別子を備えるかまたはそれと関連付けられた１つまたは複数のワイヤレス信号の１つまたは複数の特性に関するものである、
前記１つまたは複数の測定値に少なくとも部分的に基づいて前記モバイルデバイスに対する１つまたは複数の測位動作を実行することとを備える、方法。
【請求項４５】
前記１つまたは複数のワイヤレス信号が、前記フェムトセルトランシーバからの要求に応答することなく送信される、請求項４４に記載の方法。
【請求項４６】
前記測位動作が、ネットワーク中心測位動作を備える、請求項４４に記載の方法。
【請求項４７】
前記グローバルな一意の識別子が、前記モバイルデバイスのプロバイダに割り当てられた一意のＩＤと、前記モバイルデバイスの前記プロバイダによって割り当てられたローカル識別子との連結を備える、請求項４４に記載の方法。
【請求項４８】
前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、請求項４７に記載の方法。
【請求項４９】
前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記第２のメッセージを受信することが、前記フェムトセルトランシーバに接続されたローカルルーティングデバイスを介して前記第２のメッセージを受信することを備える、請求項４４に記載の方法。
【請求項５０】
前記フェムトセルトランシーバが、ロングタームエボリューション（ＬＴＥ）に従って構成されたホーム展開型ｅＮｏｄｅＢ（ＨｅＮＢ）を備え、前記ロケーションサーバに１つまたは複数のメッセージを送信することが、ＬＴＥ測位プロトコルＡ（ＬＰＰａ）メッセージを送信することを備える、請求項４９に記載の方法。
【請求項５１】
前記モバイルデバイスによって送信され、前記グローバルな一意の識別子を搬送するかまたはそれと関連付けられた信号をモニタするように、前記フェムトセルトランシーバを構成することをさらに備える、請求項４４に記載の方法。
【請求項５２】
通信インターフェースと、
モバイルデバイスから前記通信インターフェースにおいて受信された、前記モバイルデバイスのためのグローバルな一意の識別子を備える、第１のメッセージを取得すること、ここにおいて、前記グローバルな一意の識別子が、ベニュー内のフェムトセルトランシーバによって認識可能であり、任意の公衆事業者定義のグローバルに一意の識別子とは無関係に決定される、
フェムトセルトランシーバから前記通信インターフェースにおいて受信された、前記グローバルな一意の識別子および前記フェムトセルトランシーバによって取得された１つまたは複数の測定値を備える、第２のメッセージを取得すること、ここにおいて、前記１または測定値が、前記モバイルデバイスによって送信され、前記グローバルな一意の識別子を備えるかまたはそれと関連付けられた１つまたは複数のワイヤレス信号の１つまたは複数の特性に関するものである、および
前記１つまたは複数の測定値に少なくとも部分的に基づいて前記モバイルデバイスに対する１つまたは複数の測位動作を実行すること、を行うための１つまたは複数のプロセッサとを備える、ロケーションサーバ。
【請求項５３】
ロケーションサーバにおける装置であって、
ベニュー内のフェムトセルトランシーバによって認識可能であり、任意の公衆事業者定義のグローバルに一意の識別子とは無関係に決定された、モバイルデバイスのためのグローバルな一意の識別子を備える第１のメッセージを、前記モバイルデバイスから受信するための手段と、
前記グローバルな一意の識別子およびフェムトセルトランシーバによって取得された１つまたは複数の測定値を備える第２のメッセージを、前記フェムトセルトランシーバから受信するための手段と、ここにおいて、前記１または測定値が、前記モバイルデバイスによって送信され、前記グローバルな一意の識別子を備えるかまたはそれと関連付けられた１つまたは複数のワイヤレス信号の１つまたは複数の特性に関するものである、
前記１つまたは複数の測定値に少なくとも部分的に基づいて前記モバイルデバイスに対する１つまたは複数の測位動作を実行するための手段とを備える、装置。
【請求項５４】
記憶された機械可読命令を備える非一時的記憶媒体であって、前記機械可読命令が、ロケーションサーバの専用計算装置によって、
モバイルデバイスから受信された、前記モバイルデバイスのためのグローバルな一意の識別子を備える、第１のメッセージを取得することと、ここにおいて、前記グローバルな一意の識別子が、ベニュー内のフェムトセルトランシーバによって認識可能であり、任意の公衆事業者定義のグローバルに一意の識別子とは無関係に決定される、
フェムトセルトランシーバから受信された、前記グローバルな一意の識別子および前記フェムトセルトランシーバによって取得された１つまたは複数の測定値を備える、第２のメッセージを取得することと、ここにおいて、前記１つまたは複数の測定値が、前記モバイルデバイスによって送信され、前記グローバルな一意の識別子を備えるかまたはそれと関連付けられた１つまたは複数のワイヤレス信号の１つまたは複数の特性に関するものである、
前記１つまたは複数の測定値に少なくとも部分的に基づいて前記モバイルデバイスに対する１つまたは複数の測位動作を実行することとを行うことを実行できる、非一時的記憶媒体。
【発明の詳細な説明】
【技術分野】
【０００１】
関連出願
本出願は、参照によりその全体が本明細書に組み込まれる、２０１４年１月１５日に出願された米国仮特許出願第６１／９２７，８７５号および２０１５年１月１４日に出願された米国非仮特許出願第１４／５９７，０５６号の優先権を主張するＰＣＴ出願である。
【０００２】
[0001]本明細書で説明する実施形態は、ベニューまたは他の局地的エリアでロケーションベースサービスを提供すためのデバイス間での効率的なネットワークアーキテクチャおよびメッセージフローの適用例を対象とする。
【背景技術】
【０００３】
情報：
[0002]全地球測位システム（ＧＰＳ：global positioning system）および他の同様の衛星および地上波測位システムは、屋外環境におけるモバイルハンドセットのためのロケーション（たとえば、ナビゲーション）サービスを可能にした。同様に、屋内環境においてモバイルデバイスの位置の推定値を取得するための特定の技法は、宅内ベニュー、政府ベニューまたは商業ベニューなど、特定の屋内ベニューにおける拡張ロケーションベースサービス（ＬＢＳ）を可能にし得る。
【発明の概要】
【０００４】
[0003]以下の図を参照しながら非限定的で非網羅的な態様について説明し、別段に定義されていない限り、様々な図の全体を通して、同様の参照番号は同様の部分を指す。
【図面の簡単な説明】
【０００５】
【図１】[0004]例示的な一実装形態による、モバイルデバイスを含むシステムのいくつかの特徴を示すシステム図。
【図２】[0005]例示的な一実施形態による、ベニューでロケーションベースサービスを提供するためのアーキテクチャのいくつかの特徴を示すシステム図。
【図３】[0006]例示的な一実施形態による、一意の識別子を分配するためのシステムを示す概略図。
【図４Ａ】[0007]例示的な一実施形態による、一意の識別子を分配するためのプロセスの流れ図。
【図４Ｂ】[0008]例示的な一実施形態による、フェムトセルから取得された測定値に基づいて測位動作を実行するためのプロセスの流れ図。
【図４Ｃ】[0009]例示的な一実施形態による、フェムトセルトランシーバにおいて収集された信号からの一意の識別子を手渡すためのプロセスの流れ図。
【図５】[00010]例示的な一実施形態による、ローカルネットワーク環境におけるロケーションサーバを有するフェムトセルの統合の概略図。
【図６】[00011]例示的な一実施形態による、ローカルネットワーク環境におけるロケーションサーバを有するフェムトセルの統合の概略図。
【図７】[00012]例示的な一実装形態による、例示的なデバイスを示す概略ブロック図。
【図８】[00013]例示的な一実装形態による、例示的なコンピューティングプラットフォームの概略ブロック図。
【発明を実施するための形態】
【０００６】
[00014]簡潔に言えば、特定の実装形態は、ベニュー内でフェムトセルトランシーバによって認識可能であり、任意の公衆事業者定義のグローバルに一意の識別子とは無関係に決定された、モバイルデバイスのためのグローバルな一意の識別子を決定することと；グローバルな一意の識別子を備える少なくとも１つのメッセージをロケーションサーバに送信することと；ロケーションサーバと通信中のフェムトセルトランシーバのうちの少なくとも１つによって測位動作をサポートするためにフェムトセルトランシーバのうちの少なくとも１つによって収集可能な１つまたは複数のワイヤレス信号を送信することとを備えるモバイルデバイスにおける方法を対象とする。
【０００７】
[00015]別の特定の実装形態は、ワイヤレス通信ネットワークにメッセージを送信し、ワイヤレス通信ネットワークからメッセージを受信するためのトランシーバと；ベニュー内でフェムトセルトランシーバによって認識可能であり、任意の公衆事業者定義のグローバルに一意の識別子とは無関係に決定された、モバイルデバイスのためのグローバルな一意の識別子を決定すること；グローバルな一意の識別子を備える少なくとも１つのメッセージをトランシーバを介してロケーションサーバに送信することを開始すること；およびロケーションサーバと通信中のフェムトセルトランシーバのうちの少なくとも１つによって測位動作をサポートするためのグローバルな一意の識別子を取得するためにフェムトセルトランシーバのうちの少なくとも１つによって収集可能な１つまたは複数のワイヤレス信号をトランシーバを介して送信することを開始すること、を行うための１つまたは複数のプロセッサとを備えるモバイルデバイスを対象とする。
【０００８】
[00016]別の特定の実装形態は、記憶された機械可読命令を備える非一時的記憶媒体を備える物品を対象とし、機械可読命令は、モバイルデバイスの専用計算装置によって、ベニュー内でフェムトセルトランシーバによって認識可能であり、任意の公衆事業者定義のグローバルに一意の識別子とは無関係に決定された、モバイルデバイスのためのグローバルな一意の識別子を決定することと；グローバルな一意の識別子を備える少なくとも１つのメッセージをロケーションサーバに送信することを開始することと；ロケーションサーバと通信中のフェムトセルトランシーバのうちの少なくとも１つによって測位動作をサポートするためにフェムトセルトランシーバのうちの少なくとも１つによって収集可能な１つまたは複数のワイヤレス信号を送信することを開始することとを行うことを実行できる。
【０００９】
[00017]別の特定の実装形態は、ベニュー内でフェムトセルトランシーバによって認識可能であり、任意の公衆事業者定義のグローバルに一意の識別子とは無関係に決定された、モバイルデバイスのためのグローバルな一意の識別子を決定するための手段と；グローバルな一意の識別子を備える少なくとも１つのメッセージをロケーションサーバに送信するための手段と；ロケーションサーバと通信中のフェムトセルトランシーバのうちの少なくとも１つによって測位動作をサポートするためのグローバルな一意の識別子を取得するためにフェムトセルトランシーバのうちの少なくとも１つによって収集可能な１つまたは複数のワイヤレス信号を送信するための手段とを備える、モバイルデバイスにおける装置を対象とする。
【００１０】
[00018]別の特定の実装形態は、フェムトセルトランシーバにおいて、任意の事業者定義のグローバルに一意の識別子とは無関係にモバイルデバイスにおいて決定されたグローバルな一意の識別子を取得するため、および１つまたは複数のワイヤレス信号の１つまたは複数の特性の測定値を取得するために、モバイルデバイスから送信された１つまたは複数のワイヤレス信号を収集することと；１つまたは複数の測定値およびグローバルな一意の識別子を備える１またはメッセージを測位動作における使用のためにロケーションサーバに送信することとを備える方法を対象とする。
【００１１】
[00019]別の特定の実装形態は、ワイヤレス受信機と；送信機と；任意の事業者定義のグローバルに一意の識別子とは無関係にモバイルデバイスにおいて決定されたグローバルな一意の識別子を、モバイルデバイスによって送信され、ワイヤレス受信機において収集された１つまたは複数のワイヤレス信号から取得すること；収集された１つまたは複数のワイヤレス信号の１つまたは複数の特性の測定値を取得すること；および１つまたは複数の測定値およびグローバルな一意の識別子を備える１つまたは複数のメッセージを送信機を介して測位動作における使用のためにロケーションサーバに送信することを開始すること、を行うための１つまたは複数のプロセッサとを備えるフェムトセルトランシーバを対象とする。
【００１２】
[00020]別の特定の実装形態は、記憶された機械可読命令を備える非一時的記憶媒体を備える物品を対象とし、機械可読命令は、フェムトセルトランシーバの専用計算装置によって、任意の事業者定義のグローバルに一意の識別子とは無関係にモバイルデバイスにおいて決定されたグローバルな一意の識別子を、モバイルデバイスによって送信され、フェムトセルトランシーバにおいて収集された１つまたは複数のワイヤレス信号から取得することと；収集された１つまたは複数のワイヤレス信号の１つまたは複数の特性の測定値を取得することと；１つまたは複数の測定値およびグローバルな一意の識別子を備える１つまたは複数のメッセージを測位動作における使用のためにロケーションサーバに送信することを開始することとを行うことを実行できる。
【００１３】
[00021]別の特定の実装形態は、任意の事業者定義のグローバルに一意の識別子とは無関係にモバイルデバイスにおいて決定されたグローバルな一意の識別子を取得するため、および１つまたは複数のワイヤレス信号の１つまたは複数の特性の測定値を取得するために、モバイルデバイスから送信された１つまたは複数のワイヤレス信号を収集するための手段と；１つまたは複数の測定値およびグローバルな一意の識別子を備える１またはメッセージを測位動作における使用のためにロケーションサーバに送信するための手段とを備える、フェムトセルトランシーバにおける装置を対象とする。
【００１４】
[00022]別の特定の実装形態は、ベニュー内でフェムトセルトランシーバによって認識可能であり、任意の公衆事業者定義のグローバルに一意の識別子とは無関係に決定された、モバイルデバイスのためのグローバルな一意の識別子を備える第１のメッセージをモバイルデバイスから受信することと；グローバルな一意の識別子およびフェムトセルトランシーバによって取得された１つまたは複数の測定値を備える第２のメッセージをフェムトセルトランシーバから受信することと、ここにおいて、１または測定値は、モバイルデバイスによって送信され、グローバルな一意の識別子を備えるかまたはそれと関連付けられた１つまたは複数のワイヤレス信号の１つまたは複数の特性に関するものである；１つまたは複数の測定値に少なくとも部分的に基づいてモバイルデバイスに対する１つまたは複数の測位動作を実行することとを備える、ロケーションサーバにおける方法を対象とする。
【００１５】
[00023]別の特定の実装形態は、通信インターフェースと；モバイルデバイスから通信インターフェースにおいて受信された、モバイルデバイスのためのグローバルな一意の識別子を備える、第１のメッセージを取得すること、ここにおいて、グローバルな一意の識別子が、ベニュー内でフェムトセルトランシーバによって認識可能であり、任意の公衆事業者定義のグローバルに一意の識別子とは無関係に決定される；フェムトセルトランシーバから通信インターフェースにおいて受信された、グローバルな一意の識別子およびフェムトセルトランシーバによって取得された１つまたは複数の測定値を備える、第２のメッセージを取得すること、ここにおいて、１または測定値が、モバイルデバイスによって送信され、グローバルな一意の識別子を備えるかまたはそれと関連付けられた１つまたは複数のワイヤレス信号の１つまたは複数の特性に関するものである；および１つまたは複数の測定値に少なくとも部分的に基づいてモバイルデバイスに対する１つまたは複数の測位動作を実行すること、を行うための１つまたは複数のプロセッサとを備えるロケーションサーバを対象とする。
【００１６】
[00024]別の特定の実装形態は、ベニュー内でフェムトセルトランシーバによって認識可能であり、任意の公衆事業者定義のグローバルに一意の識別子とは無関係に決定された、モバイルデバイスのためのグローバルな一意の識別子を備える第１のメッセージをモバイルデバイスから受信するための手段と；グローバルな一意の識別子およびフェムトセルトランシーバによって取得された１つまたは複数の測定値を備える第２のメッセージをフェムトセルトランシーバから受信するための手段と、ここにおいて、１または測定値は、モバイルデバイスによって送信され、グローバルな一意の識別子を備えるかまたはそれと関連付けられた１つまたは複数のワイヤレス信号の１つまたは複数の特性に関するものである；１つまたは複数の測定値に少なくとも部分的に基づいてモバイルデバイスに対する１つまたは複数の測位動作を実行するための手段とを備える、ロケーションサーバにおける装置を対象とする。
【００１７】
[00025]別の特定の実装形態は、記憶された機械可読命令を備える非一時的記憶媒体を対象とし、機械可読命令は、ロケーションサーバの専用計算装置によって、モバイルデバイスから受信された、モバイルデバイスのためのグローバルな一意の識別子を備える、第１のメッセージを取得することと、ここにおいて、グローバルな一意の識別子が、ベニュー内でフェムトセルトランシーバによって認識可能であり、任意の公衆事業者定義のグローバルに一意の識別子とは無関係に決定される；フェムトセルトランシーバから受信された、グローバルな一意の識別子およびフェムトセルトランシーバによって取得された１つまたは複数の測定値を備える、第２のメッセージを取得することと、ここにおいて、１または測定値は、モバイルデバイスによって送信され、グローバルな一意の識別子を備えるかまたはそれと関連付けられた１つまたは複数のワイヤレス信号の１つまたは複数の特性に関するものである；１つまたは複数の測定値に少なくとも部分的に基づいてモバイルデバイスに対する１つまたは複数の測位動作を実行することとを行うことを実行できる。
【００１８】
[00026]上述の実装形態は例示的な実装形態にすぎず、特許請求する主題は、必ずしもこれらの例示的な実装形態の特定の態様に限定されるとは限らないことを理解されたい。
【００１９】
[00027]ＧＰＳおよび他の同様の衛星測位システム（ＳＰＳ）は、ほんの数例を挙げると、ナビゲーションサービス、方向探知、子供および友人探知、および緊急呼の位置特定など、屋外環境においてモバイルハンドセットに対するロケーションベースサービスを可能にした。屋内環境では、衛星信号が確実には受信および／または収集されないことがあるので、ロケーションベースサービスを屋内で使用可能にするために異なる技法が採用され得る。そのような技法は、セルラー基地局およびフェムトセルによって、および／またはＷｉＦｉ（登録商標）もしくはＢｌｕｅｔｏｏｔｈ（登録商標）アクセスポイント（ＡＰ）によって送信される信号など、モバイルデバイスによる地上波無線信号の測定値を利用することができる。そのような技法は、同じくまたは代替的に、モバイルデバイスによって送信された信号の、セルラー基地局、フェムトセル、ならびに／あるいはＷｉＦｉおよびＢｌｕｅｔｏｏｔｈのＡＰによる測定値を利用し得る。屋内測位技法の特定の実装形態では、屋内ベニューにおけるモバイルデバイスの存在およびロケーションは、モバイル中心（ＭＣ）手法またはネットワーク中心（ＮＣ）手法を使用して検出、測定および／または追跡され得る。たとえば、ＭＣ手法では、モバイルデバイスにおける受信機は、モバイルデバイスの存在の検出またはロケーションの測定に使用するために、（たとえば、ＳＰＳ、基地局、フェムトセルおよび／またはＡＰによって送信された信号の）測定値を取得し得る。ＮＣ手法では、固定ネットワーク要素（たとえば、基地局、フェムトセルおよび／またはＡＰ）における受信機は、ベニューまたは他のエリアでのモバイルデバイスの存在の検出のために、およびベニューまたは他のエリアでのモバイルデバイスのロケーションを推定または追跡するために、モバイルデバイスによって送信された信号を収集して測定し得る。
【００２０】
[00028]ＩＥＥＥ規格８０２．１１ｘ通信プロトコルに従って他のデバイスとワイヤレスに通信可能なモバイルデバイスは、一意に割り当てられたメディアアクセス制御（ＭＡＣ）アドレスを有し得る。ＮＣ測位技法の特定の実装形態では、（たとえば、ＩＥＥＥ規格８０２．１１ｘのＡＰにおける）受信機は、モバイルデバイスソースに一意に割り当てられたＭＡＣアドレスを回復するために収集された信号を復調することによって収集された信号のモバイルデバイスソースを識別し得る。収集された信号の測定された属性（たとえば、受信信号強度インジケータ（ＲＳＳＩ）および／または往復信号伝播時間（ＲＴＴ））に少なくとも部分的に基づいて、ネットワークエンティティは、モバイルデバイスソースの推定ロケーションを計算し得る。ＭＣ測位技法の特定の実装形態では、（たとえば、ＩＥＥＥ規格８０２．１１ｘシグナリングをサポート可能な）モバイルデバイスは、１つまたは複数のソースＡＰから信号を受信し、ソースＡＰに一意に割り当てられたＭＡＣアドレスを回復するために、各ソースＡＰから収集された信号を復調することによって各ソースＡＰを識別し得る。収集された信号の測定された属性（たとえば、ＲＳＳＩおよび／またはＲＴＴ）、ソースＡＰのＭＡＣアドレスおよびソースＡＰに対する情報（たとえば、ソースＡＰの知られているロケーション）に少なくとも部分的に基づいて、モバイルデバイスが測定値、ＭＡＣアドレスおよび他の情報を転送するモバイルデバイスまたはネットワークエンティティは、モバイルデバイスの推定ロケーションを計算し得る。
【００２１】
[00029]屋内測位をサポートするかまたは可能にするためのシステムおよび技法は、現在、インロケーションアライアンス（ＩＬＡ）、オープンモバイルアライアンス（ＯＭＡ）によって、および他の規格に基づく組織によって仕様化されている。ＩＬＡ仕様の場合、（たとえば、ＩＥＥＥ８０２．１１ｘ対応）ＷｉＦｉ  ＡＰおよびＢｌｕｅｔｏｏｔｈ（ＢＴ）ＡＰの使用は、（たとえば、上記で説明されたＭＣまたはＮＣ測位技法を使用して）屋内環境内でモバイルデバイスの正確なロケーションを測定する主要手段を提供する。フェムトセル（ホーム基地局およびスモールセルとしても知られている）は、屋内測位のための配備においても潜在的に使用され得るが、ＩＬＡ参照モデルの明確な一部ではない。しかしながら、フェムトセルが配備されるがＷｉＦｉおよびＢＴのＡＰはほとんどまたはまったく配備されないベニューおよび他のエリアにおいて、フェムトセルは屋内ロケーションベースサービスを可能にし得るので、ＷｉＦｉおよびＢＴのＡＰの代わりにまたはそれに加えて、屋内測位のためにフェムトセルを使用することは潜在的に有益である。しかしながら、ＩＬＡ参照モデルの一部としてフェムトセルを組み込むことは、（１）（ＷｉＦｉ  ＡＰに対して可視であるがフェムトセルに対して可視でないＷｉＦｉ  ＭＡＣアドレスと同様に）フェムトセルに対して可視のグローバルモバイルデバイスアドレスまたはＩＤの欠如、（２）フェムトセルから近傍のモバイルデバイスに測位支援データ（ＡＤ）をブロードキャストできないこと、（３）フェムトセルに対するＲＴＴをモバイルデバイスが正確に測定できないこと、（４）フェムトセルとベニューロケーションサーバ（ＬＳ）との間のインターフェースおよび関連測位プロトコルの欠如、および（５）フェムトセルを介してベニューイントラユニット、およびベニューイントラユニット内のまたはそこからアクセス可能なエンティティ（たとえば、ロケーションサーバまたはロケーションベースサービスアプリケーションサーバなど）にモバイルデバイスがアクセスするための手段の欠如など、いくつかの課題または欠陥をもたらす場合がある。これらの問題に対する解決策は、ＷｉＦｉおよびＢＴ  ＡＰを使用して取得される性能と同様かまたは場合によってはより良好な性能を有するＩＬＡ参照モデルによって使用可能にされる解決策および技法を使用してモバイルデバイスの屋内ロケーションをサポートするために、フェムトセルが使用されることを可能にし得る。本明細書で説明される特定の実装形態は、たとえば、フェムトセルを使用してロケーションベースサービスを提供することを可能にするために、ＩＬＡ参照モデルに基づく配備内で、フェムトセルとローカルベニューまたは他の屋内ベースのインフラストラクチャとを統合するための方法およびデバイスを対象とする。
【００２２】
[00030]図１に示されるアーキテクチャによって示されるように、特定の実装形態では、モバイルデバイス１００は、ワイヤレス通信ネットワークに無線信号を送信し、それから無線信号を受信することができる。一例では、モバイルデバイス１００は、ワイヤレス通信リンク１２３を介してフェムトセルトランシーバ１１０にワイヤレス信号を送信すること、および／またはそれからワイヤレス信号を受信することによってセルラー通信ネットワークと通信することを行い得る。同様に、モバイルデバイス１００は、ワイヤレス通信リンク１２５を介してローカルトランシーバ１１５にワイヤレス信号を送信すること、および／またはそれからワイヤレス信号を受信することを行い得る。
【００２３】
[00031]特定の実装形態では、ローカルトランシーバ１１５は、ワイヤレス通信リンク１２３を介してフェムトセルトランシーバ１１０によって使用可能にされる距離と同様の距離でワイヤレス通信リンク１２５を介してモバイルデバイス１００と通信するように構成され得る。たとえば、ローカルトランシーバ１１５とフェムトセルトランシーバ１１０の両方は、屋内環境内に配置され得る。ローカルトランシーバ１１５は、ＷｉＦｉまたはＢＴ  ＡＰを備え得、ワイヤレスローカルエリアネットワーク（ＷＬＡＮ、たとえば、ＩＥＥＥ８０２．１１ネットワーク）またはワイヤレスパーソナルエリアネットワーク（ＷＰＡＮ、たとえば、Ｂｌｕｅｔｏｏｔｈネットワーク）へのアクセスを与え得る。もちろん、これらが、ワイヤレスリンクを介してモバイルデバイスと通信し得るネットワークの例にすぎず、特許請求する主題が、この点について限定されないことを理解されたい。
【００２４】
[00032]ワイヤレス通信リンク１２３をサポートし得るネットワーク技術の例としては、モバイル通信用グローバルシステム（ＧＳＭ（登録商標））、符号分割多元接続２０００（ＣＤＭＡ２０００）、広帯域符号分割多元接続（ＷＣＤＭＡ（登録商標））、ロングタームエボリューションＬＴＥ（登録商標））、高速パケットデータ（ＨＲＰＤ）がある。ＧＳＭ、ＷＣＤＭＡ、およびＬＴＥは、第３世代パートナーシッププロジェクト（３ＧＰＰ（登録商標））として知られている組織によって定義された技術である。ＣＤＭＡ２０００、およびＨＲＰＤは、第３世代パートナーシッププロジェクト２（３ＧＰＰ２）として知られている組織によって定義された技術である。フェムトセルトランシーバ１１０は、（たとえば、サービス契約のもとでの）サービスのためのワイヤレス電気通信ネットワークへのアクセスを特定の加入者に提供する機器を備えることができ、その場合、ホーム基地局、ホームＮｏｄｅＢ（ＨＮＢ）またはホームｅＮｏｄｅＢ（ＨｅＮＢ）として知られている場合がある。代替として、フェムトセルトランシーバ１１０は、（たとえば、異なるサービス契約のもとでの）異なるサービスのためのワイヤレス電気通信ネットワークへのアクセスを多くのさらにはすべての加入者に提供することができ、その場合、スモールセルとして知られている場合がある。各場合において、フェムトセルトランシーバ１１０は、フェムトセルトランシーバ１１０がアクセスサービスを提供することができる距離に少なくとも部分的に基づいて決定されたセル内の加入者デバイスをサービスするセルラー基地局の機能を実行し得る。特定の（および図５および図６の特定の例示的な実装形態とともに本明細書で後で説明される）実装形態では、フェムトセルトランシーバ１１０は、インターネットサービスプロバイダ（ＩＳＰ）ネットワークを介して（たとえば、ケーブルまたはＤＳＬモデムを介して）キャリアネットワークに接続され得る。フェムトセルトランシーバはまた、本明細書では単に「フェムトセル」と呼ばれることもある。ワイヤレス通信リンク１２５をサポートし得る無線技術の例は、ＩＥＥＥ８０２．１１またはＢＴである。
【００２５】
[00033]特定の実装形態では、フェムトセルトランシーバ１１０およびローカルトランシーバ１１５は、リンク１４５を通してネットワーク１３０を介してサーバ１４０、１５０および／または１５５と通信し得る。ここで、ネットワーク１３０は、ワイヤードまたはワイヤレスリンクの任意の組合せを備え得、フェムトセルトランシーバ１１０ならびに／またはローカルトランシーバ１１５ならびに／またはサーバ１４０、１５０および１５５を含み得る。特定の実装形態では、ネットワーク１３０は、ローカルトランシーバ１１５またはフェムトセルトランシーバ１１０を介して、モバイルデバイス１００とサーバ１４０、１５０または１５５との間の通信を容易にすることが可能なインターネットプロトコル（ＩＰ）インフラストラクチャを備え得る。別の実装形態では、ネットワーク１３０は、モバイルデバイス１００とのモバイルセルラー通信を容易にするために、たとえば、基地局コントローラあるいはパケットベースまたは回路ベースの交換センター（図示せず）などのセルラー通信ネットワークインフラストラクチャを備え得る。特定の実装形態では、ネットワーク１３０は、ＷｉＦｉ  ＡＰ、ルータおよびブリッジなどのローカルエリアネットワーク（ＬＡＮ）および／またはＷＬＡＮ要素を備え得、その場合、インターネットなどのワイドエリアネットワークへのアクセスを与えるゲートウェイ要素へのリンクを含むか、またはそれを有し得る。他の実装形態では、ネットワーク１３０は、ＬＡＮまたはＷＬＡＮを備え得、ワイドエリアネットワークへのアクセスを有することも有しないこともあるが、モバイルデバイス１００へのいかなるそのようなアクセスをも与えないことがある（サポートされる場合）。ベニュー内で、ＬＡＮおよび／またはＷＬＡＮ要素を含み、通信および／またはロケーションサービスを提供するネットワーク１３０は、ベニューイントラネットと呼ばれることがある。いくつかの実装形態では、ネットワーク１３０は、複数のネットワーク（たとえば、１つまたは複数のワイヤレスネットワークおよび／またはインターネット）を備え得る。
【００２６】
[00034]特定の実装形態では、以下で論じるように、モバイルデバイス１００は、モバイルデバイス１００の位置フィックスまたは推定ロケーションを計算することが可能な回路と処理リソースとを有し得る。現在図示されている例では、モバイルデバイス１００は、たとえば、新順方向リンク三辺測量（ＡＦＬＴ：Advanced Forward Link Trilateration）、観測到来時間差（ＯＴＤＯＡ：Observed Time Difference Of Arrival）、拡張セルＩＤ（Ｅ−ＣＩＤ：Enhanced Cell ID）、またはＲＦパターンマッチングなど、いくつかの位置決め方法（position method）のうちの任意の１つを使用して、知られ得るロケーションに固定された地上波送信機（たとえば、フェムトセルトランシーバ１１０および／またはローカルトランシーバ１１５など）から受信された信号を測定することによって位置フィックスを取得し得る。ＡＦＬＴおよびＯＴＤＯＡの場合、モバイルデバイス１００のロケーションは、地上波送信機によって送信され、モバイルデバイス１００において受信されるパイロット信号、測位関連信号、または他の信号に少なくとも部分的に基づいて知られているロケーションに固定されている３つ以上のそのような地上波送信機に対して、モバイルデバイス１００によって測定され得る擬似距離またはタイミング差から決定され得る。Ｅ−ＣＩＤおよびＲＦパターンマッチングの場合、モバイルデバイス１００のロケーションは、モバイルデバイス１００によって作成された、（ｉ）フェムトセルトランシーバ１１０および／またはローカルトランシーバ１１５から受信された信号に対する信号強度（たとえば、ＲＳＳＩ）、および／または（ｉｉ）モバイルデバイス１００と各トランシーバとの間のＲＴＴの測定値から取得され得る。
【００２７】
[00035]ＡＦＬＴ、ＯＴＤＯＡ、Ｅ−ＣＩＤ、およびＲＦパターンマッチングなどの測位技法をサポートするために、サーバ１４０、１５０または１５５のうちの１つまたは複数は、たとえば、測定されるべき信号に関する情報（たとえば、信号タイミング）ならびに地上波送信機のロケーションおよび識別情報を含む測位支援データをモバイルデバイス１００に与えることが可能であり得る。たとえば、サーバ１４０、１５０または１５５のうちの１つまたは複数は、（ｉ）特定のベニュー内など、特定の１つまたは複数のエリア内でフェムトセルトランシーバ１１０および／またはローカルトランシーバ１１５のロケーションおよび識別情報、ならびに／あるいは（ｉｉ）任意のフェムトセルトランシーバ１１０またはローカルトランシーバ１１５のカバレージエリア内の異なるグリッドロケーションにおける送信電力、信号タイミング、および／または予期されるＲＳＳＩおよび／もしくはＲＴＴなど、特定の１つまたは複数のエリア内のフェムトセルトランシーバ１１０および／またはローカルトランシーバ１１５によって送信される信号を記述している情報を示すアルマナックを備え得る。ロケーションサーバ１４０、１５０または１５５のうちの１つは、フェムトセルトランシーバ１１０および／またはローカルトランシーバ１１５からの信号を測定するためにモバイルデバイス１００を支援するために、アルマナック情報の一部または全部をモバイルデバイス１００に与え得、測定値からモバイルデバイス１００のロケーションを決定し得る。いくつかの他の実装形態では、モバイルデバイス１００は、フェムトセルトランシーバ１１０および／またはローカルトランシーバ１１５の測定値を作成し得、いくつかの場合には測定値を作成することを支援するためにサーバ１４０、１５０または１５５からアルマナック情報を受信し得るが、（たとえば、ロケーションを決定することが、転送された測定値と、サーバに対して利用可能なアルマナック情報とに基づく場合）モバイルデバイス１００のロケーションを決定するために、サーバ１４０、１５０または１５５のうちの１つに得られた測定値を転送し得る。
【００２８】
[00036]モバイルデバイス（たとえば、図１中のモバイルデバイス１００）は、デバイス、ワイヤレスデバイス、モバイル端末、端末、移動局（ＭＳ）、ユーザ機器（ＵＥ）、セキュアユーザプレーンロケーション（ＳＵＰＬ：Secure User Plane Location）対応端末（ＳＥＴ）と呼ばれるか、または何らかの他の名前で呼ばれることがあり、セルフォン、スマートフォン、ラップトップ、タブレット、ＰＤＡ、追跡デバイスまたは何らかの他のポータブルもしくは可動デバイスに対応し得る。典型的には、必ずしもそうとは限らないが、モバイルデバイスは、ＧＳＭ、ＷＣＤＭＡ、ＬＴＥ、ＣＤＭＡ２０００、ユニバーサル移動体通信システム（ＵＭＴＳ）、ＨＲＰＤ、ＷｉＦｉ、ＢＴ、ＷｉＭａｘ（登録商標）を使用することなどによって、ワイヤレス通信をサポートし得る。モバイルデバイスはまた、ＷＬＡＮを使用してワイヤレス通信をサポートし得、その場合、ＷＬＡＮからＩＳＰゲートウェイにＤＳＬまたはパケットケーブルリンクを介して他のネットワークおよびリモートエンティティ（たとえば、ネットワーク１３０とサーバ１４０、１５０および１５５のうちの１つまたは複数とを含む）にアクセスし得る。モバイルデバイスは、単一のエンティティを備え得、あるいは、ユーザがオーディオ、ビデオおよび／もしくはデータＩ／Ｏデバイスならびに／またはボディセンサおよび別個のワイヤラインもしくはワイヤレスモデムを採用し得るパーソナルエリアネットワーク中などに複数のエンティティを備え得る。モバイルデバイス（たとえば、モバイルデバイス１００）のロケーションは、ロケーション推定値、ロケーションフィックス、位置、位置推定値、または位置フィックスと呼ばれることがあり、地理的なものであり、したがって、高度成分（たとえば、海抜高、地表高、地表深度、フロアレベルまたは地階レベル）を含むことも含まないこともあるモバイルデバイスのロケーション座標（たとえば、緯度および経度）を与え得る。代替または追加として、モバイルデバイスのロケーションは、都市ロケーション（たとえば、郵便宛先または何らかの地点の指定または特定の部屋もしくはフロアなどの建築物中の小さいエリア）として表され得る。モバイルデバイスのロケーションは、ある確率または信頼性レベル（たとえば、６７％または９５％）でモバイルデバイスが位置することが予想され得る（地理的にまたは都市形態で定義される）エリアまたはボリュームとして表され得る。モバイルデバイスのロケーションは、さらに、たとえば、距離および方向あるいは、地理的に、または都市に関して、またはマップ、平面図もしくは建築平面図上に示されたポイント、エリアもしくはボリュームを参照して定義され得る既知のロケーションにある何らかの原点に対して定義された相対Ｘ、Ｙ（およびＺ）座標を備える相対ロケーションであり得る。本明細書に含まれている説明では、ロケーションという用語の使用は、別段に規定されていない限り、これらの変形態のいずれかを備え得る。（ｉ）ロケーション推定値自体、（ｉｉ）ロケーション推定値が導出され得るロケーション関連測定値（たとえば、ＲＴＴまたはＲＳＳＩの測定値）、または（ｉｉｉ）特定のエリア内かまたは特定のロケーションにおける存在または不在などのロケーション推定値に関連する情報は、同義語として「ロケーション情報」、「ロケーションパラメータ」、「ロケーション関連情報」、または「ロケーション関連パラメータ」と呼ばれることがある。
【００２９】
[00037]図１に関して前に説明されたネットワークアーキテクチャは、ＯＭＡによって定義されるＳＵＰＬユーザプレーンロケーション解と、３ＧＰＰおよび３ＧＰＰ２によって定義されるＧＳＭ、ＷＣＤＭＡ、ＬＴＥおよびＣＤＭＡ２０００に対する制御プレーンロケーション解とを含む多様な屋外および屋内ロケーション解に適合し得る一般的アーキテクチャまたはフレームワークと見なされ得る。たとえば、サーバ１４０、１５０または１５５は、ＳＵＰＬロケーション解をサポートするＳＵＰＬロケーションプラットフォーム（ＳＬＰ）として、またはワイヤレス通信リンク１２３もしくは１２５上でＬＴＥアクセスのための３ＧＰＰ制御プレーンロケーション解をサポートする拡張サービングモバイルロケーションセンター（Ｅ−ＳＭＬＣ）として機能し得る。しかしながら、図１で例示されるフレームワークは、３ＧＰＰ、３ＧＰＰ２およびＯＭＡによって定義されるロケーション解をサポートするために使用されるとき、ロケーションサーバ１４０、１５０、１５５がベニュー所有者またはベニュー管理者ではなく公衆ネットワーク事業者に属する場合、特定のベニューの屋内環境もしくは屋内と屋外の混合環境内でロケーションサービスをサポートするために、必ずしも効率的であるとは限らない。これは、ロケーションサーバ１４０、１５０および１５５が、その場合、１つまたは複数のベニュー内部のフェムトセル（たとえば、フェムトセル１１０）およびローカルトランシーバ（たとえば、ローカルトランシーバ１１５）の存在、ロケーション、および送信特性に関する詳細なアルマナックデータを欠くことがあるので発生し得る。したがって図１に示したアーキテクチャへの適応およびサポートされる測位方法への適応は、本明細書でさらに説明するように必要とされ得る。
【００３０】
[00038]特定の環境では、モバイルデバイス１００、またはモバイルデバイス１００が測定値を与えることができるサーバ１４０、１５０または１５５は、知られているロケーションに位置するローカル送信機（たとえば、ローカルトランシーバ１１５またはフェムトセルトランシーバ１１０）からモバイルデバイス１００によって収集および測定された信号に少なくとも部分的に基づいて、位置フィックスを計算することが可能であり得る。たとえば、モバイルデバイス１００は、知られているロケーションに位置する３つ以上のＡＰまでの距離を測定することによって、位置フィックスを取得し得る。そのような距離は、たとえば、各ＡＰから受信された信号からＭＡＣアドレスを取得することによって、および各ＡＰから受信された、たとえばＲＳＳＩまたはＲＴＴなどの信号の１つまたは複数の特性を測定することによって各ＡＰまでの距離測定値を取得することとによって測定され得る。代替実装形態では、モバイルデバイス１００、またはモバイルデバイス１００が測定値を転送し得るサーバ１４０、１５０または１５５は、近傍のＡＰから収集された信号の、モバイルデバイス１００によって測定された特性を、屋内エリア内の特定のロケーションにおける（たとえば、屋内エリア内のＡＰの無線カバレージエリア内の１メートル間隔で離隔されたグリッドロケーションにおける）任意の特定のＡＰに対する予期されるＲＳＳＩおよび／またはＲＴＴ値を示す無線マップに適用することによって、ＲＦパターンマッチングを使用して屋内位置フィックスを取得し得る。特定の実装形態では、無線マップは、ＡＰの識別情報（たとえば、ＡＰから収集された信号から識別できるＭＡＣアドレス）と関連付けられてよく、ＡＰによって送信される信号に対する予期されるＲＳＳＩ値、予期されるＲＴＴ値、ならびに／あるいは予期されるＲＳＳＩおよび／またはＲＴＴ値からの標準偏差を与え得る。ＲＦパターンマッチングは、無線マップによって与えられる予期される信号特性が測定された信号特性に最も密接に適合するロケーションを発見することを備えてよく、モバイルデバイス１００によってまたはロケーションサーバ１４０、１５０または１５５のうちの１つによって実行され得る。代替実装形態では、信号到来角または離脱角の測定値が、モバイルデバイスのロケーションを推定するために、距離の測定値またはＲＦパターンマッチングの代わりにまたはそれと組み合わせて使用され得る。
【００３１】
[00039]特定の実装形態では、モバイルデバイス１００は、サーバ１４０、１５０または１５５のうちの１つまたは複数から屋内測位動作についての測位支援データを受信し得る。たとえば、そのような測位支援データは、たとえば、測定されたＲＳＳＩおよび／またはＲＴＴを使用してこれらの送信機までの距離を測定することに基づいて、モバイルデバイス１００の測位を可能にするために、知られているロケーションに位置する送信機（たとえば、フェムトセルトランシーバ１１０および／またはローカルトランシーバ１１５）のロケーションおよび識別情報を含み得る。屋内測位動作を助けるための他の測位支援データは、ほんの数例を挙げると、無線マップと、磁気マップと、ルータビリティ（ｒｏｕｔｅａｂｉｌｉｔｙ）グラフと、建築物レイアウトと、許可ロケーション、共通ロケーションおよび（たとえば、壁および建築物インフラストラクチャに関連する）ありそうもないロケーションを示す間取りとを含み得る。モバイルデバイス１００によって受信された他の測位支援データは、たとえば、表示のためにまたはナビゲーションを助けるために屋内エリアのローカルマップを含み得る。そのようなマップは、モバイルデバイス１００が特定の屋内エリアに入るとき、モバイルデバイス１００に与えられ得る。そのようなマップは、扉、通路、入口、壁などの屋内の特徴、化粧室、公衆電話、部屋名、店舗などの関心地点を示し得る。そのようなマップを取得し、表示することによって、モバイルデバイス１００は、追加のコンテキストをユーザに与えるために、表示されたマップ上にモバイルデバイス（およびユーザ）の現在のロケーションをオーバーレイし得る。
【００３２】
[00040]一実装形態では、ルータビリティグラフおよび／またはデジタルマップは、モバイルデバイス１００が、屋内エリア内の、物理的障害（たとえば、壁）および通路（たとえば、壁の戸口）を条件とするナビゲーションに実現可能なエリアを定義するのを支援し得る。ここで、ナビゲーションに実現可能なエリアを定義することによって、モバイルデバイス１００は、動きモデルに従って（たとえば、粒子フィルタおよび／またはカルマンフィルタに従って）ロケーションおよび／または動き軌道を推定するため測定値をフィルタ処理するアプリケーションを助けるために制約を適用し得る。ローカル送信機からの信号の取得から取得された測定値に加えて、特定の実施形態によれば、モバイルデバイス１００は、モバイルデバイス１００のロケーション、ロケーションの変化または動き状態を推定する際に慣性センサ（たとえば、加速度計、ジャイロスコープ、磁力計、コンパスなど）および／または環境センサ（たとえば、温度センサ、マイクロフォン、気圧センサ、周辺光センサ、カメライメージャなど）から取得された測定値または推論に動きモデルをさらに適用し得る。
【００３３】
[00041]一実施形態によれば、モバイルデバイス１００は、たとえば、ユニバーサルリソースロケータ（ＵＲＬ）の選択を介して屋内支援データを要求することによって、サーバ１４０、１５０または１５５を介して屋内ロケーション支援データにアクセスし得る。特定の実装形態では、サーバ１４０、１５０、または１５５は、たとえば、ほんの数例を挙げると、建築物のフロア、病院の病棟、空港のターミナル、大学構内の一部分、大型ショッピングモールのエリアを含む多くの異なる屋内エリアをカバーするために屋内ロケーション支援データを提供することが可能であり得る。また、モバイルデバイス１００のメモリリソースおよびデータ送信リソースにより、サーバ１４０、１５０または１５５によってサービスされるすべてのエリアについての屋内ロケーション支援データの受信が実行不可能または実現不可能になり得る。モバイルデバイス１００からの屋内ロケーション支援データの要求は、次いで、モバイルデバイス１００のロケーションの粗いまたは進路推定値を示し得る。モバイルデバイス１００は、次いで、モバイルデバイス１００のロケーションの粗いまたは進路の推定値を含むエリアをカバーする、および／またはその推定値に近接した、屋内ロケーション支援データを与えられ得、その推定値は、有益なロケーション支援データを依然としてモバイルデバイス１００に与えながら、モバイルデバイス１００のメモリ要件とデータ送信リソースの使用とを低減し得る。
【００３４】
[00042]特定の実装形態では、アクセスネットワーク（ＡＮ）またはアクセスロケーションネットワーク（ＡＬＮ）は、たとえば、上記で説明されたローカルトランシーバ１１５またはフェムトセルトランシーバ１１０など、測位動作を支援するために信号を送信または受信するように配置および構成された、ワイヤレスに送信および／または受信することができるデバイスを備え得る。測位動作を支援するために送信および受信された信号は、通常の通信動作の一部としてオーディオ、ビデオ、データおよび制御情報の通信をサポートするように主に設計され得るが、信号強度、信号到来角（ＡＯＡ）、信号タイミングまたは他の信号特性などの測定可能な属性を有することによって測位をサポートする追加の利益を与え得る。ＡＮまたはＡＬＮに関して、ＡＮデータベースまたはＡＬＮデータベース（ＡＬＮ  ＤＢ）は、それぞれ、サーバ１４０、１５０または１５５などのサーバ中に維持され得る。同様に、ロケーションベースサービスアプリケーションサーバ（ＬＢＳ  ＡＳ）、ロケーションサーバ（ＬＳ）、マップデータベース（マップＤＢ）、およびプライバシーポリシーデータベース（ＰＰＤ）などのエンティティは、サーバ１４０、１５０または１５５のうちの１つまたは複数によって与えられるか、または維持され得る。これらのエンティティの各々の代表的な機能は、本明細書で後で説明される。さらに、移動局（ＭＳ）が、ベニューで検出され、ワイヤレス通信リンクを介して上記の参照エンティティのうちの１つまたは複数と対話し得る。一例では、ＭＳは、上記で説明したモバイルデバイス１００として実装され得る。特定の例では、ＭＳは、ロケーションベースサービスを実行する際に上述の要素のうちの１つまたは複数と通信することが可能な１つまたは複数のアプリケーションをホストするための回路またはプロセッサを備え得る。
【００３５】
[00043]ロケーションソリューションとしてＳＵＰＬを使用する実装形態では、図１中のサーバ１４０、１５０または１５５などのロケーションサーバは、モバイルデバイス１００のためのホームＳＬＰ（Ｈ−ＳＬＰ：home SLP）または発見されたＳＬＰ（Ｄ−ＳＬＰ：discovered SLP）を備え得る。Ｈ−ＳＬＰは、家庭用ワイヤレスネットワーク事業者によってまたは何らかの他の好適なロケーションプロバイダによってモバイルデバイス１００に与えられ得、ホームエリア（たとえば、ホームネットワークカバレージエリア）にいる間に、またはホームエリアにいない場合は何らかの他のロケーションサーバからロケーションサービスを取得することができない間に、ロケーションサービスを（ＳＵＰＬを使用して）受信するためにモバイルデバイス１００がプロビジョニングされるロケーションサーバを備え得る。Ｄ−ＳＬＰは、ユーザにとって特定の建築物、ベニュー、市、州またはどこかの外国などの何らかの限定されたエリアでロケーションサービスをサポートするロケーションサーバを備えてよく、このエリアでロケーションサービスをサポートするために一意のデータ（たとえば、モバイルデバイス１００に送信され得る一意の測位支援データ）を有し得る。Ｄ−ＳＬＰは、Ｄ−ＳＬＰによってサービスされるエリア内のＨ−ＳＬＰよりも良いロケーションサービスをサポートし得る（たとえば、より正確で信頼できるロケーションを使用可能にし得る）。その場合、改善されたロケーションサービスを取得するために、ベニュー内などいくつかの環境にいる間にＤ−ＳＬＰを発見することはモバイルデバイス１００の利点になり得る。したがって、Ｄ−ＳＬＰは、ベニューまたは他の屋内環境のロケーションサービスをサポートすることを目的とする図１中のアーキテクチャのあらゆる拡張または変更でＳＵＰＬロケーションのために使用され得る。
【００３６】
[00044]一実施形態によれば、ＳＵＰＬは、トランスポート機構としてＴＣＰ／ＩＰを使用したＳＥＴとＳＬＰとの間の対話に基づくロケーション解を提供し得、ここで、ＯＭＡによって定義されたＳＵＰＬユーザプレーンロケーションプロトコル（ＵＬＰ）に従って定義されたＳＵＰＬメッセージは、ＳＵＰＬロケーションセッションをセットアップし管理することと、測位支援データをＳＬＰからＳＥＴに、ロケーション情報（たとえば、ロケーション推定値および／またはロケーション推定値の計算に使用するための測定値）をＳＥＴからＳＬＰおよびＳＵＰＬに、ならびに測位能力をＳＥＴからＳＬＰおよび／またはＳＬＰからＳＥＴにトランスポートすることとを行うために、ＳＥＴとＳＬＰとの間で交換される。ＳＵＰＬセッションは、ＳＬＰからＳＥＴに転送される測位支援データの少なくとも一部分とＳＥＴからＳＬＰに転送されるロケーション測定値および／またはロケーション推定値情報の一部または全部とを搬送し得る１つまたは複数の測位プロトコルを採用し得る。いくつかのＳＵＰＬメッセージ（たとえば、ＳＵＰＬ  ＰＯＳメッセージ）は、ＳＵＰＬセッション内で測位をサポートする手段として測位プロトコルに従って定義された１つまたは複数の埋込みメッセージを搬送し得る。ＳＵＰＬによってサポートされる測位プロトコルの例としては、無線リソースロケーションサービス（ＬＣＳ）プロトコル（ＲＲＬＰ）、無線リソース制御プロトコル（ＲＲＣ）、ＬＴＥ測位プロトコル（ＬＰＰ）、ＩＳ−８０１およびＬＰＰ拡張（ＬＰＰｅ）がある。典型的には、ＬＰＰｅは、ＬＰＰ測位プロトコルメッセージが埋込みＬＰＰｅメッセージを含み得るようにＬＰＰを拡張し得る。ＬＰＰｅがＬＰＰを拡張するために使用される場合、組み合わされたプロトコルは、ＬＰＰ／ＬＰＰｅと呼ばれることがある。ＲＲＬＰ、ＲＲＣおよびＬＰＰは３ＧＰＰによって定義され、ＩＳ−８０１は３ＧＰＰ２によって定義され、ＬＰＰｅはＯＭＡによって定義され、すべて公開されている文献である。
【００３７】
[00045]図２は、一実施形態による、ベニューまたは他のエリアでロケーションベースサービスを提供するためのアーキテクチャ２００の概略図である。アーキテクチャ２００は、ベニューなどの屋内エリアにおけるロケーションをサポートするのに好適な、図１のアーキテクチャの拡張または修正と見なされてよく、図１に示されるアーキテクチャの要素を使用して実装され得る。たとえば、図２中のモバイルデバイス（ＭＤ）２０４は、図１中のモバイルデバイス１００として実装され得る。ロケーションサーバ（ＬＳ）２０６、アクセス／ロケーションネットワークデータベース（ＡＬＮ  ＤＢ）２０８、マップデータベース（マップＤＢ）２１０、ロケーションベースサービスアプリケーションサーバ（ＬＢＳ  ＡＳ）２１２、ロケーションサーバ（ＬＳ）２０６、およびプライバシーポリシーデータベース（ＰＰＤ）２１４は、図１中のサーバ１４０、１５０および／または１５５としてまたはそれの一部としてそれぞれ実装され得る。アクセス／ロケーションネットワーク（ＡＬＮ）２０２は、少なくとも部分的に、図１中のフェムトセルトランシーバ１１０および／またはローカルトランシーバ１１５ならびに／あるいは注目するベニューまたは他の関心エリアをサービスする同様のトランシーバによって実装され得る。ＡＬＮ２０２は、主要なまたは唯一の役割が、（たとえば、モバイルデバイス２０４によって測定されるべき測位関連無線信号を送信することによって、および／またはモバイルデバイス２０４によって送信された無線信号を測定することによって）モバイルデバイス２０４などのモバイルデバイスの位置を特定するのをサポートすることであるエンティティ、ならびに主要なまたは唯一の役割が、モバイルデバイス２０４などのモバイルデバイスと、限定はしないが、ＬＳ２０６およびＬＢＳ  ＡＳ２１２など、図２中のエンティティを含む他のエンティティとの間の通信を容易にすることであるエンティティを備え得る。
【００３８】
[00046]ＬＳ２０６は、（たとえば、要求される場合）、モバイルデバイス（たとえば、ＭＤ２０４）に対するロケーション関連パラメータ（たとえば、特定のエリアにおけるロケーション推定値または存在）を決定し得、ロケーション情報が適用されるモバイルデバイス（たとえば、ＭＤ２０４）または他のエンティティ（たとえば、ＬＢＳ  ＡＳ２１２）などの他のエンティティに、これらのロケーションパラメータを与え得る。ＬＳ２０６はまた、モバイルデバイスがロケーション関連測定値を作成し、これらの測定値からそれら自体の推定ロケーションを計算するのを支援するため、モバイルデバイス（たとえば、ＭＤ２０４）にロケーション支援データを与え得る。ＬＳ２０６は、モバイルデバイスのロケーションを決定するため、またはモバイルデバイスにロケーション支援データを与えるために、モバイルデバイスと対話し得る。ＬＳ２０６は、同様にまたは代わりに、１つまたは複数のモバイルデバイスに対するロケーション関連パラメータ（たとえば、ＡＬＮ２０２内のデバイスによって作成されたかまたは取得された、モバイルデバイス２０４に対するロケーション測定値）を取得するためにＡＬＮ２０２と対話し得る。いくつかの実施形態では、ＬＳ２０６は、Ｈ−ＳＬＰまたはＤ−ＳＬＰであり得る。ＬＢＳ  ＡＳ２１２は、モバイルデバイス（たとえば、ＭＤ２０４）、外部クライアントおよび／または所有者、ネットワークもしくはベニューの事業者もしくは管理者のために、１つまたは複数のＬＢＳサービスをサポートし得る。そのようなサービスは、モバイルデバイスのユーザに対する方向、ナビゲーションサポート、マップデータ、および／または他のロケーション関連パラメータのプロビジョンと、外部クライアントおよび／またはベニューもしくはネットワークの所有者もしくは事業者に対するモバイルデバイスについての情報（たとえば、一定のエリア内のモバイルデバイスの数、あるエリア内のモバイルデバイスのドウェル時間、モバイルデバイスのロケーション履歴）のプロビジョンとを含み得る。ＬＢＳサービスをサポートするために、ＬＢＳ  ＡＳ２１２は、ＬＳ２０６から、特定のモバイルデバイスまたは任意のモバイルデバイス（たとえば、ＭＤ２０４）に対するロケーションパラメータを要求し、取得することができる。ＡＬＮ  ＤＢ２０８は、各デバイスのロケーション（たとえば、緯度、経度および場合によっては高度）と、そのワイヤレス特性（たとえば、サポートされるワイヤレス技術）と、アンテナ特性と、送信特性（たとえば、送信電力、送信タイミング）とを含み得るアルマナックデータなど、ＡＬＮ２０２内のデバイス（たとえば、ＡＰまたはフェムトセル）に関連する情報を記憶し得る。ＡＬＮ  ＤＢ２０８は、ロケーションサーバがモバイルデバイスにロケーション支援データを与えるのを支援するため、および／またはモバイルデバイスに対するロケーションまたは存在の情報を決定する（たとえば、ＡＬＮ２０２および／またはＭＤ２０４によって与えられた、ＭＤ２０４に関連する測定値からＭＤ２０４に対するロケーションを決定する）ために、要求されたときおよび／またはいくつかの条件（たとえば、新しい情報の利用可能性）が発生したときに���ケーションサーバ（たとえば、ＬＳ２０６）に（たとえば、ＡＬＮ２０２に関する）情報を与え得る。マップＤＢ２１０は、一定のエリア（たとえば、ベニュー、町、市、建物）に対するマップおよびマップ関連情報（たとえば、ショッピングモール内の店舗のレイアウト）を記憶し得、ＬＢＳ  ＡＳ２１２および／またはＡＬＮ  ＤＢ２０８に、（たとえば、要求されると）この情報の一部を与え得る。ＬＢＳ  ＡＳ２１２ｍａｙユーザは、ＬＢＳサービスをモバイルデバイス（たとえば、ＭＤ２０４）に与えるためにマップＤＢ２１０から受信された情報である。ＡＬＮ  ＤＢ２０８ｍａｙユーザは、建物またはベニュー内で、フェムトセルトランシーバのカバレージエリア内の異なるロケーションにおいて、ＡＬＮ２０２内のフェムトセルトランシーバ１１０から受信されることが予期される信号強度を計算することなど、ＡＬＮ  ＤＢ２０８がロケーションサーバ（たとえば、ＬＳ２０６）に与え得る情報を強化するため、および／またはＡＬＮ２０２に関連する情報をＡＬＮ  ＤＢ２０８が推測または計算することを可能にするために、マップＤＢ２１０から受信された情報である。ＰＰＤ２１４は、プライバシーに関連するサービスをサポートし得、たとえば、いくつかのモバイルデバイスおよび／またはＡＬＮ２０２内のいくつかのデバイスに対する他のエンティティに与えられ得るローカル情報のタイプを限定し得る。
【００３９】
[00047]特定の実装形態では、ベニューまたは他の屋内環境でのモバイルデバイス２０４の存在および／またはロケーションは、前述のＭＣ測位手法および／または前述のＮＣ測位手法を使用して検出、測定または追跡され得る。ＭＣ測位手法では、たとえば、モバイルデバイス２０４にある受信機は、モバイルデバイス２０４の存在を検出するか、またはモバイルデバイス２０４のロケーションを推定する際に使用するための測定値を取得し得る。ＮＣ測位手法では、固定ネットワーク要素（たとえば、ＡＬＮ２０２の要素）にある受信機が、ベニューでのモバイルデバイス２０４の存在の検出のために、およびベニューでのモバイルデバイス２０４のロケーションを推定または追跡するためにモバイルデバイス２０４によって送信された信号を収集し得る。ＬＳ２０６は、モバイルデバイス２０４、ＡＬＮ２０２およびＬＳ２０６の能力に応じてネットワーク中心測位および／またはモバイル中心測位を採用し得る。ＬＳ２０６および／またはＡＬＮ２０２がネットワーク中心測位をサポートしない場合、またはモバイルデバイス２０４が、それのロケーションの推定値をより正確に、より迅速に、および／またはより効率的に与える場合、ＬＢＳ  ＡＳ２１２はまた、モバイルデバイス２０４にそれのロケーションを照会し得る。また、ＭＣおよびＮＣ測位手法を使用して取得されるものとして本明細書で示す測定値は、測定誤差を緩和し、位置推定値の精度と信頼性とを改善するために（たとえば、ＬＳにおいて）組み合わされ得る。
【００４０】
[00048]アーキテクチャ２００中のエンティティ間のメッセージインターフェースは、図２に示すように、メッセージインターフェースｉ／ｆ  １〜ｉ／ｆ  ９を含み得る。各インターフェース上で転送され得るメッセージのタイプ（およびパケット、ビットシーケンス、チップシーケンスなどの非メッセージデータの他のタイプ）はまた、１方向だけ（片方向矢印を使用して示される）かまたは両方向であり得る（両方向矢印を使用して示される）メッセージ（または他のタイプのデータ）に対する可能な転送方向を示すメッセージ（または他のタイプのデータ）の各タイプに対して示される矢印を用いて、図２に示される。矢印によって示されるように、メッセージインターフェースｉ／ｆ  １〜ｉ／ｆ  ９は、異なるタイプのメッセージ（または他のタイプのデータ）に対して双方向または単方向であり得る。メッセージインターフェースｉ／ｆ  １〜ｉ／ｆ  ９は、ほんの数例を挙げると、インターネットプロトコル（ＩＰ）インフラストラクチャ、ワイヤレス通信リンク、ローカルエリアネットワーク（ＬＡＮ）など、任意の適切な通信リンクインフラストラクチャ上に実装され得る。メッセージインターフェースｉ／ｆ  ７およびｉ／ｆ  ８は、たとえば、これらのエンティティからの要求に応答して、要求されたマップデータをマップＤＢ２１０から、それぞれＬＢＳ  ＡＳ２１２およびＡＬＮ  ＤＢ２０８に送信し得る。メッセージインターフェースｉ／ｆ  ４は、モバイルデバイス２０４にＬＢＳ  ＡＳ２１２からのロケーションアウェアコンテンツまたはマップデータを送信し得る。メッセージインターフェースｉ／５  ５は、ＬＳ２０６にＬＢＳ  ＡＳ２１２からのロケーション要求メッセージを送信し、ロケーション要求メッセージに応答して、ＬＢＳ  ＡＳ２１２にＬＳ２０６からのロケーション応答またはロケーション報告メッセージを送信し得る。ＭＣ測位手法では、メッセージインターフェースｉ／ｆ  ４は、同様に、モバイルデバイス２０４にＬＢＳ  ＡＳ２１２からのロケーション要求メッセージを送信し、ロケーション要求メッセージに応答してＬＢＳ  ＡＳ２１２にモバイルデバイス２０４からのロケーション応答またはロケーション報告メッセージを送信し得る。一方、ＮＣ測位手法では、メッセージインターフェースｉ／ｆ  ４は、ＬＢＳ  ＡＳ２１２にモバイルデバイス２０４からのロケーション要求メッセージを送信し、ロケーション要求メッセージに応答して、モバイルデバイス２０４に（ＬＳ２０６からＬＢＳ  ＡＳ２１２によって取得されたモバイルデバイス２０４のロケーション推定値を搬送し得る）ＬＢＳ  ＡＳ２１２からのロケーション応答またはロケーション報告メッセージを送信し得る。
【００４１】
[00049]メッセージインターフェースｉ／ｆ  ３は、ＭＣ測位手法において使用され得、ＬＳ２０６からモバイルデバイス２０４に測位支援データを送信し得る。モバイルデバイス２０４が（たとえば、前に説明された測位技法のうちの１つまたは複数を使用して）それのロケーションの推定値を計算する特定の実装形態では、メッセージインターフェースｉ／ｆ  ３は、ロケーションサーバ２０６にモバイルデバイス２０４からの計算されたロケーション推定値を送信し得る。別の実装形態では、メッセージインターフェースｉ／ｆ  ３は、ＬＳ２０６にモバイルデバイス２０４からの（モバイルデバイス２０４によって取得され、および／またはＡＬＮ２０２によって取得され、およびモバイルデバイス２０４に搬送され得る）アクセスネットワーク関連測定値を送信し、ならびに／あるいはモバイルデバイス２０４にＬＳ２０６からの（たとえば、アクセスネットワーク関連測定値に少なくとも部分的に基づいて計算される）モバイルデバイス２０４の推定ロケーションを送信し得る。そのようなアクセスネットワーク関連測定値は、必ずしも限定されるとは限らないが、（ｉ）モバイルデバイス２０４によって送信され、ＡＬＮ２０２によって受信および測定された信号、ならびに／または（ｉｉ）ＡＬＮ２０２によって送信され、モバイルデバイス２０４によって受信および測定された信号のＲＴＴ、ＲＳＳＩおよび到来角の上述の測定値を含み得る。
【００４２】
[00050]（ワイヤレス信号インターフェースを備え得、メッセージを明示的に搬送しないことがある）メッセージインターフェースｉ／ｆ  ２は、たとえば、ワイヤレスアクセス通信リンク上でＡＬＮ２０２とモバイルデバイス２０４との間でメッセージおよび／または無線信号を送信し得る。メッセージインターフェースｉ／ｆ  ２上で送信された任意の無線信号は、受信側エンティティによって測定され、および／あるいはＲＳＳＩ、ＲＴＴ、擬似距離、タイミング差、到来角またはモバイルデバイス２０４のおよび／またはＡＬＮ２０２の要素（たとえば、ＡＬＮ２０２内のＡＰまたはフェムトセル）のロケーション態様（たとえば、ロケーション座標）が取得されることを可能にし得る他の測定値を取得するために、初期送信エンティティによって測定され得る応答を開始し得る。メッセージインターフェースｉ／ｆ  ２はまた、ＡＬＮ２０２からモバイルデバイス２０４にブロードキャストまたはユニキャストされる測位支援データを送信し得、ここにおいて、測位支援データは、ＬＳ２０６からＡＬＮ２０２によって取得され得るか、あるいはさもなければ（たとえば、図２中に示されていないネットワーク管理エンティティによって）ＡＬＮ２０２中にプロビジョニングされ得る。
【００４３】
[00051]メッセージインターフェースｉ／ｆ  １は、ＮＣ測位手法において使用され得、たとえば、ＡＬＮ２０２のカバレージエリア（たとえば、それはベニューと合致し得る）内のモバイルデバイス（たとえば、ＭＤ２０４）から測定値を検出し取得することと、ＡＬＮ２０２による使用のために（たとえば、モバイルデバイス２０４の位置を特定するために）ＡＬＮ２０２内の要素に測位支援データを与えることとを行うようにＡＬＮ２０２を構成するメッセージか、あるいは（たとえば、ブロードキャストまたはユニキャストを介して）モバイルデバイス２０４に搬送されるべきメッセージを含むメッセージを、ＬＳ２０６からＡＬＮ２０２に送信し得る。ネットワーク中心適用例では、メッセージインターフェースｉ／ｆ  １はまた、たとえば、ベニューでのモバイルデバイスの推定ロケーションをＬＳ２０６が検出または計算することを可能にするために、ＡＬＮ２０２からＬＳ２０６に測定値を送信し得る。
【００４４】
[00052]いくつかの実装形態では、ＬＳ２０６は、メッセージインターフェースｉ／ｆ  １を使用してＡＬＮ２０２内の個別のＡＰおよびフェムトセルと直接通信し得る。他の実装形態では、ＬＳ２０６は、ＡＬＮコントローラまたはルータなど、メッセージインターフェースｉ／ｆ  １を使用してＡＬＮ２０２内の１つまたは複数の中間エンティティと通信し得る。後者の実装形態に対して、中間エンティティは、ＬＳ２０６から受信された通信をＡＬＮ２０２内の個別のＡＰおよびフェムトセルに転送し得、ＡＬＮ２０２内の個別のＡＰおよびフェムトセルから受信された通信をＬＳ２０６に同様に転送し得る。いくつかの場合には、中間エンティティはまた、たとえば、いくつかのまたは多くのＡＰおよびフェムトセルから受信された情報をＬＳ２０６に転送する前に組み合わせることと、ＬＳ２０６から受信された情報をＡＬＮ２０２内のＡＰおよびフェムトセルに転送する前に簡略化およびフィルタリングすることと、ＬＳ２０６から受信された通信を適切なＡＰおよびフェムトセルにルーティングすることとによって、通信を強化し得る。
【００４５】
[00053]メッセージインターフェースｉ／ｆ  ６は、ＡＬＮ２０２に対する基地局アルマナックデータを含む測位支援データをＬＳ２０６に搬送し得る（たとえば、モバイルデバイスを配置し、および／または支援データをモバイルデバイスに送信するようにＬＳ２０６を支援し得る）メッセージを、ＡＬＮ  ＤＢ２０８からＬＳ２０６に送信し得る。メッセージインターフェースｉ／ｆ  ６はまた、ＡＬＮ  ＤＢ２０８にＬＳ２０６からのクラウドソーシングデータを送信し得る。クラウドソーシングデータは、ベニューまたは他のエリア内のモバイルデバイス２０４などのクライアントモバイルデバイスからＬＳ２０６によって収集された、ＡＬＮ２０２内のアクセスポイント（たとえば、ＩＥＥＥ８０２．１１アクセスポイント）および／またはフェムトセルに対する、ロケーション、識別情報および送信特性に関する測定値および他のデータを含み得る。
【００４６】
[00054]特定の実装形態では、ＡＬＮ２０２中のデバイス（たとえば、ＩＥＥＥ８０２．１１アクセスポイント、フェムトセルトランシーバまたはＢｌｕｅｔｏｏｔｈデバイス）は、ベニューでのモバイルデバイス２０４の存在またはロケーションを検出および報告するようにメッセージインターフェースｉ／ｆ  １を使用してＬＳ２０６によって構成され得る。たとえば、ＬＳ２０６は、モバイルデバイスを検出し、デフォルトモードでベニューに入る検出されたモバイルデバイスについて報告する（たとえば、３０秒ごとにすべての検出されたモバイルデバイスのロケーションについて報告する）ようにデバイスを構成し得る。ＬＳ２０６は、他のモードで特定のモバイルデバイスについて報告する（たとえば、測定された信号ＲＴＴまたはＲＳＳＩにおける何らかの変化など、特定の事前定義されたトリガ条件が発生する場合に、より低いかまたはより高い頻度で報告する）ようにデバイスを構成し得る。
【００４７】
[00055]メッセージインターフェースｉ／ｆ  ９は、モバイルデバイス２０４の位置を特定すること、および／またはモバイルデバイス２０４のロケーションをＬＢＳ  ＡＳ２１２など、別のエンティティに搬送することに関するプライバシー要件をＰＰＤ２１４に照会するためにＬＳ２０６によって使用され得る。メッセージインターフェースｉ／ｆ  ９は、同様にまたは代わりに、ＬＳ２０６によって後で使用されるために、１つまたは複数のモバイルデバイスに対するプライバシールールおよび要件をＬＳ２０６に搬送するために、ＰＰＤ２１４によって使用され得る。たとえば、プライバシールールおよび要件は、（たとえば、図２に示されていない、ネットワーク管理システムによってＰＰＤ２１４内に構成されるように）これらのルールおよび要件における変化に応答して、ＬＳ２０６に転送され得る。
【００４８】
[00056]特定の実装形態では、ＬＢＳ  ＡＳ２１２は、デフォルトモードで新たに検出された（たとえば、ＡＬＮ２０２によってＬＳ２０６に報告された）モバイルデバイスについて報告する（たとえば、３０秒ごとにすべてのモバイルデバイスについて報告する）ようにＬＳ２０６を構成し得る。ＬＢＳ  ＡＳ２１２はまた、他のトリガ条件に応答して特定のモバイルデバイスについての報告またはすべてのモバイルデバイスについての報告を与えるようにＬＳ２０６を構成し得る。モバイルデバイスがベニューの特定の一部分（たとえば、ショッピングモール中の特定の店または空港中の特定のゲートエリア）に出入りしたときを検出すること、あるいはモバイルデバイスが何らかの前に報告されたロケーションからある距離を移動したときを検出することなど、複雑なトリガ条件を含むトリガ条件およびトリガ検出がＬＳ２０６内に実装され得る。ＬＳ２０６は、次に、ＡＬＮ２０２中におよび／またはモバイルデバイス２０４中にいくつかのトリガ条件を構成し得、それは、次いで、ＬＳ２０６に、ベニューに入るこれらのトリガ条件（たとえば、モバイルデバイス２０４の検出）に関連するデータまたはモバイルデバイス２０４の周期的ロケーションを報告して返し得る。しかしながら、いくつかの実装形態では、ＬＳ２０６は、（ｉ）ＡＬＮ２０２および／またはモバイルデバイス２０４でのリソース使用量を低減すること、（ｉｉ）モバイルデバイス２０４および場合によってはＡＬＮ２０２でのバッテリー寿命を節約すること、（ｉｉｉ）ＡＬＮ２０２および／またはモバイルデバイス２０４の実装（および場合によってはコスト）を簡略化すること、ならびに／あるいは（ｉｖ）ＡＬＮ２０２およびモバイルデバイス２０４中の要素への頻繁なアップグレードおよびそれの交換を回避することを行うために、ＡＬＮ２０２および／またはモバイルデバイス２０４により単純なトリガ条件の処理を委任しながら、より複雑なトリガ条件をサポートし得る。ＬＳ２０６、ＡＬＮ２０２およびモバイルデバイス２０４での可能な構成されたトリガには、たとえば、ほんの数例を挙げると、（何らかの定義された固定エリアまたは別のモバイルデバイスの現在のロケーションに対して定義される何らかの非固定エリアを備え得る）ジオフェンス内に単一のモバイルデバイスが出入りするかまたはその中にとどまること、ジオフェンスに出入りするかまたはその中にとどまるモバイルデバイスの最小または最大数、特定の時間ウィンドウ中のまたは特定の時間におけるモバイルデバイスまたはモバイルデバイスのセットの存在および／またはロケーションがあり得る。
【００４９】
[00057]モバイルデバイス２０４は、ＡＬＮ２０２中の１つまたは複数の要素（たとえば、既存の低レベルＩＥＥＥ８０２．１１もしくはＢｌｕｅｔｏｏｔｈ（ＢＴ）シグナリングを使用するアクセスポイント（ＡＰ）、またはセルラーサービスシグナリングを使用するフェムトセルトランシーバ）によって、一定のエリア（たとえば、ベニューエリア）に入ることが検出され得る。たとえば、ＡＬＮ２０２中のＡＰは、一定のエリア内にあることが予期される特定のモバイルデバイスによって送信された信号の、または一定のエリア内で検出され得るすべてのモバイルデバイスの、測定を行うように構成され得る。ここで、ＡＬＮ２０２中のＡＰは、ＬＳ２０６にメッセージ（たとえば、検出されたモバイルデバイス２０４のＭＡＣアドレスおよびモバイルデバイス２０４から受信された信号の随意の測定値を指定するメッセージ）を送信し得る。ＬＳ２０６は、次いで、モバイルデバイス２０４の推定ロケーションを計算し、ロケーションおよび他のデータそのような時刻およびモバイルデバイス２０４のＭＡＣアドレスを記憶し、ならびに／またはＬＢＳ  ＡＳ２１２にこのデータを報告し得る。注目する任意の特定のモバイルデバイスについて、ＬＳ２０６は、識別情報（たとえば、ＭＡＣアドレス、ＩＰアドレスなどの識別子）、最後の既知のロケーション、ロケーション履歴、現在の方位および速度、最後のサービングＡＰまたはモバイルデバイスの能力を維持し得る。ＬＳ２０６とモバイルデバイス２０４との間の対話がＯＭＡ  ＳＵＰＬに少なくとも部分的に従って定義される特定の一実装形態では、モバイルデバイス２０４の能力には、ＬＰＰおよびＬＰＰｅなどのいくつかの測位プロトコルならびにＡ−ＧＮＳＳ、ＯＴＤＯＡ、ＡＦＬＴおよび／またはＥ−ＣＩＤなどのいくつかの測位方法を実行することが可能であることが含まれ得る。ＬＳ２０６は、（たとえば、モバイルデバイスまたはＡＬＮ２０２から受信されたメッセージのコンテンツからの）一定のエリア中で検出されたモバイルデバイスに関する情報をＬＢＳ  ＡＳ２１２に転送し得る（たとえば、上記で説明したようにこれのために構成されている場合）。ＬＢＳ  ＡＳ２１２はまた、たとえば、モバイルデバイス（たとえば、モバイルデバイス２０４）へのロケーションアウェアコンテンツの配信において使用するための、および／あるいはベニューへのビジターに関する分析データを維持、開発または更新することを行う際に使用するためのＬＳ２０６から受信された情報を記憶し得る。
【００５０】
[00058]特定の実装形態では、モバイルデバイス２０４は、たとえば、（ｉ）ＡＬＮ２０２から受信されたブロードキャスト情報を介してＬＢＳ  ＡＳ２１２のＵＲＬまたはＩＰアドレスを取得するモバイルデバイス２０４上にアプリケーションがホストされること、（ｉｉ）特定のベニューまたは他のエリアがモバイルデバイス２０４によって、またはモバイルデバイス２０４のユーザによって検出されたことをアプリケーションが（たとえば、ユーザ入力を介して）通知されるとすぐに、他のエリアの１つまたは複数のベニューのためのＬＢＳ  ＡＳ２１２と対話するように事前に構成された、モバイルデバイス２０４上にホストされるべき専用アプリケーションをユーザがダウンロードすること、あるいは（ｉｉｉ）ユーザが特定のベニューまたは他のエリア内にいることに気づいたことに応答して、（たとえば、ベニュー固有のウェブサイトにアクセスすることによって）ユーザインターフェースブラウザを介してユーザがＬＢＳ  ＡＳ２１２にアクセスすることなどのいくつかの技法のうちのいずれか１つを使用してＬＢＳ  ＡＳ２１２を発見し得る。ＬＢＳ  ＡＳ２１２を発見するための任意の特定のそのような技法では、ユーザは、モバイルデバイス２０４上にホストされたアプリケーションとの対話もしくはモバイルデバイスブラウザを介したアプリケーションとの対話を介してまたは他の手段によって、モバイルデバイス２０４からＬＢＳ  ＡＳ２１２への通信を開始し得る。特定の実装形態では、モバイルデバイス２０４とＬＢＳ  ＡＳ２１２とは、（ｉ）ＬＢＳ  ＡＳ２１２によってモバイルデバイス２０４の識別情報を取得し認証すること、（ｉｉ）モバイルデバイス２０４によってＬＢＳ  ＡＳ２１２に対する（たとえば、ベニューの所有者または事業者の）識別情報を取得し認証すること、（ｉｉｉ）モバイルデバイス２０４の１つまたは複数の識別情報またはアドレス（たとえば、ＩＰアドレス、ＭＡＣアドレス、国際モバイル加入者識別情報（ＩＭＳＩ）、公開ユーザＳＩＰアドレス、ログオン識別情報または課金関連識別情報）をＬＢＳ  ＡＳ２１２に与えること、（ｉｖ）モバイルデバイス２０４にとってＬＢＳ  ＡＳ２１２から入手可能な（たとえば、ロケーションベースサービスを含む）サービスをユーザまたはモバイルデバイス２０４上にホストされたアプリケーションに示すこと、（ｖ）（たとえば、いくつかの同意されたサービスのプロビジョンに関連して）モバイルデバイス２０４が位置を特定されることについてのユーザ許可を与えること、（ｖｉ）モバイルデバイス２０４に何らかの初期マップデータを与えること、（ｖｉｉ）（たとえば、ＡＬＮ２０２の要素によってブロードキャストされない場合、あるいはモバイルデバイス２０４によって知られているＨ−ＳＬＰまたはＤ−ＳＬＰから入手可能でない場合）モバイルデバイス２０４にＬＳ２０６のアドレスを与えること、および／または（ｖｉｉｉ）ＬＢＳ  ＡＳ２１２にモバイルデバイス２０４のロケーション決定および測位能力（たとえば、場合によっては、インターフェースｉ／ｆ  ３上でのＳＵＰＬ、ＬＰＰおよびＬＰＰｅのサポートを含むインターフェースｉ／ｆ  ３のサポートに関係する能力）を与えることを行うため���対話し得る。この対話の後、ＬＢＳ  ＡＳ２１２は、モバイルデバイス２０４のＩＰアドレス、ＭＡＣアドレスおよび／または他の識別情報などのモバイルデバイス２０４から取得された情報と、インターフェースｉ／ｆ  ３を使用したＬＳ２０６との（たとえば、ＳＵＰＬを介した）測位関連対話をサポートするというモバイルデバイスの能力と、場合によっては、モバイルデバイス２０４からＬＢＳ  ＡＳ２１２によって受信された場合にモバイルデバイス２０４の初期ロケーションとを与えるメッセージをＬＳ２０６に送信し得る。ＬＢＳ  ＡＳ２１２はまた、同意されたかまたは好適なサービスのプロビジョニングを可能にし、将来のロケーション決定要求をサポートするために、モバイルデバイス２０４の属性（たとえば、識別子、推定ロケーション、ロケーション決定能力など）を記憶し得る。本明細書で説明されるＬＢＳ  ＡＳ２１２とモバイルデバイス２０４との間の対話は、ＬＢＳ  ＡＳ２１２によるモバイルデバイス２０４の登録（たとえば、それは、ＬＢＳ  ＡＳ２１２によってサポートされるベニューまたは他のエリアにモバイルデバイス２０４が入る前に実行され得る）によって関連付けられ得るか、または容易にされ得る。そのような登録に続いて、ＬＢＳ  ＡＳ２１２は、モバイルデバイス２０４がＬＢＳ  ＡＳ２１２によってサポートされるベニューまたは他のエリア内にない間でさえも、モバイルデバイス２０４に対するデータを維持し得る。そのような登録は、メッセージインターフェースｉ／ｆ  ４上の、モバイルデバイス２０４とＬＢＳ  ＡＳ２１２との間の今説明した対話を簡略化および高速化し、モバイルデバイス２０４へのＬＢＳ  ＡＳ２１２による改善されたサービスサポートを可能にし得る。
【００５１】
[00059]特定の実装形態では、モバイルデバイス２０４の推定ロケーションにより、モバイルデバイス２０４上にホストされたアプリケーションまたはブラウザが、特定のベニューによって与えられる（たとえば、図２中のＬＢＳ  ＡＳ２１２によって与えられる）何らかのサービスまたは任意の特定のベニューとは無関係に与えられる何らかのサービスをサポートすることが可能になるか、またはそれが可能になるのが助けられ得る。ここで、たとえば、モバイルデバイス２０４上にホストされたブラウザまたはアプリケーションは、好適な高レベルオペレーティングシステム（ＨＬＯＳ）アプリケーションプログラミングインターフェース（ＡＰＩ）を使用してモバイルデバイス２０４のロケーションの推定値を要求し得、これは、モバイルデバイス２０４上の測位エンジンまたはロケーションエンジンへの（たとえば、ＨＬＯＳからの）要求につながり得る。測位エンジンまたはロケーションエンジンは、Ａ−ＧＮＳＳ、ＯＴＤＯＡ、ＡＦＬＴなどの様々な測位方法ならびに／あるいはＷｉＦｉ  ＡＰおよび／またはＢＴ  ＡＰ測定値の使用ならびに／あるいはモバイルデバイス２０４内に含まれている慣性センサ（たとえば、加速度計、ジャイロスコープ、気圧計、コンパスなど）の使用を使用してモバイルデバイス２０４の推定ロケーションを取得し得、これは、たとえば、Ｈ−ＳＬＰとの対話および／またはベニューＤ−ＳＬＰ（たとえば、図２中のＬＳ２０６）との対話を伴い得る。
【００５２】
[00060]ベニュー中の測位サポートは、（ｉ）モバイルデバイス２０４に対するＨ−ＳＬＰ、（ｉｉ）モバイルデバイス２０４に対するＨ−ＳＬＰからすでに発見された、および／またはそれによって認可されたＤ−ＳＬＰ、または（ｉｉｉ）ＡＬＮ２０２中のＡＰおよび／またはフェムトセルからブロードキャストまたはユニキャストされた情報（たとえば、ＬＳ２０６に対するＵＲＬ）から、モバイルデバイス２０４によるまたはモバイルデバイス中の測位エンジンによる、ＬＳ２０６など、ベニューに対するＬＳ（たとえば、Ｄ−ＳＬＰ）の発見を含み得る。ＬＳ２０６などのＬＳの発見は、ベニューＬＳが、モバイルデバイス２０４に対するＨ−ＳＬＰまたは別のＤ−ＳＬＰより良好なロケーションサポートをモバイルデバイス２０４に与え得る場合に有用または必要となり得る。ここで、ベニューまたは他のエリアにおいて（測位支援データおよびロケーション関連コンテンツデータなどの）ロケーションサービスを取得するためにモバイルデバイス２０４上にホストされたアプリケーションがＬＢＳ  ＡＳ２１２と対話し、（たとえば、ＬＢＳ  ＡＳ２１２によって与えられるベニューマップ上でモバイルデバイス２０４のロケーションを決定するために）そのようなロケーションサービスを取得または利用するためにこのアプリケーションがモバイルデバイス２０４の推定ロケーションに依拠する場合、アプリケーションは、（たとえば、測位エンジン障害へのフォールバックとして、またはアプリケーションによって選好された場合、第１の選定として）ＬＢＳ  ＡＳ２１２にモバイルデバイス２０４の推定ロケーションを要求する追加のオプションを有し得る。そのような場合、ＬＢＳ  ＡＳ２１２は、ＬＳ２０６にモバイルデバイス２０４のロケーションを要求し得、ＬＳ２０６は、ＡＬＮ２０２からＬＳ２０６にパスされ戻されたロケーション結果または測定値を用いて、次いで、ＬＢＳ  ＡＳ２１２を介してモバイルデバイス２０４にパスされ戻された任意の計算されたロケーション推定値を用いて、モバイルデバイス２０４のネットワーク中心測位を実行することをＡＬＮ２０２に要求し得る。
【００５３】
[00061]特定の実装形態では、ＬＢＳ  ＡＳ２１２は、（たとえば、上記で説明したように）一部または全部のモバイルデバイスの位置を周期的に特定することをＬＳ２０６に要求し得る。これにより、（たとえば、ショッピングモールでどの店が最も人気があるのか、空港のどこで混雑が発生しているのか、病院のどこで追加の収容が必要とされ得るかを決定するために）様々なサービスならびに／あるいはベニューまたは他のエリア中のユーザに関する統計値の収集が可能になり得る。ＬＳ２０６は、複数の要求に対して１回だけＬＢＳ  ＡＳ２１２を認証し得る（たとえば、複数の要求とそれらの応答とが搬送され得るセキュアセッションを確立し得る）か、または個々の要求ごとにＬＢＳ  ＡＳ２１２を認証し得る。ＬＢＳ  ＡＳ２１２は、同様に、複数の要求に対して１回だけまたは個別の要求ごとにＬＳ２０６を認証し得る。ＬＳ２０６は、上記で説明したように、注目するモバイルデバイスの新しいロケーション推定値を取得するためにＡＬＮ２０２に更新された測定値を要求し得、および／またはＬＳ２０６によるＡＬＮ２０２の以前の構成に依拠し得、したがって、ＡＬＮ２０２は、ＬＳ２０６からのさらなる要求の必要なしにＬＳ２０６にモバイルデバイス（たとえば、モバイルデバイス２０４）の新しいロケーション報告を与える。ＬＳ２０６はまた、インターフェースｉ／ｆ  ３を使用してモバイルデバイス（たとえば、モバイルデバイス２０４）から直接ロケーション情報（たとえば、ロケーション推定値および／またはロケーション測定値）を取得し得る。ＬＳ２０６は、次いで、ＬＢＳ  ＡＳ２１２がこれらのモバイルデバイスにロケーション関連サービスを提供することを可能にするために、ＬＢＳ  ＡＳ２１２にモバイルデバイス２０４などのモバイルデバイスについての取得されたロケーション情報（たとえば、ロケーション推定値、ロケーション履歴）を戻し得る。
【００５４】
[00062]特定の実装形態では、ユーザは、（たとえば、モバイルデバイス２０４上にホストされたアプリケーションまたはブラウザを介して）ＬＢＳ  ＡＳ２１２にサービス（たとえば、マップデータ、ベニュー情報）を周期的に要求し得る。ＬＢＳ  ＡＳ２１２は、同じくまたは代わりに、（たとえば、モバイルデバイス２０４上にホストされたブラウザまたはアプリケーションを介した）ユーザ要求の必要なしに、およびいくつかのイベント（たとえば、ユーザが何らかのジオフェンスに出入りしたか、または環境条件の何らかの変化の後）によってトリガされると、ユーザにサービスを周期的にプッシュし得る。モバイルデバイス２０４は、上記で説明したように、モバイル中心手法またはネットワーク中心手法を使用してそのようなサービスを利用するために位置フィックスを取得し得る。
【００５５】
[00063]ＡＬＮ２０２によるベニューまたは他のエリアでのモバイルデバイス２０４の最後の検出の後のタイムアウト期間の後、および／または、モバイルデバイス２０４のロケーションがベニューまたは他のエリアの外側であるという決定の後に、ＬＳ２０６およびＬＢＳ  ＡＳ２１２は、それらの現在のデータセットからモバイルデバイス２０４の一部または全部の記憶された属性を削除し得る。ここで、いくつかの事例では、ＬＳ２０６中ではすべてのデータが削除され得るが、ＬＢＳ  ＡＳ２１２中では（たとえば、ユーザと合意した範囲で、およびＰＰＤ２１４によって与えられ得るかまたは確証され得るプライバシーポリシーが許す範囲で）何らかのデータが保持され得る。保持されたデータは、たとえば、将来の認証および課金サポートに役立ち、将来のサービスを提供するのに役立ち得る。
【００５６】
[00064]特定の実装形態では、すでに指摘したように、モバイルデバイス２０４は、ＬＢＳ  ＡＳ２１２に登録され得、ここで、ＬＢＳ  ＡＳ２１２は、モバイルデバイス２０４の一意の識別子（ＩＤ）（たとえば、ＩＭＳＩ、公開ＳＩＰユーザＩＤ、ＭＡＣアドレス）についての知識を有する。モバイルデバイス２０４についてのロケーション情報（たとえば、ロケーション推定値）を要求し得るか、または（モバイルデバイス２０４が何らかのジオフェンスに出入りしたなど）いくつかのトリガイベントに応答してそのようなロケーション情報を与えるようにＬＳ２０６を構成し得る、ＬＳ２０６へのＬＢＳ  ＡＳ２１２によって発行された後続の特定のサービス要求は、その特定の一意のＩＤに固有のものであり得る（またはロケーション情報が、特定のセット中のいずれかのモバイルデバイスまたはすべてのモバイルデバイスに対して必要とされる場合、モバイルデバイスのセットに対するＩＤに固有のものであり得る）。特定のモバイルデバイスがＬＢＳ  ＡＳ２１２に登録されない場合（たとえば、ここで、モバイルデバイスの一意のＩＤがＬＢＳ  ＡＳ２１２に知られていない）、ＬＳ２０６へのＬＢＳ  ＡＳ２１２による後続のサービス要求は、モバイルデバイス２０４の特定の一意のＩＤに固有のものではなく汎用的なものであり得、したがって、任意のモバイルデバイスに適用可能であり得る。任意の汎用のまたは特定のサービス要求について、ＬＢＳ  ＡＳ２１２は、ＬＳ２０６が１つまたは複数の特定のタイプのあらかじめ定義されたイベントに応答することを要求し得る。一実装形態では、ＬＢＳ  ＡＳ２１２は、ＬＳ２０６が固定時間に（たとえば、周期的に）１つまたは複数の識別されたモバイルデバイスの、または任意のモバイルデバイスの推定ロケーションを与えることを要求し得る。別の実装形態では、ＬＢＳ  ＡＳ２１２は、ＬＳ２０６が、識別されたモバイルデバイス２０４または任意のモバイルデバイスが特定の地理的ターゲットエリアを出入りすること、またはその中にとどまることについての検出を報告することを要求し得る。そのような特定の報告は、たとえば、単純なイベント通知を備え得るか、あるいは、たとえば、モバイルデバイス２０４の推定ロケーションおよび／またはモバイルデバイス２０４の識別情報など、より多くの情報を含み得る。ＡＬＮ２０２に関する別の特定の実装形態では、ＬＢＳ  ＡＳ２１２は、ＬＳ２０６が、識別されたモバイルデバイス２０４または任意のモバイルデバイスがＡＬＮ２０２によってカバーまたはサービスされたエリアを出入りすることについての検出を報告することを要求し得る。この特定の報告は、単純なイベント通知を備え得るか、あるいは、たとえば、モバイルデバイス２０４の推定ロケーションおよび／またはモバイルデバイス２０４の識別情報などのより多くの情報を含み得る。別の特定の実装形態では、ＬＢＳ  ＡＳ２１２は、ＬＳ２０６が、分析（たとえば、あらかじめ定義されたエリアを出入りすることを検出されたモバイルデバイスのレートに関する統計値あるいはあらかじめ定義されたエリア内で検出されたモバイルデバイスの数に関する統計値）をサポートする報告を与えることを要求し得る。ここで、ＬＢＳ  ＡＳ��１２は、ＬＳ２０６が、いくつかの特定の解析イベントの発生に応答して報告を与えることを要求し得る。たとえば、エリアまたはＡＬＮ２０２内で検出されたモバイルデバイスの数（または検出された到着および／または出発のレート）があるしきい値を超える場合、ＬＳ２０６は報告を与え得る。そのような報告は、単純なイベント通知、あるいはイベントおよび／またはそれらの識別情報に関連するモバイルデバイスの１つまたは複数のロケーションなどのより多くの情報を含み得る。ＬＢＳ  ＡＳ２１２にロケーション関連イベント通知および情報を与えるために、ＬＳ２０６は、ＡＬＮ２０２および／またはモバイルデバイス２０４にロケーション情報を要求し得、ならびに／あるいはＬＳ２０６にロケーション関連イベント通知および追加情報を与えるようにＡＬＮ２０２および／またはモバイルデバイス２０４を構成し得る。
【００５７】
[00065]一実施形態によれば、ネットワーク事業者またはベニュー事業者は、ＷｉＦｉまたはＢｌｕｅｔｏｏｔｈトランシーバデバイスに加えてまたはその代わりに、ＡＬＮ２０２の一部としてフェムトセルトランシーバを含むことを動機づけられることがある。公衆ネットワークではなくプライベートネットワークを形成し、ベニュー、建物、またはキャンパスなどの専用エリアをサービスするＡＬＮ内にフェムトセルを組み込むコストは、専用エリア内のユーザに対するワイドエリア通信を可能にし、ＷｉＦｉ  ＡＰなど、代替ＡＬＮデバイスによって可能にされる通信と比較して、（たとえば、干渉による）通信制約を低減するために、公衆ネットワーク事業者によって助成される場合がある。ＡＬＮ２０２の一部としてフェムトセルを配備することはまた、専用エリア内部で増加されたネットワークカバレージおよび能力を可能にすることと、専用エリア内で確実で正確なモバイルデバイスの位置特定を可能にすることと、公衆ネットワーク事業者がまた、ロケーションベースサービスなど、専用エリアに対する他のサービスのプロバイダとして活動する場合に付加的収入を可能にすることとによって、ネットワーク事業者に利益を与え得る。
【００５８】
[00066]ＡＬＮ２０２の一部としてフェムトセルトランシーバを組み込む特定の実装形態では、アーキテクチャ２００の部分の制御およびプロビジョンは、公衆ネットワーク事業者と、ベニューイントラネットまたはベニューロケーションサービスの事業者など、専用エリアに対するプライベート事業者との間で異なって割り振られる場合がある。特定の（ここではモデル「Ａ」と呼ばれる）一実装形態では、ＡＬＮ２０２は、公衆ネットワーク事業者によって制御／提供されてよく、一方でＬＳ２０６、ＬＢＳ  ＡＳ２１２、マップＤＢ２１０、ＡＬＮ  ＤＢ２０８、およびＰＰＤ２１４は、プライベート事業者（たとえば、ベニュー事業者）によって制御／提供される。ここで、公衆ネットワーク事業者は、（たとえば、フェムトセルの配備によって生じた専用エリア内の改善されたワイヤレスカバレージが、そのような助成に対する誘因を与える場合）フェムトセル機能がＡＬＮ２０２中に組み込まれることを承認し、フェムトセルの配備を助成する場合がある。この助成は、プライベート事業者の総コストを引き下げ得る。さらに、次いで、専用エリア内のユーザは、音声呼、データ呼および／またはビデオ呼を作成し、受信するため、およびインターネットにアクセスするための能力を含むワイドエリアネットワーク通信サービスにアクセスすることができる場合がある。
【００５９】
[00067]特定の（ここではモデル「Ｂ」と呼ばれる）別の実装形態では、ＡＬＮ２０２およびＬＳ２０６は、公衆ネットワーク事業者によって制御／提供されてよく、一方でＡＬＮ  ＤＢ２０８、マップＤＢ２１０、ＬＢＳ  ＡＳ２１２、およびＰＰＤ２１４は、プライベート事業者によって制御／提供されてよい。ここで、公衆ネットワーク事業者は、通信サービスのプロバイダであることに加えて、専用エリア内のロケーションベースサービスのプロバイダとなること（およびそのようなサービスに対する料金を課すこと）ができる。一態様では、ＬＳ２０６は、ＳＵＰＬロケーションプラットフォーム（ＳＬＰ）、Ｅ−ＳＭＬＣ、スタンドアロンサービングモバイルロケーションセンター（ＳＡＳ）、および／または位置決定エンティティ（ＰＤＥ）として実装される公衆ネットワーク事業者インフラストラクチャの一部であり得る。モデルＢでは、インターフェースｉ／ｆ  １は、既存のプロトコル、またはロケーションサーバと、ＡＮもしくはセルラー無線アクセスネットワーク（ＲＡＮ）内のデバイスとの間で使用するために規格化された既存のプロトコルの拡張を使用し得る。そのようなプロトコルの例は、３ＧＰＰ技術仕様（ＴＳ）３６．４５５で定義されたＬＴＥ測位プロトコルＡ（ＬＰＰａ）と、３ＧＰＰ  ＴＳ２５．４５３で定義されたＵＴＲＡＮ  Ｉｕｐｃインターフェース測位演算アプリケーションパート（ＰＣＡＰ：Positioning Calculation Application Part）プロトコルとを含む。
【００６０】
[00068]特定の（ここではモデル「Ｃ」と呼ばれる）別の実装形態では、ＡＬＮ２０２、ＬＳ２０６およびＡＬＮ  ＤＢ２０８は、公衆ネットワーク事業者によって制御／提供されてよく、一方でマップＤＢ２１０、ＬＢＳ  ＡＳ２１２、およびＰＰＤ２１４は、プライベート事業者によって制御／提供されてよい。この特定の実装形態では、ＡＬＮ  ＤＢ２０８は、（ｉ）プライベート事業者によって公衆ネットワーク事業者に提供された情報、（ｉｉ）（たとえば、ＡＰまたはフェムトセルによってサポートされるＡ−ＧＮＳＳまたは他の位置決め方法を使用して）ＡＰまたはフェムトセルトランシーバの自己ロケーションから導出されたロケーション推定値、および／または（ｉｉｉ）ＬＳ２０６を介するＡＬＮ  ＤＢ２０８へのクラウドソーシングを使用して与えられたモバイルデバイスから取得された情報からＡＬＮ  ＤＢ２０８によって導出されたＡＬＮ２０２中のＡＰおよびフェムトセルに対するロケーション推定値および／または他の情報を追加され（populated）得る。
【００６１】
[00069]特定の（ここではモデル「Ｄ」と呼ばれる）別の実装形態では、ＡＬＮ２０２、ＬＳ２０６、ＡＬＮ  ＤＢ２０８およびＬＢＳ  ＡＳ２１２は、公衆ネットワーク事業者によって制御／提供されてよく、一方でマップＤＢ２１０およびＰＰＤ２１４は、プライベート事業者によって制御／提供されてよい。この特定の実装形態では、プライベート事業者が、（マップＤＢ２１０を介する）マップデータおよび（ＰＰＤ２１４を介する）プライバシー要件の制御を維持し得ることを除いて、公衆ネットワーク事業者は、このエリアのプライベート事業者に代わって専用エリアに対する完全なロケーションベースサービス能力を提供および管理することができる。プライベート事業者は、サービスの詳細（たとえば、ＬＢＳ  ＡＳ２１２およびＬＳ２０６によってサポートされるロケーションベースサービスの詳細）をカスタマイズし得、公衆ネットワーク事業者は、カスタマイズされたサービスを取得するために、プライベート事業者が制御し得るカスタマイズ可能なパラメータを含む、一般的汎用サービス（common generic service）または一般的汎用サービスのセット（たとえば、店のための一汎用サービス、病院のための別の汎用サービス、空港のための別の汎用サービス、など）を提供し得る。この特定の実装形態では、公衆ネットワーク事業者は、ロケーションベースサービス（たとえば、ナビゲーション、方向探知、電話番号案内）をユーザに提供するために、ＬＢＳ  ＡＳ２１２と対話し得るモバイルデバイス２０４に対する１つまたは複数のアプリケーションを提供し得る。いくつかの実装形態では、ＬＳ２０６、ＡＬＮ  ＤＢ２０８およびＬＢＳ  ＡＳ２１２は、中央公衆ネットワーク事業者サイトに配置され、複数の専用エリア（たとえば、複数のベニュー）に対するロケーションベースサービスをサポートするために使用され、それによって公衆ネットワーク事業者の資本支出と事業コストとを節約することができる。
【００６２】
[00070]特定の（ここではモデル「Ｅ」と呼ばれる）別の実装形態では、ＡＬＮ２０２、ＬＳ２０６、ＡＬＮ  ＤＢ２０８、ＬＢＳ  ＡＳ２１２、マップＤＢ２１０およびＰＰＤ２１４は、すべて、公衆ネットワーク事業者によって制御／提供され得る。この実装形態は、モデル「Ｄ」と同様にサポートされ得るが、加えて、マップＤＢ２１０のためのマップデータおよびＰＰＤ２１４のためのプライバシー要件が、ベニュー所有者または事業者によるなど、専用エリアの所有者または事業者によって公衆ネットワーク事業者に供給される必要がある場合がある。
【００６３】
[00071]アーキテクチャ２００は、１つのＡＬＮ２０２、１つのＬＳ２０６、１つのＬＢＳ  ＡＳ２１２、１つのマップＤＢ２１０、１つのＡＬＮ  ＤＢ２０８、および１つのＰＰＤ２１４だけを含むように示されているが、ベニューまたは他のローカルエリア内のモバイルデバイスに対するかまたは関連するロケーションサービスをサポートするこれらの要素の各々が２つ以上存在してもよいことに留意されたい。たとえば、ベニューは、それぞれ負荷分担され、モバイルデバイスの異なるサブセットに対するロケーションをサポートするために使用され、および／または異なるタイプの測位方法を（たとえば、ＮＣ測位をサポートする１つのＬＳ２０６要素およびＭＣ測位をサポートする異なるＬＳ２０６要素を用いて）サポートするために使用され得る、いくつかのＬＳ２０６を有してよく、またはそれらへのアクセスを有してもよい。
【００６４】
[00072]特定の実施形態によれば、追加の特徴が、屋内測位動作におけるフェムトセルの有用性を改善または強化し得る。たとえば、ＡＬＮ２０２の一要素としてのフェムトセルは、ＬＴＥもしくはＷＣＤＭＡに対して、またはマルチメディアブロードキャストマルチキャストサービス（ＭＢＭＳ：Multimedia Broadcast Multicast Services）を使用して、システム情報ブロック（ＳＩＢ）の一部または拡張など、制御メッセージの一部として支援データ（たとえば、ＡＬＮアルマナックデータ）をモバイルデバイスにブロードキャストするように構成され得る。別の特定の実装形態では、ＡＬＮ２０２の一要素としてのフェムトセルは、任意のモバイルデバイスに対するＲＴＴの測定を容易にするように構成され得る。たとえば、ＵＭＴＳまたはＬＴＥシグナリングを使用する新しいプロトコルまたは手順は、サービングまたはノンサービングフェムトセルがモバイルデバイスに対するＲＴＴを測定することを可能にし、モバイルデバイスがフェムトセルに対するＲＴＴを測定することを可能にし、またはフェムトセルによって送信された信号に対してモバイルデバイスによるＯＴＤＯＡ測定のための改善されたサポートを提供することができる。
【００６５】
[00073]上記で指摘したように、ＩＥＥＥ規格８０２．１１ｘ通信プロトコルに従って他のデバイスとワイヤレスに通信可能なモバイルデバイスは、一意に割り当てられたＭＡＣアドレスを有し得る。ＮＣ測位技法の特定の実装形態では、（たとえば、ＩＥＥＥ規格８０２．１１ｘのアクセスポイント（ＡＰ）における）ネットワーク受信機は、モバイルデバイスソースに一意に割り当てられたＭＡＣアドレスを回復するために収集された信号を復調することによって収集された信号のモバイルデバイスソースを識別し得る。収集された信号の測定された属性（たとえば、ＲＳＳＩまたはＲＴＴ）に少なくとも部分的に基づいて、および場合によっては他のネットワーク受信機によって取得された同様の情報を使用して、ネットワークエンティティ（たとえば、ＬＳ２０６などのロケーションサーバ）は、モバイルデバイスソースの推定ロケーションを計算し得る。このロケーション決定は、モバイルデバイスがネットワークとの結合（association）を持たない（たとえば、ＡＬＮ２０２に対して非関連モードにある）ときでも可能であり得る。しかしながら、フェムトセルトランシーバは、フェムトセルによって明確にサポートされる通信プロトコルの一部として与えられるパラメータまたは表示だけに基づいてフェムトセルトランシーバにおいて収集された信号のモバイルデバイスソースを一意に識別することは、必ずしも可能であるとは限らない場合がある。これは、モバイルデバイスがネットワークに接続されておらず（たとえば、ＡＬＮ２０２に接続されておらず）、したがってネットワークに知られていない状況において、フェムトセルによって作成された測定値を使用してモバイルデバイスのロケーションを決定することを妨げる場合がある。この欠陥を改善するために、フェムトセルとモバイルデバイスとの間で明確にサポートされる１つまたは複数のプロトコルは、ＷｉＦｉ測定値をモバイルデバイスと関係づけるためにＷｉＦｉ  ＡＰがモバイルデバイスの受信されたＭＡＣアドレスを使用し得るのと同じ方法で、フェムトセルが、モバイルデバイスの測定値（たとえば、ＲＳＳＩ、ＲＴＴ）を特定のモバイルデバイスと関係づけることを可能にするために、モバイルデバイスの一意の識別情報（たとえば、一意のグローバルＩＤ）をフェムトセルに転送するように強化され得る。モバイルデバイスの一意の識別情報（ＩＤ）がフェムトセルに転送され得る可能なプロトコルは、３ＧＰＰ  ＴＳ３６．３３１で定義されるＬＴＥに対する無線リソース制御（ＲＲＣ）プロトコルと、３ＧＰＰ  ＴＳ２５．３３１で定義されるＵＭＴＳ（およびＷＣＤＭＡ）に対するＲＲＣプロトコルとを含む。一意のＩＤは、国際移動体装置識別番号（ＩＭＥＩ）、国際移動体加入者識別番号（ＩＭＳＩ）、またはパブリックユーザＳＩＰアドレス（public user SIP address）など、既存の一意のグローバルＩＤであり得る。しかしながら、既存のグローバルＩＤを使用することについて、いくつかの問題が存在する場合がある。１つの問題は、既存のグローバルＩＤは、ロケーションサービスを受信するためにネットワークまたはベニュー内のエンティティと対話し得るロケーションサーバまたは他のエンティティ（たとえば、モバイルデバイ���上のアプリケーション）に、グローバルＩＤを与える必要がある場合がある、モバイルデバイス内部の測位エンジンまたは測位プロセスに対して利用可能でない場合があることである。グローバルＩＤは、（たとえば、測位エンジンが、外部通信インターフェースをサポートするハードウェアチップまたはモデムに、モバイルデバイス内の異なるハードウェアチップ内で実装される場合）モバイルデバイス内のソフトウェアまたはハードウェアの制約のために、あるいは（たとえば、ユーザサブスクリプションを識別する加入者識別モジュール（ＳＩＭ）カードまたは汎用ＳＩＭ（ＵＳＩＭ）カードを持たないモバイルデバイスに対してなど）グローバルＩＤがモバイルデバイス内部で利用可能でないために、利用できない場合がある。第２の問題は、ユーザを識別することを比較的容易にする、ユーザ識別情報についての情報を、グローバルＩＤが搬送する場合があることである。ＲＲＣメッセージなど、モバイルデバイスによってフェムトセルに送信されるメッセージは、（少なくとも初期アクセスに対して）常に暗号化されるとは限らないので、モバイルデバイスのユーザの識別情報およびロケーションについての情報は、ユーザのプライバシーを脅かす他のユーザに利用可能になる場合がある。第３の問題は、いくつかのグローバルＩＤはモバイルデバイスに割り当てられない場合があることである。たとえば、公衆ワイヤレス事業者へのサブスクリプションを持たないモバイルデバイスは、ＩＭＳＩを持たない場合がある。３つすべての問題を克服するために、事業者、ベンダー、またはモバイルデバイスに対する、もしくはモバイルデバイス内の測位エンジンもしくは測位プロセスなど、モバイルデバイスのいくつかの構成要素に対するプロバイダに基づき、それらによって提供される、新しいタイプのグローバルＩＤがモバイルデバイスに割り当てられ得る。このタイプのグローバルＩＤは、本明細書ではグローバルプロバイダＩＤ（Ｐ−ＩＤ）と呼ばれる。一実施形態では、グローバルＰ−ＩＤは、モバイルデバイス内の測位エンジンまたは測位プロセスに割り当てられてよくまたは関連付けられてよく、その場合、全地球測位エンジン（ＰＥ）ＩＤと呼ばれることがある。別の実施形態では、グローバルＰ−ＩＤは、モバイルデバイス２０４に対するＩＭＥＩであり得る。
【００６６】
[00074]特定の実施形態によれば、図３は、測位動作（たとえば、ＮＣ測位動作）においてフェムトセルトランシーバに対して検出可能または可視であり得るモバイルデバイスにグローバルＰ−ＩＤを分配するためのシステム３００を示す概略図である。図３のシステム３００は、図２のアーキテクチャ２００のサブセットを備えてよく、グローバルＰ−ＩＤの分配に直接適用可能なエンティティおよびインターフェースだけが、示されている。図３の特定の実装形態では、エンティティおよびインターフェースは、図２のエンティティおよびインターフェースに対応し得、そこでは同じ番号が使用されている（たとえば、図３のモバイルデバイス２０４は、図２のモバイルデバイス２０４に対応し得るが、図３ではより多くの内部の詳細が示されている）。図３に示すように、モバイルデバイス２０４は、（ｉ）モバイルデバイス２０４のユーザにロケーション関連サービス（たとえば、ナビゲーション支援）を提供し、インターフェースｉ／ｆ  ４上でＬＢＳ  ＡＳ２１２と通信中であり得る１つまたは複数のアプリケーション（アプリ（App））３０４と、（ｉｉ）モバイルデバイス２０４のロケーションを決定するため、またはｉ／ｆ  ３上でＬＳ２０６と通信中であり得るモバイルデバイス２０４のロケーションをＬＳ２０６が決定するのを支援するための測位エンジン（ＰＥ）３０２と、（ｉｉｉ）ワイヤレスリンク上でインターフェースｉ／ｆ  ２を介してフェムトセルまたはＷｉＦｉ  ＡＰなど、ＡＬＮ２０２の要素にメッセージを送信し、その要素からメッセージを収集するためのモデム３０６とを備え得る。アプリ３０４、ＰＥ３０２およびモデム３０６は図３では論理的に別個であるように示され、それぞれ別個のハードウェアおよび／または別個のソフトウェアによってモバイルデバイス２０４内でサポートされ得るか、または代わりに、共通のハードウェアと場合によってはいくつかの共通のソフトウェアとを使用してサポートされ得る。ここで、ＰＥ３０２は、グローバルに一意のＰ−ＩＤを（たとえば、グローバルＰ−ＩＤに対するプロバイダに属するサーバのような外部ソースによってＰＥ３０２内で構成されるかまたはＰＥ３０２に与えられる情報から）決定し、決定されたグローバルに一意のＰ−ＩＤをアプリケーション３０４とモデム３０６とに分配することができる。他の実施形態では、グローバルＰ−ＩＤは、ＨＬＯＳ、アプリ３０４、モデム３０６またはモバイルデバイス２０４に対するＳＩＭカードもしくはＵＳＩＭカードのうちの１つなど、モバイルデバイス２０４内の別の要素の中に構成されてよく、またはそれに与えられてもよい。次いで、グローバルＰ−ＩＤが構成される要素、またはグローバルＰ−ＩＤが外部ソースによって与えられる要素は、ＰＥ３０２、モデム３０６、および１つまたは複数のアプリ３０４など、モバイルデバイス２０４内の他の要素にグローバルＰ−ＩＤを分配し得る。次いで、これらの他の要素は、ＡＬＮ２０２、ＬＳ２０６およびＬＢＳ  ＡＳ２１２などの他のエンティティにグローバルＰ−ＩＤを分配し得、モバイルデバイス２０４とグローバルＰ−ＩＤの両方と関連付けられ得るグローバルＰ−ＩＤを分配するときにモバイルデバイス２０４に対す��１つまたは複数の他の識別子（たとえば、ＭＡＶアドレスまたはアプリＩＤなど）を含めることができる。
【００６７】
[00075]図３は、前に説明されたインターフェースｉ／ｆ  １、ｉ／ｆ  ２、ｉ／ｆ  ３、ｉ／ｆ  ４およびｉ／ｆ  ５を使用してモバイルデバイス２０４の外部のエンティティにグローバルＰ−ＩＤと関連識別情報とを分配するために考えられる例のいくつかを示す。ｉ／ｆ  ２の場合、モデム３０６は、フェムトセルに送信されたいくつかのメッセージの中にグローバルＰ−ＩＤを含むか、またはＷｉＦｉもしくはＢＴ  ＡＰに送信されたいくつかのメッセージの中にＭＡＣアドレスを含むことができる。ｉ／ｆ  ３の場合、ＰＥ３０２は、ＬＳ２０６に送信されたいくつかのメッセージの中に、グローバルＰ−ＩＤおよび場合によってはＭＡＣアドレス、および／またはＩＭＳＩを含み得る。ｉ／ｆ  ４の場合、アプリ４０４は、ＬＢＳ  ＡＳ２１２に送信されたいくつかのメッセージの中に、グローバルＰ−ＩＤおよび場合によってはＭＡＣアドレス、ユーザＩＤ、および／またはアプリＩＤを含み得る。ｉ／ｆ  １の場合、ＡＬＮ２０２（たとえば、ＡＬＮ２０２の中のフェムトセルまたはＡＰ）は、ＬＳ２０６に送信されたいくつかのメッセージの中で、モデム３０６から受信された任意のグローバルＰ−ＩＤまたはＭＡＣアドレスを送信し得る。ｉ／ｆ  ５の場合、ＬＢＳ  ＡＳ２１２は、ＬＳ２０６に送信されたいくつかのメッセージの中で、アプリ２０４から受信された任意のグローバルＰ−ＩＤおよび／またはＭＡＣアドレスを送信し得る。ｉ／ｆ  １のいくつかの実装形態では、ＬＳ２０６は、ＬＢＳ  ＡＳ２１２に送信されたいくつかのメッセージの中で、ＰＥ３０２からまたはＡＬＮ２０２から受信された任意のグローバルＰ−ＩＤおよび／またはＭＡＣアドレスを送信し得る。
【００６８】
[00076]上記で説明され、図３で示されるグローバルＰ−ＩＤの分配は、いくつかのインターフェースがモバイルデバイス２０４に対する異なる識別情報をサポートするとき、モバイルデバイス２０４の識別を可能にし得る。たとえば、ＩＥＥＥ８０２．１１ｘ規格に基づくインターフェースｉ／ｆ  ２の特定の実施形態は、モバイルデバイス２０４が、ＡＬＮ２０２中のＷｉＦｉ  ＡＰ（たとえば、ローカルトランシーバ１１５）に送信されたメッセージ中のそのグローバルＰ−ＩＤではなく、そのＭＡＣアドレスを含むことを可能にし得る。ＬＴＥまたはＷＣＤＭＡに対する３ＧＰＰ規格に基づく図３のインターフェースｉ／ｆ  ２の別の実施形態は、モバイルデバイス２０４が、ＡＬＮ２０２中のフェムトセル（たとえば、フェムトセルトランシーバ１１０）に送信したメッセージ中のそのＭＡＣアドレスではなく、そのグローバルＰ−ＩＤを含むことを可能にし得る。ＷｉＦｉ  ＡＰおよびフェムトセルが、それぞれ、これらのメッセージを受信することに基づいてモバイルデバイス２０４に対するロケーション関連測定値のセットを作成する場合、測定値は、ＷｉＦｉ  ＡＰにおけるモバイルデバイス２０４のＭＡＣアドレスとフェムトセルにおけるモバイルデバイス２０４に対するグローバルＰ−ＩＤとに関連付けられ得る。すべての測定値が同じモバイルデバイス２０４に関連するものと決定するために（たとえば、ＬＳ２０６におけるモバイルデバイス２０４に対するロケーション推定値を決定するために測定値の両セットが組み合わされることを可能にするために）、モバイルデバイス２０４は、互いに関連するＭＡＣアドレスとグローバルＰ−ＩＤの両方を（たとえば、同じメッセージ、同じ手順、または同じセッションの中に両ＩＤを送信することによって）、インターフェースｉ／ｆ  ３を使用するＬＳ２０６またはインターフェースｉ／ｆ  ４を使用するＬＢＳ  ＡＳ２１２など、別のエンティティに送信し得る。次いで、受信エンティティは、関連ＩＤのペアを他のエンティティ（たとえば、ＡＬＮ２０２、ＬＳ２０６および／またはＬＢＳ  ＡＳ２１２）に送ることができ、それによって任意のエンティティが測定値の両セットを同じモバイルデバイス２０４と関係づけることを可能にする。グローバルＰ−ＩＤは、異なるモバイルデバイス識別情報が異なるデバイスによってサポートされるとき、ＡＬＮ内の異なるデバイス（たとえば、フェムトセルおよびＷｉＦｉ  ＡＰ）を使用して、ロケーションがモバイルデバイス２０４に対して決定されることをこのように可能にし得る。図３に示されるように、および適用可能な場合に、ＰＥ３０２、アプリケーション３０４、およびモデム３０６は、それぞれ、モバイルデバイス２０４に対するグローバルＰ−ＩＤ、および／またはＭＡＣアドレスなど、モバイルデバイス２０４に対する別の識別情報を、ＡＬＮ２０２、ＬＳ２０６およびＬＢＳ  ＡＳ２１２など、他のエンティティに与え得る。特定の実装形態では、ＬＳ２０６および／またはＬＢＳ  ＡＳ２１２は、それぞれ、モバイルデバイス２０４をＭＡＣアドレスまたはグローバルＰ−ＩＤのいずれか一方または両方と一意に関係づけることができる。これは、ＭＡＣアドレス（たとえば、測定値がＩＥ��Ｅ規格８０２．１１ｘ  ＡＰまたはＢＴ  ＡＰにおいて取得された場合）またはグローバルＰ−ＩＤ（たとえば、測定値がフェムトセルトランシーバにおいて取得され、グローバルＰ−ＩＤを含むかまたは場合によってはグローバルＰ−ＩＤと、たとえば前の信号を介して関連付けられるモデム３０６によって送信された信号を使用して作成される場合）のいずれかに基づいて、ＬＳ２０６がＡＬＮ２０２から報告された測定値をモバイルデバイス２０４と関係づけることを可能にし得る。さらに、ＬＢＳ  ＡＳ２１２はまた、ユーザＩＤまたはアプリケーションＩＤがモバイルデバイス２０４のアプリまたはユーザを識別するために同様にｉ／ｆ  ４上で使用されている場合でも、インターフェースｉ／ｆ  ４上でグローバルＰ−ＩＤを使用してモバイルデバイス２０４中のアプリ３０４を同様に識別し得る。たとえば、アプリ２０４が、ＬＢＳサービスを受信することを登録しながら、またはさもなければＬＢＳサービスを要求しながら、アプリＩＤもしくはユーザＩＤとグローバルＰ−ＩＤの両方をＬＢＳ  ＡＳ２１２に与える場合、ＬＢＳ  ＡＳ２１２は、ＬＳ２０６からモバイルデバイス２０４に対するロケーション情報を要求しながら、ならびに／あるいはモバイルデバイス２０４に対する、ＬＳ２０６から受信されたロケーションパラメータを受信および処理しながら、インターフェースｉ／ｆ  ５上でモバイルデバイス２０４を識別するためにグローバルＰ−ＩＤを使用し得る。これは、ＬＳ２０６が、アプリＩＤまたはユーザＩＤを使用してモバイルデバイス２０４を識別する必要を回避し得、代わりにＬＳ２０６が、グローバルＰ−ＩＤを使用してモバイルデバイス２０４を識別することを可能にし得る。
【００６９】
[00077]グローバルＰ−ＩＤは、モバイルデバイス２０４内で、およびモバイルデバイス２０４から他のエンティティに、次のように分配され得る。最初に、グローバルＰ−ＩＤのソースエンティティ（たとえば、ＰＥ３０２、モデム３０６、アプリ３０４、モバイルデバイス２０４に対するＨＬＯＳ、モバイルデバイス２０４上のＳＩＭもしくはＵＳＩＭカード、またはモバイルデバイス２００のハードウェア構成要素のいくつかの他のソフトウェア）は、内部構成データからまたは外部サーバ（たとえば、ソースエンティティに対するプロバイダ）からグローバルＰ−ＩＤを取得し得る。次に、ソースエンティティは、グローバルＰ−ＩＤをモバイルデバイス内の他のエンティティ（たとえば、限定はしないが、ＰＥ３０２、モデム３０６の１つまたは複数を含み、アプリ３０４はソースエンティティではない）に転送し得る。この転送は、モバイルデバイス２０４の内部のインターフェース（たとえば、アプリケーションプログラミングインターフェース）を使用し得る。その上、別のエンティティからグローバルＰ−ＩＤを受信するモバイルデバイス内のエンティティは、グローバルＰ−ＩＤをさらなるエンティティに中継し得る。たとえば、モデム３０６がグローバルＰ−ＩＤのソースである場合、モデム３０６はグローバルＰ−ＩＤをＰＥ３０２に転送し得、ＰＥ３０２はグローバルＰ−ＩＤを１つまたは複数のアプリ３０４に中継し得る。次いで、ＰＥ３０２は、グローバルＰ−ＩＤ、ならびに場合によってはＭＡＣアドレスおよび／またはＩＭＳＩなど、モバイルデバイス２０４に対する他のＩＤを、インターフェースｉ／ｆ  ３上でロケーションサーバ（ＬＳ）２０６（たとえば、それはＯＭＡ  ＳＵＰＬ  ＵＬＰプロトコルを使用してサポートされ得る）に転送することができる。モデム３０６は、グローバルＰ−ＩＤを、モデム３０６がＡＬＮ２０２内のフェムトセルに（ｉ／ｆ  ２上で）送信する信号またはメッセージの中に含み得る。これは、ＡＬＮ２０２内のフェムトセルが、グローバルＰ−ＩＤと関連付けられ得るモバイルデバイス２０４の測定値（たとえば、ＲＳＳＩ、ＲＴＴ、ＡＯＡ）を作成することを可能にし得る。次いで、ＡＬＮ２０２は、ＬＳ２０６からの要求がない場合、またはＬＳ２０６によって要求される場合のいずれかにおいて、グローバルＰ−ＩＤとともに測定値を（ｉ／ｆ  １上で）ロケーションサーバ（ＬＳ）２０６に報告し得る。ＬＳ２０６がインターフェースｉ／ｆ  ３上でモバイルデバイス２０４からグローバルＰ−ＩＤを、すでに受信しているかまたは後で受信する場合、ＬＳ２０６は、受信された測定値およびこれらから導出された任意のロケーションをモバイルデバイス２０４と関係づけることができ、次いで、ＮＣ測位方法を使用してモバイルデバイス２０４に対するロケーションを推定することができる。アプリ３０４は、たとえば、モバイルデバイス２０４のロケーションを含むかまたはそれに依存する場合があるロケーションサービスなど、ＬＢＳ  ＡＳ２１２からのロケーションサービスを登録または要求する場合、グローバルＰ−ＩＤをインターフェースｉ／ｆ  ４上でＬＢＳ  ＡＳ２１２に転送し得る。次いで、ＬＢＳ  ＡＳ２１２は、たとえば、ＬＳ２０６からモバイルデバイス２０４のロケーションを要求する場合、グローバルＰ−ＩＤを（ｉ／ｆ  ５上で）ＬＳ２０６に転送し得る。グローバルＰ−ＩＤは、すべてのインターフェース上ですべてのエンティティに与えられ得るので、エンティティは、モバイルデバイス２０４のグローバルＰ−ＩＤを知ることができ、取得された任意のロケーションパラメータはモバイルデバイス２０４に対するものであり、何らかの他のモバイルデバイスのものではないことを保証し、モバイルデバイス２０４に対する任意のロケーションパラメータはモバイルデバイス２０４にだけ戻され、何らかの他のモバイルデバイスに戻されることはないことを保証することができる。したがって、ＬＳ２０６が、モバイルデバイス２０４のロケーションに対する要求をＬＢＳ  ＡＳ２１２から受信し、要求がモバイルデバイス２０４のグローバルＰ−ＩＤを搬送している場合、ＬＳ２０６は、ＮＣ測位および／またはＭＣ測位を使用してモバイルデバイス２０４に対して導出された任意のロケーションをＬＢＳ  ＡＳ２１２に戻すことを可能にされ、ＬＢＳ  ＡＳ２１２は、次に、ロケーション情報をモバイルデバイス２０４上のアプリ３０４に戻すことができる。
【００７０】
[00078]上記で説明されたように、および以下の図４Ａの例示的なプロセスにおいて、グローバルＰ−ＩＤは、モバイルデバイス２０４に対するプロバイダ、またはＰＥ３０２もしくはモデム３０６など、モバイルデバイス内の何らかの構成要素もしくはエンティティに対するプロバイダによって少なくとも部分的に決定されてよく、公衆事業者が決定した識別子（たとえば、ＭＳＩＳＤＮ、ＩＭＳＩ）とは無関係に決定され得る。上記で指摘したように、これは、他のグローバルに一意のＩＤが利用可能でないとき、またはロケーションサービスをモバイルデバイス２０４に提供することに関わるすべてのエンティティ（たとえば、図３に示されるエンティティなど）に分配され得ないとき、モバイルデバイス２０４へのロケーションサービスのプロビジョンを可能にし得る。
【００７１】
[00079]図４Ａは、一実施形態による、グローバルな一意の識別子を分配するためのプロセス４００の流れ図である。そのようなグローバルな一意の識別子は、グローバルＰ−ＩＤであってよく、または公衆ネットワーク事業者によって割り当てられる任意のグローバル識別子（たとえば、ＩＭＳＩ、ＭＳＩＳＤＮ、またはパブリックユーザＳＩＰ識別情報）とは異なり、それとは無関係である何らかの他のグローバル識別子であってよい。非限定的な例示的な実装形態を示すために、プロセス４００で実行される特定のアクションは、モバイルデバイス２０４などのモバイルデバイスによって、またはモバイルデバイス２０４内のエンティティもしくは構成要素（たとえば、ＰＥ３０６、モデム３０２、またはアプリ３０４など）によって全体的もしくは部分的に実行され得る。ブロック４０２において、ベニュー内でフェムトセルトランシーバ（たとえば、ＡＬＮ２０２内のフェムトセル）によって認識可能なグローバルな一意の識別子（ＩＤ）が、モバイルデバイスに対して決定され得る。上記で説明されたように、そのようなグローバルな一意のＩＤは、ＮＣ測位技法などの測位動作において有用であり得る。ブロック４０４において、モバイルデバイス（たとえば、モバイルデバイス内のＰＥ３０２などの測位エンジン）は、ブロック４０２において決定されたグローバルな一意のＩＤを含むロケーションサーバに（たとえば、インターフェースｉ／ｆ  ３上でＬＳ２０６に）少なくとも１つのメッセージを送信し得る。
【００７２】
[00080]図４Ｂは、一実施形態による、測位動作中にブロック４０４において送信されたグローバルな一意の識別子を利用して、ロケーションサーバ（たとえば、ＬＳ２０６）によって実行されるプロセス４２０の流れ図である。特定の実装形態では、上記で指摘したように、ブロック４２２において決定されたグローバルな一意のＩＤが受信されると、ロケーションサーバは、ブロック４２４において、モバイルデバイスによって送信され、決定されたグローバルな一意のＩＤを搬送するかまたはそれと関連付けられた信号をモニタするように、少なくとも１つのフェムトセルトランシーバを含むＡＬＮの要素（たとえば、ＡＬＮ２０２）を構成することができる。ブロック４２４は随意であり、プロセス４２０のすべての実施形態において発生するわけではない。プロセス４００中のブロック４０６において、モバイルデバイス（たとえば、モバイルデバイス内のモデム３０６などのモデム）は、ブロック４０２において決定されたグローバルな一意の識別子を有する１つまたは複数のワイヤレス信号を、アクセス／ロケーションネットワークの要素（たとえば、ＡＬＮ２０２）に送信し得る。この送信は、たとえば、ＵＭＴＳをサポートするように構成されたＨＮＢまたはＬＴＥをサポートするように構成されたＨｅＮＢなどのフェムトセルトランシーバに対して、インターフェースｉ／ｆ  ２上で発生し得る。１つまたは複数のワイヤレス信号は、ブロック４０２において決定されたグローバルな一意の識別子を用いて符号化され得、および／またはそれによって変調され得る。特定の一実装形態では、グローバルな一意の識別子は、ＷＣＤＭＡに対するＲＲＣメッセージまたはＬＴＥに対するＲＲＣメッセージなど、モデム３０６によって送信されるメッセージ中に含まれ得る。次いで、グローバルな一意の識別子は、通常の信号復調および復号によって（たとえば、フェムトセルトランシーバによって）取得され得る。送信された信号を収集すると、ベニュー内の少なくとも１つのフェムトセルトランシーバは、ロケーションサーバと通信中のフェムトセルトランシーバによって１つまたは複数の測位動作（たとえば、ＮＣ測位技法）をサポートするために、グローバルな一意の識別子を取得し得る。たとえば、フェムトセルトランシーバは、ブロック４０６において送信されたワイヤレス信号の、および／またはブロック４０６において送信された信号および（たとえば、共通の手順の一部であることによって）グローバルな一意のＩＤと関連付けられ得るモバイルデバイスによって送信された他のワイヤレス信号の、１つまたは複数の特性（たとえば、ＲＴＴ、ＲＳＳＩ、ＡＯＡ）の１つまたは複数の測定値を作成し得る。次いで、フェムトセルトランシーバは、１つまたは複数の測定値とグローバルな一意の識別子とを備えるメッセージをロケーションサーバに送信し得る。ロケーションサーバは、プロセス４２０のブロック４２６において、フェムトセルトランシーバからメッセージを受信し得る。次いで、ロケーションサーバは、ブロック４２６において受信されたメッセージ中で取得された測定値に少なくとも部分的に基づいて、ブロック４２８においてモバイルデバイスに対する測位動作を実行し得る。他の場所で指摘されたように、そのような測定値は、ほんの数例を挙げると、たとえばＲＳＳＩ、ＡＯＡ、またはＲＴＴ測定値など、いくつかのタイプの測定値のうちの任意の１つを備え得る。測位動作は、たとえば、モバイルデバイスに対する位置フィックスまたはＮＣ測位技法を使用する他のロケーションベースサービスの計算を含み得る。ただし、これらは測位動作の例にすぎず、請求する主題はこれらの点について限定されないことを理解されたい。
【００７３】
[00081]図５および図６に関して後で示されるように、ロケーションサーバとの通信（たとえば、プロセス４２０のブロック４２６において）は、（ｉ）フェムトセルトランシーバがＵＭＴＳに従って構成されたＨＮＢであるときに測位演算アプリケーションパート（ＰＣＡＰ）メッセージを、または（ｉｉ）フェムトセルトランシーバがＬＴＥに従って構成されたＨｅＮＢであるときにＬＴＥ測位プロトコルＡ（ＬＰＰａ）メッセージを、送信および受信することを備え得る。ここで、ブロック４０４においてモバイルデバイスによって送信され、ブロック４２２において受信されたメッセージ内に含まれる、ブロック４０２において決定されたグローバルな一意の識別子は、フェムトセルトランシーバに対して可視であるか、またはフェムトセルトランシーバによって回復可能であり、フェムトセルトランシーバが、メッセージを符号化する１つまたは複数の信号の特定の測定値をモバイルデバイスと関係づけることを可能にし得る。
【００７４】
[00082]プロセス４００およびプロセス４２０の別の実施形態では、フェムトセルトランシーバは、グローバルな一意のＩＤを含まないかまたは符号化しないが、モバイルデバイスとフェムトセルトランシーバとの間で共通の手順、共通のセッションまたは共通の結合の一部であることによって、グローバルな一意のＩＤを含むかまたは符号化する１つまたは複数の信号と関連付けられたモバイルデバイスによって送信された１つまたは複数の他の信号の測定値を作成し得る。たとえば、共通の手順は、ＬＴＥに対するＲＲＣ手順またはＷＣＤＭＡに対するＲＲＣ手順を備え得る。上記で説明されたように、たとえば、フェムトセルトランシーバは、グローバルな一意の識別子を含むかまたは符号化する収集された１つまたは複数の信号および／またはグローバルな一意の識別子を含まないかまたは符号化しない１つまたは複数の他の信号から、１つまたは複数の測定値（たとえば、ＲＳＳＩ、ＲＴＴまたはＡＯＡの測定値）を取得し得る。次いで、フェムトセルは、収集された１つまたは複数の信号から取得されたグローバルな一意の識別子と組み合わされたまたは関連付けられた１つまたは複数の測定値を含むロケーションサーバに、１つまたは複数のメッセージ（たとえば、ＰＣＡＰメッセージまたはＬＰＰａメッセージ）を送信し得る。同じく、ブロック４０６において送信された１つまたは複数のワイヤレス信号は、任意のフェムトセルトランシーバからの要求なしに、フェムトセルトランシーバ（またはセルラーワイヤレス信号を収集可能な他のデバイス）に送信され得る。したがって、モバイルデバイスは、ＡＬＮ中のデバイスからの初期要求に応答することなく、グローバルな一意のＩＤを使用してメッセージ中でそれ自体を識別し得る。
【００７５】
[00083]プロセス４００の一実施形態では、フェムトセルは、フェムトセルによってサポートされたネットワークへの（たとえば、ＡＬＮ２０２への）アクセスをモバイルデバイスが要求することに応答して、シグナリングリンクまたはシグナリング結合（たとえば、ＬＴＥまたはＷＣＤＭＡのシグナリングリンクまたはシグナリング結合）をモバイルデバイスに割り当て得る。モバイルデバイスは、シグナリングリンクまたはシグナリング結合が割り当てられる前または後にフェムトセルに送信された少なくとも１つのメッセージの中にグローバルな一意のＩＤを含み得る。フェムトセルは、モバイルデバイスに対する測定値（たとえば、ＲＳＳＩおよび／またはＲＴＴ）を作成するためにシグナリングリンクまたはシグナリング結合を使用し得る。その段階において、シグナリングリンクまたはシグナリング結合上のシグナリングは、暗号化され、したがって傍受または詐称から保護され得る。フェムトセルはまた、モバイルデバイスに割り当てられているシグナリングリンクまたはシグナリング結合なしに（たとえば、シグナリングリンクまたはシグナリング結合が割り当てられる前に）測定を実行し得、その場合、測定に使用されるモバイルデバイスによって送信されたすべてのメッセージは、グローバルＰ−ＩＤを搬送し得る。
【００７６】
[00084]特定の例示的な一実装形態では、グローバルＰ−ＩＤは、「プロバイダＩＤ」と「ローカルＩＤ」との以下の
[00085]
【００７７】
【数１】
2017503430.tif 000003
【００７８】
のような連結としてシンボルストリングを備え得る。
【００７９】
[00086]プロバイダＩＤは、グローバルＰ−ＩＤのプロバイダに一意である文字列（たとえば、英数字列）を備え得る。このプロバイダはまた、モバイルデバイスのプロバイダ（たとえば、製造業者）またはモバイルデバイスの構成要素のプロバイダ（たとえば、図３のＰＥ３０２など、モバイルデバイス上の測位エンジンの製造業者またはベンダー）であり得る。ローカルＩＤは、プロバイダＩＤのプロバイダによって割り当てられたかまたは決定された文字列を備え得、このプロバイダによって割り当てられたローカルＩＤの中で一意であり得る。特定の一実装形態では、プロバイダＩＤのプロバイダによって所有または運営される専用サーバは、モバイルデバイスまたはモバイルデバイスの構成要素が、何らかの理由で（たとえば、測位エンジンの場合測位支援データを取得するために）専用サーバとの対話を推進する（instigate）場合、あるいは専用サーバが、モバイルデバイスまたはモバイルデバイス上の構成要素との対話を推進し得る場合、グローバルＰ−ＩＤまたはグローバルＰ−ＩＤのローカルＩＤ部分のみをモバイルデバイスまたはモバイルデバイス上の構成要素（たとえば、ＰＥ３０２など、モバイルデバイス内の測位エンジン）に与え得る。別の実装形態では、グローバルＰ−ＩＤは、製造または生産中にモバイルデバイス内に（たとえば、モバイルデバイスに対する測位エンジン内にまたはモバイルデバイス上の何らかの他の構成要素内に）構成され得、サーバによって与えられる必要はない。
【００８０】
[00087]上記で指摘されたように、グローバルＰ−ＩＤのソースであるモバイルデバイス２０４の構成要素エンティティ（たとえば、ＰＥ３０２）は、たとえば、ＨＬＯＳアプリケーションプログラミングインターフェース（ＡＰＩ）を介して、モデム３０６および１つまたは複数のアプリ３０４など、モバイルデバイス内の他の構成要素にグローバルＰ−ＩＤをローカルに記憶および分配することができる。次いで、モバイルデバイス２０４（またはモバイルデバイス２０４の構成要素）は、ＬＳ２０６およびＬＢＳ  ＡＳ２１２など、外部エンティティにグローバルＰ−ＩＤを分配し得る。一実装形態では、モバイルデバイス２０４内のＰＥ３０２は、ＳＵＰＬ  ＵＬＰメッセージの中でグローバルＰ−ＩＤをＬＳ２０６に与え得る。同様に、ＰＥ３０２またはモデム３０６は、標準ＩＥＥＥ８０２．１１ｘフレームにおいて、または標準ＩＥＥＥ８０２．１１ｘフレームの拡張として、ＩＥＥＥ規格８０２．１１ｘ  ＡＰ（たとえば、ＡＬＮ２０２内のＡＰ）にグローバルＰ−ＩＤを与え得る。ＰＥ３０２またはモデム３０６はまた、たとえば、ＲＲＣメッセージまたはＲＲＣメッセージの拡張を使用して（たとえば、ＡＬＮ２０２内の）フェムトセルトランシーバにグローバルＰ−ＩＤを与えることができ、ここで、ＲＲＣは、フェムトセルがＬＴＥをサポートする場合はＬＴＥ（たとえば、３ＧＰＰ  ＴＳ３６．３３１において定義される）に対するものであり、フェムトセルがＷＣＤＭＡをサポートする場合はＷＣＤＭＡ（たとえば、３ＧＰＰ  ＴＳ２５．３３１において定義される）に対するものであり得る。
【００８１】
[00088]図４Ｃは、たとえば、測位動作における使用のためにモバイルデバイス（たとえば、モバイルデバイス２０４）から送信されたワイヤレス信号から情報を取得するために、（たとえば、ＡＬＮ２０２の一部として統合された）フェムトセルトランシーバにおいて実行されるプロセス４５０の流れ図である。ブロック４５２において、フェムトセルトランシーバは、モバイルデバイスから送信された１つまたは複数のワイヤレス信号を収集し得、任意の事業者定義のグローバルに一意の識別子に無関係にモバイルデバイスにおいて決定されたグローバルに一意の識別子を、１つまたは複数のワイヤレス信号から取得し得る。フェムトセルトランシーバは、さらに、たとえば、共通の手順または共通の結合に属することによって、１つまたは複数のワイヤレス信号の、または１つまたは複数のワイヤレス信号と関連付けられ得るモバイルデバイスによって送信された他の関連ワイヤレス信号の、１つまたは複数の特性の測定値を取得し得る。グローバルに一意の識別子は、ブロック４０２に関して上記で説明されたモバイルデバイスによって決定され得、いくつかの実施形態では、グローバルＰ−ＩＤであり得る。１つまたは複数のワイヤレス信号または１つまたは複数の他の関連ワイヤレス信号の収集から取得された測定された特性は、たとえば、ＲＳＳＩ、ＲＴＴおよび／またはＡＯＡを含み得る。ブロック４５４において、フェムトセルトランシーバは、ロケーションサーバによる測位動作（たとえば、ＮＣ測位動作）における使用のために１つまたは複数の測定値とグローバルに一意の識別子とを備える１つまたは複数のメッセージをロケーションサーバ（たとえば、ＬＳ２０６）に送信し得る。いくつかの実施形態では、フェムトセルトランシーバはまた、フェムトセルトランシーバによってモバイルデバイスに対する測定（たとえば、ＮＣ測位動作に対する測定）を推進することに使用するためにグローバルに一意の識別子を備えるロケーションサーバ（たとえば、ＬＳ２０６）から１つまたは複数のメッセージを受信し得る。
【００８２】
[00089]プロセス４５０のいくつかの実施形態では、フェムトセルは、ＵＭＴＳをサポートするように構成されたＨＮＢを備え得、図６に関して後で示されるように、ロケーションサーバに送信された（および／またはロケーションサーバから受信された）１つまたは複数のメッセージは、測位演算アプリケーションパート（ＰＣＡＰ）メッセージを備え得る。プロセス４５０の他の実施形態では、フェムトセルは、ＬＴＥをサポートするように構成されたＨｅＮＢを備え得、図５に関して後で示されるように、ロケーションサーバに送信された（および／またはロケーションサーバから受信された）１つまたは複数のメッセージは、ＬＴＥ測位プロトコルＡ（ＬＰＰａ）メッセージを備え得る。
【００８３】
[00090]特定の実装形態では、フェムトセルが、図２および図３に関して前に説明されたアーキテクチャ内に含まれる場合（たとえば、図２および／または図３のＡＬＮ２０２が１つまたは複数のフェムトセルを含む場合）、インターフェースｉ／ｆ  １上のＡＬＮ２０２とＬＳ２０６との間に対話は、（たとえば、ＡＬＮ２０２がＷｉＦｉおよび／またはＢＴ  ＡＰを備えるが、フェムトセルを備えない場合）インターフェースｉ／ｆ  １に対して前に説明されたものと同様または同じであることが望ましい。たとえば、ＡＬＮのカバレージエリア内のモバイルデバイスから測定値を検出および取得するように、および／またはブロードキャストもしくはユニキャストを介してモバイルデバイス２０４に測位支援データを与えるようにＡＬＮ２０２内のフェムトセルを構成するために、インターフェースｉ／ｆ  １がＬＳ２０６からＡＬＮ２０２にメッセージを転送し得ることが望ましい。加えて、インターフェースｉ／ｆ  １は、（ｉ）モバイルデバイス２０４によって送信された信号の、ＡＬＮ２０２内の１つまたは複数のフェムトセルによって取得された測定値、および／または（ｉｉ）ＡＬＮ２０２内のフェムトセルによって送信された信号の、モバイルデバイス２０４によって取得され、モバイルデバイス２０４によってＡＬＮ２０２内の１つまたは複数のフェムトセルに転送された測定値を搬送するメッセージを、ＡＬＮ２０２からＬＳ２０６に転送し得ることが望ましい。インターフェースｉ／ｆ  １上のこれらのメッセージの転送は、ＬＳ２０６が、ベニューなど、一定のエリア内のモバイルデバイス２０４のロケーションを計算すること、またはモバイルデバイス２０４のロケーションまたは存在に関連するパラメータを取得することを可能にし得る。加えて、および前に説明されたように、ＬＳ２０６とＡＬＮ２０２内のフェムトセルとの間でインターフェースｉ／ｆ  １上で転送されたメッセージは、ＡＬＮコントローラまたはルータなどの中間エンティティを介して転送され得る。インターフェースｉ／ｆ  １上のフェムトセルまたは中間ＡＬＮエンティティとロケーションサーバとの間のこのタイプの通信は、３ＧＰＰおよび３ＧＰＰ２によって定義されるような既存の制御プレーンロケーション解によってサポートされず、ＯＭＡ  ＳＵＰＬ解など、ユーザプレーンロケーション解によってサポートされない。これらの解決策の各々の主要な制約は、モバイルデバイスが未だフェムトセルが属するネットワークに接続されていない場合、モバイルデバイスを位置特定すること（たとえば、モバイルデバイスによって送信された信号を測定すること、またはフェムトセルまたは他の近傍のフェムトセルによって送信された信号の、モバイルデバイスによって作成された測定値を受信すること）をフェムトセルが支援できないことである。一実装形態では、この制約を克服するために、いかなるフェムトセルとの結合も持たず、フェムトセルが属するネットワークへの接続も持たないモバイルデバイス２０４に代わってロケーション関連パラメータを転送するために、インターフェースｉ／ｆ  １は、今説明されたように、ＡＬＮ２０２内のフェムトセルまたは中間エンティティとロケーションサーバとの間の対話をサポートするように構成され得る。インターフェースｉ／ｆ  １上のこのタイプの対話は、本明細書では「非関連対話」と呼ばれる。加えて、モバイルデバイスｔｈａｔが、フェムトセルとの結合を有し、フェムトセルが属するネットワークと接続されている場合、インターフェース１は、代わりに支援対話を必要とする場合があり、それは、本明細書では「関連対話」と呼ばれる。
【００８４】
[00091]図５は、一実施形態による、ローカルネットワーク環境におけるロケーションサーバを有するフェムトセルの統合を備えるシステム５００の概略図である。システム５００は、図２および図３に関して前に説明されたアーキテクチャのサブセットを備え得、今説明されたように、インターフェースｉ／ｆ  １が、ＬＳ２０６とＡＬＮ２０４内のフェムトセルとの間の非関連対話をサポートすることを可能にし得る。この特定の実装形態では、フェムトセルトランシーバ５２４は、ＬＴＥに従ってモバイルデバイス５０４に通信サービスを提供するためのＨｅＮＢとして構成され得る。図５は、フェムトセルトランシーバ５２４を、ＬＴＥ実装形態に従うＨｅＮＢとして示しているが、これは、単なる例示的なフェムトセルトランシーバであり、異なるキャリアプロトコルに従う他のフェムトセルトランシーバが、請求される主題から逸脱することなく使用され得ることを理解されたい。たとえば、任意の小さい、低電力の基地局でも十分である。図５は、フェムトセルトランシーバ５２４および１つまたは複数のロケーションサーバ（ＬＳ）５０６、５０８および５１０による、モバイルデバイス（ＭＤ）５０４に対するロケーションサポートを示す。フェムトセルトランシーバ５２４と１つまたは複数のＬＳ５０６、５０８および５１０との間の通信は、ローカルルータ５２２、ならびに場合によっては、ネットワーク５２０、ＨｅＮＢゲートウェイ（ＧＷ）５１４、サービングゲートウェイ（Ｓ−ＧＷ）５１８、パケットデータネットワークゲートウェイ（ＰＤＧ）５１６、およびモビリティ管理エンティティ（ＭＭＥ）５１２など、他のエンティティを介するものであり得る。ネットワーク５２０は、モバイルデバイス５０４に対するロケーションおよび／または通信サービスのプロバイダに対するイントラネットを備え得、ならびに／あるいはＩＳＰ（たとえば、ＤＳＬまたはパケットケーブルアクセスを提供するＩＳＰ）を備え得、ならびに／あるいはインターネットを備え得る。ＨｅＮＢ  ＧＷ５１４は、（たとえば、３ＧＰＰ  ＴＳ３６．３００において定義される）ＨｅＮＢとして機能するときフェムトセルトランシーバ５２４に対するセキュリティおよび／またはアクセスゲートウェイを備え得、フェムトセルトランシーバ５２４と、ＭＭＥ５１２、ＬＳ５０８および／またはＬＳ５１０などの他のエンティティとの間のデータおよびシグナリングのトランスポートを可能にし得る。Ｓ−ＧＷ５１８およびＰＤＧ  ５１６は、外部データおよび音声のモバイルデバイス５０４へのアクセスを提供し得、モバイルデバイス５０４とＬＳ５０８および／または図５に示されていない他のエンティティ（たとえば、他のモバイルデバイス）との間の、ＩＰに基づくデータトランスポートをサポートし得る。ＰＤＧ５１６は、さらに、モバイルデバイス５０４に対する外部に可視のＩＰアドレスを割り当て、モバイルデバイスに代わってＩＰルーティングを実行することができる。フェムトセルトランシーバ５２４およびローカルルータ５２２は、図２および図３に関して説明されたＡＬＮ２０２に対応し得るＡＬＮ２０２の全部または一部を形成し得る。ロケーションサーバ５０６、５０８および５１０のうちのいずれか１つは、図２および図３のＬＳ２０６に対応し得る。モバイルデバイス５０４は、図２および図３のモバイルデバイス２０４に対応し得る。この対応性により、システム５００は、ロケーションサービスをサポートする観点から、図２に示されるアーキテクチャ２００のサブセットであり得、図３に示されるシステム３００のサブセットであり得る。しかしながら、システム５００は、図２および図３に示されていない追加の要素（たとえば、ローカルルータ５２２）を含み、図２および図３に詳細に示されていないＬＳ２０６に対する異なる実装形態を示す。システム５００は、ＡＬＮ２０２が本明細書でさらに説明されるフェムトセルトランシーバを備える場合、図２のアーキテクチャ２００および図３のシステム３００の代替実装形態に対応し得る。これらの代替実装形態の各々において、グローバルＰ−ＩＤは、本明細書で前に説明されたようにモバイルデバイス５０４に対してサポートされてよく、非関連対話は、フェムトセルトランシーバ５２４とＬＳ５０６および５０８の各々との間でインターフェースｉ／ｆ  １上でサポートされ得る。
【００８５】
[00092]一実装形態では、モバイルデバイス５０４およびフェムトセルトランシーバ５２４は、ローカルルータ５２２を介してモバイルデバイス５０４および／またはフェムトセルトランシーバ５２４と通信し得るＬＳ５０６として構成されたＬＳと通信し得る。この実装形態では、ＬＳ５０６は、（たとえば、ベニュー所有者またはベニュー事業者によって所有および運営される）フェムトセルトランシーバ５２４に対してローカルであるＳＬＰ（たとえば、Ｄ−ＳＬＰ）を備え得、その場合、システム５００は、アーキテクチャ２００に対して前に説明されたモデルＡのサブセットに対応し得る。ここで、フェムトセルトランシーバ５２４は、インターネットプロトコル（ＩＰ）上の送信制御プロトコル（ＴＣＰ）、またはＩＰ（図５に示されず）上のストリーム制御送信プロトコル（ＳＣＴＰ）、または通信の手段としてＩＰを使用し得るいくつかの他のトランスポートプロトコルなどのトランスポートプロトコルを介して、ＬＴＥ測位プロトコルＡ（ＬＰＰａ）メッセージを使用してインターフェースｉ／ｆ  １上でＬＳ５０６と通信し得る。ここで、ＬＰＰａメッセージは、モバイルデバイス５０４に代わってインターフェースｉ／ｆ  １上の関連対話と非関連対話の両方をサポートするために使用され得る。任意のＬＰＰａメッセージが適用され得るモバイルデバイス５０４を示すために、ＬＰＰａメッセージは、グローバルＰ−ＩＤまたはＭＡＣアドレスなど、モバイルデバイスに対する識別子を含み得る。同様に、ＬＳ５０６とモバイルデバイス５０４との間のインターフェースｉ／ｆ  ３上の対話をサポートするために、ＳＵＰＬ  ＵＬＰプロトコルが、ＴＣＰ／ＩＰ上で使用され得る。ここで、フェムトセルトランシーバ５２４は、モバイルデバイス５０４から受信されたＳＵＰＬ  ＵＬＰメッセージをＬＳ５０６への前方ルーティングのためにローカルルータ５２２に転送すること、およびＬＳ５０６から受信されたＳＵＰＬ  ＵＬＰメッセージをローカルルータ５２２を介してモバイルデバイス５０４に転送することによって、モバイルデバイス５０４とＬＳ５０６との間のＳＵＰＬ  ＵＬＰメッセージの転送をサポートし得る。フェムトセルトランシーバ５２４は、別個のＩＰアドレスのモバイルデバイス５０４への結合、および別の別個のＩＰアドレスのＬＳ５０６への（またはローカルルータ５２２がＩＰレベルのメッセージをＬＳ５０６にルーティングするために使用される場合はローカルルータ５２２への）結合を介して、ＩＰレベルのＳＵＰＬ  ＵＬＰメッセージを転送およびルーティングすることができる。これは、モバイルデバイス５０４が、フェムトセルトランシーバ５２４との結合を有し、フェムトセルトランシーバ５２４が属するネットワークに接続されることを要求する場合がある。しかしながら、フェムトセルトランシーバ５２４が、モバイルデバイス５０４の測定値を取得し、これらの測定値をＬＰＰａを使用してＬＳ５０６に送信するだけであり、メッセージをＬＳ５０６からモバイルデバイス５０４に中継しないのであれば、フェムトセルトランシーバ５２４がＩＰアドレスをモバイルデバイス５０４と結合することは不要であり得、その場合、非関連対話が、モバイルデバイス５���４に代わってインターフェースｉ／ｆ  １上でサポートされ得る。
【００８６】
[00093]フェムトセルトランシーバ５２４とＬＳ５０６との間のインターフェースｉ／ｆ  １上のＬＰＰａの実装形態は、モバイルデバイス５０４のＮＣ測位をサポートするためにとりわけＲＴＴ、ＲＳＳＩ、ＡＯＡの測定値など、モバイルデバイス５０４から送信された信号の測定値を、フェムトセルトランシーバ５２４が取得してＬＳ５０６に転送することを可能にし得、フェムトセルトランシーバ５２４または他の近傍のフェムトセルトランシーバの送信タイミングに関するデータ、および／または送信電力、アンテナ利得、ロケーション座標など、フェムトセルトランシーバ５２４についての他のデータを、フェムトセルトランシーバ５２４がＬＳ５０６に与えることを可能にすることによって、（たとえば、ＯＴＤＯＡおよび／またはＥ−ＣＩＤ測定値および支援データが、ＳＵＰＬを使用してインターフェースｉ／ｆ  ３上でＬＳ５０６とモバイルデバイス５０４との間で転送される場合）モバイルデバイス５０４に対してＯＴＤＯＡおよびＥ−ＣＩＤなどのＭＣ測位技法のサポートを助けることができる。ＬＳ５０６と、モバイルデバイス５０４またはフェムトセルトランシーバ５２４のいずれかとの間の通信は、ネットワークまたはＩＳＰを通過する必要はないので、ＬＳ５０６は、現場のベニュー事業者によって都合よく供給／制御され得る。
【００８７】
[00094]別の実装形態では、モバイルデバイス５０４およびフェムトセルトランシーバ５２４は、ローカルルータ５２２およびネットワーク５２０を介して、ならびにインターフェースｉ／ｆ  ３の場合は、ＨｅＮＢ  ＧＷ５１４、Ｓ−ＧＷ５１８およびＰＤＧ５１６を介して、ＬＳ５０８として構成されたＬＳと通信し得る。この実装形態では、ＬＳ５０８は、（たとえば、フェムトセルトランシーバ５２４の公衆ネットワークプロバイダによって所有または運営される）フェムトセルトランシーバ５２４から離れたＳＬＰ（たとえば、Ｄ−ＳＬＰ）を備え得、その場合、システム５００は、アーキテクチャ２００に対して前に説明されたモデルＡ、Ｂ、Ｃ、ＤまたはＥのサブセットに対応し得る。ここで、ＨｅＮＢ  ＧＷ５１４、Ｓ−ＧＷ５１８およびＰＤＧ５１６は、フェムトセルトランシーバ５２４を所有する公衆ネットワーク事業者によって所有および運営され得る。ＬＳ５０６に対して前に説明された実装形態と同様に、フェムトセルトランシーバ５２４は、ＴＣＰ／ＩＰもしくはＳＣＴＰ／ＩＰ（図５に示されず）、または通信の手段としてＩＰを使用し得るいくつかの他のトランスポートプロトコルを介して、ＬＴＥ測位プロトコルＡ（ＬＰＰａ）メッセージを使用してインターフェースｉ／ｆ  １上でＬＳ５０８と通信し得る。ここで、ＬＰＰａメッセージは、モバイルデバイス５０４に代わってインターフェースｉ／ｆ  １上で関連対話と非関連対話の両方をサポートするために使用され得、グローバルＰ−ＩＤまたはＭＡＣアドレスなど、モバイルデバイスに対する識別子を含むことによって、任意のＬＰＰａメッセージが適用され得るモバイルデバイス５０４を示し得る。同様に、ＬＳ５０８とモバイルデバイス５０４との間のインターフェースｉ／ｆ  ３上の対話をサポートするために、ＳＵＰＬ  ＵＬＰプロトコルが、ＴＣＰ／ＩＰ上で使用され得る。ＬＳ５０６に関連する実装形態とは異なり、ＬＳ５０８に関連する実装形態では、モバイルデバイス５０４は、既存のＬＴＥ能力を使用してＬＳ５０８にアクセスするためにＰＤＧ５１６からＩＰ接続を取得し得、フェムトセル５２４は、モバイルデバイス５０４に対するＩＰアドレスを使用してＳＵＰＬ  ＵＬＰメッセージをルーティングする必要はない。インターフェースｉ／ｆ  ３のこのサポート（必ずしもインターフェースｉ／ｆ  １のサポートではないが）は、同様に、モバイルデバイス５０４のフェムトセル５２４との結合によって、および／またはフェムトセル５２５が属するネットワークへのモバイルデバイス５０４の接続によって可能にされ得る。フェムトセルトランシーバ５２４とＬＳ５０８との間のインターフェースｉ／ｆ  １上のＬＰＰａの実装形態は、モバイルデバイス５０４のＮＣ測位をサポートするためにとりわけＲＴＴ、ＲＳＳＩ、ＡＯＡの測定値など、モバイルデバイス５０４から送信された信号の測定値を、フェムトセルトランシーバ５２４が取得してＬＳ５０８に転送することを同様に可能にし得、フェムトセルトランシーバ５２４または他の近傍のフェムトセルトランシーバの送信タイミングに関するデータ、および／または送信電力、アンテナ利得、ロケーション座標など、フェムトセルトランシーバ５２４について���他のデータを、フェムトセルトランシーバ５２４がＬＳ５０８に与えることを可能にすることによって、（たとえば、ＯＴＤＯＡおよび／またはＥ−ＣＩＤ測定値および支援データが、ＳＵＰＬを使用してインターフェースｉ／ｆ  ３上でＬＳ５０８とモバイルデバイス５０４との間で転送される場合）モバイルデバイス５０４に対してＯＴＤＯＡおよびＥ−ＣＩＤなどのＭＣ測位技法を可能にし得る。
【００８８】
[00095]さらなる実装形態では、モバイルデバイス５０４およびフェムトセルトランシーバ５２４は、ＭＭＥ５１２、ＨｅＮＢ  ＧＷ５１４、ネットワーク５２０およびローカルルータ５２２を介してモバイルデバイス５０４および／またはフェムトセルトランシーバ５２４と通信し得るＬＳ５１０として構成されたＬＳと通信し得る。この実装形態では、ＬＳ５１０は、（たとえば、フェムトセルトランシーバ５２４の公衆ネットワークプロバイダによって所有または運営される）フェムトセルトランシーバ５２４から離れたＥ−ＳＭＬＣを備え得、その場合、システム５００は、アーキテクチャ２００に対して前に説明されたモデルＢ、Ｃ、ＤまたはＥのサブセットに対応し得る。ここで、ネットワーク５２０は、ＤＳＬまたはパケットケーブルネットワーク、および場合によってはインターネットを含み得る。ＨｅＮＢ  ＧＷ５１４およびＭＭＥ５１２は、フェムトセルトランシーバ５２４を所有する公衆ネットワーク事業者によって所有および運営され得、ＨｅＮＢを使用してＬＴＥアクセスをサポートするための３ＧＰＰによって定義される、たとえば３ＧＰＰ  ＴＳ３６．３００およびＴＳ２３．４０１で定義される同じ名前のエンティティに対応し得る。さらに、モバイルデバイス５０４は、モバイルデバイス５０４に対するサービングＨｅＮＢであるフェムトセルトランシーバ５２４およびサービングＭＭＥであるＭＭＥ５１２とともにＬＴＥネットワークに接続され得る。この実装形態では、ＬＳ５１０とフェムトセルトランシーバ５２４との間のインターフェースｉ／ｆ  １は、３ＧＰＰ  ＴＳ２３．２７１およびＴＳ３６．３０５におけるＬＴＥに対する３ＧＰＰによって定義される制御プレーンロケーション解に従ってＬＰＰａを使用してサポートされ得、モバイルデバイス５０４とＬＳ５１０との間のインターフェースｉ／ｆ  ３は、３ＧＰＰ  ＴＳ２３．２７１およびＴＳ３６．３０５におけるＬＴＥに対する３ＧＰＰによって定義される制御プレーンロケーション解に従ってＬＰＰおよび／またはＬＰＰ／ＬＰＰｅを使用してサポートされ得る。この実装形態では、インターフェースｉ／ｆ  １およびｉ／ｆ  ３は、ＬＴＥに対する３ＧＰＰ制御プレーンロケーション解に対する既存のインターフェースに対応し得る。しかしながら、一実施形態では、ＬＳ５１０は、（たとえば、同じ物理ＬＳ内で）ＬＳ５０８とリンクされ得るか、またはＬＳ５０８と組み合わされ得る。この実施形態では、ＬＳ５１０（または組み合わされたＬＳ５０８と５１０のＬＳ５１０構成要素）は、今説明されたように、ＬＴＥに対する３ＧＰＰ制御プレーンロケーション解に従ってＬＰＰａを使用してフェムトセルトランシーバへのインターフェースｉ／ｆ  １をサポートし得、一方、ＬＳ５０８（または組み合わされたＬＳ５０８と５１０のＬＳ５０８構成要素）は、前に説明されたように、ＴＣＰ／ＩＰ上のＯＭＡ  ＳＵＰＬ  ＵＬＰプロトコルを使用してフェムトセルトランシーバへのインターフェースｉ／ｆ  ３をサポートし得る。インターフェースｉ／ｆ  １は、ＬＴＥに対する既存の３ＧＰＰ制御プレーンロケーション解に従ってサポートされ得、一方でインターフェースｉ／ｆ  ３は、既存のＯＭＡ  ＳＵＰＬ解に従ってサポートされ得、そのことが、これらの解決策に対して未だ定義されていない新しい影響を追加することを回避し得るので、この実施形態ｍａｙ  ｔｏの利点は、組み合わされたＬＳ５０８と５１０への、およびフェムトセルトランシーバ５２４への影響を低減する。
【００８９】
[00096]図６は、一実施形態による、ローカルネットワーク環境におけるロケーションサーバを有するフェムトセルの統合を備えるシステム６００の概略図である。この特定の実装形態では、フェムトセルトランシーバ６２４はＨＮＢを備え得、ＵＭＴＳに従って（たとえば、ＷＣＤＭＡを使用して）モバイルデバイス６０４にサービスを提供するように構成され得る。図６は、フェムトセルトランシーバ６２４を、ＵＭＴＳ実装形態に従うＨＮＢとして示しているが、これは、単なる例示的なフェムトセルトランシーバであり、異なるキャリアプロトコルに従う他のフェムトセルトランシーバが、請求される主題から逸脱することなく使用され得ることを理解されたい。たとえば、任意の小さい、低電力の基地局でも十分である。システム５００は、ＬＴＥアクセスを有するモバイルデバイスに対してロケーションサービスをサポートし得るが、システム６００は、ＵＭＴＳアクセスを有するモバイルデバイスに対してロケーションサービスをサポートし得るという点を除いて、システム６００は、前に説明されたシステム５００と同様であり得る。
【００９０】
[00097]システム６００は、図２および図３に関して前に説明されたアーキテクチャのサブセットを備え得、前に説明されたように、インターフェースｉ／ｆ  １が、ＬＳ２０６とＡＬＮ２０４内のフェムトセルとの間の非関連対話をサポートすることを可能にし得る。図６は、フェムトセルトランシーバ６２４および１つまたは複数のロケーションサーバ（ＬＳ）６０６、６０８および６１０による、モバイルデバイス（ＭＤ）６０４に対するロケーションサポートを示す。フェムトセルトランシーバ６２４と１つまたは複数のＬＳ６０６、６０８および６１０との間の通信は、ローカルルータ６２２、ならびに場合によっては、ネットワーク６２０、ＨＮＢゲートウェイ（ＧＷ）６１４、サービング汎用パケット無線サービス（ＧＰＲＳ：Serving General Packet Radio Service）支援ノード（ＳＧＮＳ）６１８、およびゲートウェイＧＰＲＳ支援ノード（ＧＧＳＮ）６１６など、他のエンティティを介するものであり得る。ネットワーク６２０は、システム５００のネットワーク５２０に対応し得、モバイルデバイス６０４に対するロケーションおよび／または通信サービスのプロバイダに対するイントラネットを備え得、ならびに／あるいはＩＳＰ（たとえば、ＤＳＬまたはパケットケーブルアクセスを提供するＩＳＰ）を備え得、ならびに／あるいはインターネットを備え得る。ＨＮＢ  ＧＷ６１４は、（たとえば、３ＧＰＰ  ＴＳ２５．４６７において定義される）ＨＮＢとして機能しながらフェムトセルトランシーバ６２４に対するセキュリティおよび／またはアクセスゲートウェイを備え得、フェムトセルトランシーバ６２４と、ＳＧＳＮ６１８、ＬＳ６０８および／またはＬＳ６１０など、他のエンティティとの間のデータおよびシグナリングトランスポートを可能にし得る。ＳＧＳＮ６１８およびＧＧＳＮ６１６は、外部データおよび音声のモバイルデバイス６０４へのアクセスを提供し得、モバイルデバイス６０４とＬＳ６０８および／または図６に示されていない他のエンティティ（たとえば、他のモバイルデバイス）との間のＩＰに基づいてデータトランスポートをサポートし得る。ＧＧＳＮ６１６は、さらに、モバイルデバイス６０４に対する外部に可視のＩＰアドレスを割り当て、モバイルデバイス６０４に代わってＩＰルーティングを実行することができる。フェムトセルトランシーバ６２４およびローカルルータ６２２は、図２、図３および／または図５に関して説明されたＡＬＮ２０２に対応し得るＡＬＮ２０２の全部または一部を形成し得る。ロケーションサーバ６０６、６０８および６１０のうちのいずれか１つは、図２および図３のＬＳ２０６に対応し得る。さらに、たとえば、ＬＴＥアクセスとＵＭＴＳアクセスの両方をサポートするフェムトセルトランシーバを含むＡＬＮ２０２を使用してモバイルデバイスのロケーションをサポートするロケーションサービスプロバイダの場合、ロケーションサーバ６０６、６０８および６１０は、図５のロケーションサーバ５０６、５０８および５１０にそれぞれ対応し得る。モバイルデバイス６０４は、（たとえば、ＬＴＥアクセスとＵＭＴＳアクセスの両方をサポートするモバイルデバイスの場合）図２および図３のモバイルデバイス２０４に、および／また��図５のモバイルデバイス５０４に対応し得る。この対応性により、システム６００は、ロケーションサービスをサポートする観点から、図２に示されるアーキテクチャ２００のサブセットと図３に示されるシステム３００のサブセットとを備え得る。さらにシステム６００は、同じく図５に示されるシステム５００を含む、より大きいシステム（図６に示されず）の一部であり得る。システム６００は、ＡＬＮ２０２が本明細書でさらに説明されるフェムトセルトランシーバを備える場合、図２のアーキテクチャ２００および図３のシステム３００の代替実装形態に対応し得る。これらの代替実装形態の各々において、グローバルＰ−ＩＤは、本明細書で前に説明されたようにモバイルデバイス６０４に対してサポートされてよく、非関連対話は、フェムトセルトランシーバ６２４とＬＳ６０６および６０８の各々との間でインターフェースｉ／ｆ  １上でサポートされ得る。
【００９１】
[00098]一実装形態では、モバイルデバイス６０４およびフェムトセルトランシーバ６２４は、ローカルルータ６２２を介してモバイルデバイス６０４および／またはフェムトセルトランシーバ６２４と通信し得るＬＳ６０６として構成されたＬＳと通信し得る。この実装形態では、ＬＳ６０６は、（たとえば、ベニューのプロバイダまたは事業者によって所有または運営される）フェムトセルトランシーバ６２４に対してローカルであるＳＬＰ（たとえば、Ｄ−ＳＬＰ）を備え得、その場合、システム６００は、アーキテクチャ２００に対して前に説明されたモデルＡのサブセットに対応し得る。ここで、フェムトセルトランシーバ６２４は、ＩＰ上の送信制御プロトコル（ＴＣＰ）、またはＩＰ上のストリーム制御送信プロトコル（ＳＣＴＰ）（図６に示されず）、または通信の手段としてＩＰを使用し得るいくつかの他のトランスポートプロトコルなどのトランスポートプロトコルを介する測位演算アプリケーションパート（ＰＣＡＰ）メッセージを使用してインターフェースｉ／ｆ  １上でＬＳ６０６と通信し得る。ここで、ＰＣＡＰは、３ＧＰＰ  ＴＳ２５．４５３において定義されるものであってよく、モバイルデバイス６０４に代わってインターフェースｉ／ｆ  １上の関連対話と非関連対話の両方をサポートするために使用され得る。任意のＰＣＡＰメッセージが適用され得るモバイルデバイス６０４を示すために、ＰＣＡＰメッセージは、グローバルＰ−ＩＤまたはＭＡＣアドレスなど、モバイルデバイスに対する識別子を含み得る。同様に、ＬＳ６０６とモバイルデバイス６０４との間のインターフェースｉ／ｆ  ３上の対話をサポートするために、ＳＵＰＬ  ＵＬＰプロトコルが、ＴＣＰ／ＩＰ上で使用され得る。ここで、フェムトセルトランシーバ６０４は、モバイルデバイス６０４から受信されたＳＵＰＬ  ＵＬＰメッセージをＬＳ６０６への前方ルーティングのためにローカルルータ６２２に転送すること、およびＬＳ６０６から受信されたＳＵＰＬ  ＵＬＰメッセージをローカルルータ６２２を介してモバイルデバイス６０４に転送することによって、モバイルデバイス６０４とＬＳ６０６との間のＳＵＰＬ  ＵＬＰメッセージの転送をサポートし得る。フェムトセルトランシーバ６２４は、別個のＩＰアドレスのモバイルデバイス６０４への結合、および別のＩＰアドレスのＬＳ６０６への結合を介して、ＩＰレベルにおいてＳＵＰＬ  ＵＬＰメッセージを転送およびルーティングすることができる。これは、モバイルデバイス６０４のフェムトセルトランシーバ６２４との結合によって、および／またはフェムトセルトランシーバ６２４が属するネットワークへのモバイルデバイス６０４の接続によって可能にされ得る。しかしながら、フェムトセルトランシーバ６２４が、モバイルデバイス６０４の測定値を取得し、これらの測定値をＰＣＡＰを使用してＬＳ６０６に送信するだけであり、メッセージをＬＳ６０６からモバイルデバイス６０４に中継しないのであれば、フェムトセルトランシーバ６２４がＩＰアドレスをモバイルデバイス６０４と結合することは不要であり得、その場合、非関連対話が、モバイルデバイス６０４に代わってインターフェースｉ／ｆ  １上でサポートされ得る。
【００９２】
[00099]フェムトセルトランシーバ６２４とＬＳ６０６との間のインターフェースｉ／ｆ  １上のＬＰＰａの実装形態は、モバイルデバイス６０４のＮＣ測位をサポートするためにとりわけＲＴＴ、ＲＳＳＩ、ＡＯＡの測定値など、モバイルデバイス６０４から送信された信号の測定値を、フェムトセルトランシーバ６２４が取得してＬＳ６０６に転送することを可能にし得、フェムトセルトランシーバ６２４または他の近傍のフェムトセルトランシーバの送信タイミングに関するデータ、および／または送信電力、アンテナ利得、ロケーション座標など、フェムトセルトランシーバ６２４についての他のデータを、フェムトセルトランシーバ６２４がＬＳ６０６に与えることを可能にすることによって、（たとえば、ＯＴＤＯＡおよび／またはＥ−ＣＩＤ測定値および支援データが、ＳＵＰＬを使用してインターフェースｉ／ｆ  ３上でＬＳ６０６とモバイルデバイス６０４との間で転送される場合）モバイルデバイス６０４に対してＯＴＤＯＡおよびＥ−ＣＩＤなどのＭＣ測位技法のサポートを助けることができる。ＬＳ６０６と、モバイルデバイス６０４またはフェムトセルトランシーバ６２４のいずれかとの間の通信は、ネットワークまたはＩＳＰを通過する必要はないので、ＬＳ６０６は、現場のベニュー事業者によって都合よく供給／制御され得る。
【００９３】
[000100]別の実装形態では、モバイルデバイス６０４およびフェムトセルトランシーバ６２４は、ローカルルータ６２２およびネットワーク６２０を介して、ならびにインターフェースｉ／ｆ  ３の場合は、ＨＮＢ  ＧＷ６１４、ＳＧＳＮ６１８およびＧＧＳＮ６１６を介して、ＬＳ６０８として構成されたＬＳと通信し得る。この実装形態では、ＬＳ６０８は、（たとえば、フェムトセルトランシーバ６２４の公衆ネットワークプロバイダによって所有または運営される）フェムトセルトランシーバ６２４から離れたＳＬＰ（たとえば、Ｄ−ＳＬＰ）を備え得、その場合、システム６００は、アーキテクチャ２００に対して前に説明されたモデルＡ、Ｂ、Ｃ、ＤまたはＥのサブセットに対応し得る。ここで、ＨＮＢ  ＧＷ６１４、ＳＧＳＮ６１８およびＧＧＳＮ６１６は、フェムトセルトランシーバ６２４を所有する公衆ネットワーク事業者によって所有および運営され得る。ＬＳ６０６に対して前に説明された実装形態と同様に、フェムトセルトランシーバ６２４は、ＴＣＰ／ＩＰもしくはＳＣＴＰ／ＩＰ（図６に示されず）、または通信の手段としてＩＰを使用し得るいくつかの他のトランスポートプロトコルを介してトランスポートされたＰＣＡＰメッセージを使用してインターフェースｉ／ｆ  １上でＬＳ６０８と通信し得る。ここで、ＰＣＡＰメッセージは、モバイルデバイス６０４に代わってインターフェースｉ／ｆ  １上で関連対話と非関連対話の両方をサポートするために使用され得、グローバルＰ−ＩＤまたはＭＡＣアドレスなど、モバイルデバイスに対する識別子を含むことによって、任意のＰＣＡＰメッセージが適用され得るモバイルデバイス６０４を示し得る。同様に、ＬＳ６０８とモバイルデバイス５０４との間のインターフェースｉ／ｆ  ３上の対話をサポートするために、ＳＵＰＬ  ＵＬＰプロトコルが、ＴＣＰ／ＩＰ上で使用され得る。ＬＳ６０６に関連する実装形態とは異なり、ＬＳ６０８に関連する実装形態では、モバイルデバイス６０４は、既存のＧＰＲＳ能力を使用してＬＳ６０８にアクセスするためにＧＧＳＮ６１６を介してＩＰ接続を取得し得、フェムトセル６２４は、モバイルデバイス６０４に対するＩＰアドレスを使用してＳＵＰＬ  ＵＬＰメッセージをルーティングする必要はない。インターフェースｉ／ｆ  ３のこのサポート（必ずしもインターフェースｉ／ｆ  １のサポートではないが）はまた、モバイルデバイス６０４のフェムトセル６２４との結合によって、および／またはフェムトセル６２４が属するネットワークへのモバイルデバイス６０４の接続によって可能にされ得る。フェムトセルトランシーバ６２４とＬＳ６０８との間のインターフェースｉ／ｆ  １上のＰＣＡＰの実装形態は、モバイルデバイス６０４のＮＣ測位をサポートするためにとりわけＲＴＴ、ＲＳＳＩ、ＡＯＡの測定値など、モバイルデバイス６０４から送信された信号の測定値を、フェムトセルトランシーバ６２４が取得してＬＳ６０８に転送することを同様に可能にし得、フェムトセルトランシーバ６２４または他の近傍のフェムトセルトランシーバの送信タイミングに関するデータ、および／または送信電力、アンテナ利得、ロケーション座標など、フェムトセルトランシーバ６２４についての他のデータを、フェムトセルトランシーバ６２４がＬＳ６０８に与えることを可能にすることによって、（たとえば、ＯＴＤＯＡおよび／またはＥ−ＣＩＤ測定値および支援データが、ＳＵＰＬを使用してインターフェースｉ／ｆ  ３上でＬＳ６０８とモバイルデバイス６０４との間で転送される場合）モバイルデバイス６０４に対してＯＴＤＯＡおよびＥ−ＣＩＤなどのＭＣ測位技法のサポートを助けることができる。
【００９４】
[000101]さらなる実装形態では、モバイルデバイス６０４およびフェムトセルトランシーバ６２４は、ローカルルータ６２２、ネットワーク６２０およびＨＮＢＧＷ６１４を介してＬＳ６１０として構成されたＬＳと通信し得る。この実装形態では、ＬＳ６１０は、（たとえば、フェムトセルトランシーバ６２４の公衆ネットワークプロバイダによって所有または運営される）フェムトセルトランシーバ６２４から離れたＳＡＳを備え得、その場合、システム６００は、アーキテクチャ２００に対して前に説明されたモデルＢ、Ｃ、ＤまたはＥのサブセットに対応し得る。ここで、ＨＮＢ  ＧＷ６１４は、フェムトセルトランシーバ６２４を所有する公衆ネットワーク事業者によって所有および運営され得る。さらに、モバイルデバイス６０４は、モバイルデバイス６０４に対するサービングＨＮＢであるフェムトセルトランシーバ６２４とともにＵＭＴＳネットワークに接続され得る。この実装形態では、ＬＳ６１０とフェムトセルトランシーバ６２４との間のインターフェースｉ／ｆ  １は、３ＧＰＰ  ＴＳ２３．２７１およびＴＳ２５．３０５においてＵＭＴＳに対する３ＧＰＰによって定義される制御プレーンロケーション解に従ってＰＣＡＰを使用してサポートされ得る。モバイルデバイス６０４とＬＳ６１０との間のインターフェースｉ／ｆ  ３は、（たとえば、モバイルデバイス６０４とＬＳ６１０との間の共通の測位プロトコルを使用して）直接サポートされないが、３ＧＰＰ  ＴＳ３６．３０５におけるＵＭＴＳに対する３ＧＰＰによって定義される制御プレーンロケーション解に従って、モバイルデバイス６０４とフェムトセルトランシーバ６２４との間のＲＲＣ（図６に示されず）と、フェムトセルトランシーバ６２４とＬＳ６１０との間のインターフェースｉ／ｆ  １上のＰＣＡＰとの組合せを使用して間接的にサポートされ得る。この実装形態では、インターフェースｉ／ｆ  １およびｉ／ｆ  ３は、ＵＭＴＳに対する３ＧＰＰ制御プレーンロケーション解に対する既存のインターフェースに対応し得る。しかしながら、一実施形態では、ＬＳ６１０は、（たとえば、同じ物理ＬＳ内で）ＬＳ６０８とリンクされ得るか、またはＬＳ６０８と組み合わされ得る。この実施形態では、ＬＳ６１０（または組み合わされたＬＳ６０８と６１０のＬＳ６１０構成要素）は、今説明されたように、ＵＭＴＳに対する３ＧＰＰ制御プレーンロケーション解に従ってＰＣＡＰを使用してフェムトセルトランシーバ６２４へのインターフェースｉ／ｆ  １をサポートし得、一方、ＬＳ６０８（または組み合わされたＬＳ６０８と６１０のＬＳ６０８構成要素）は、前に説明されたように、ＴＣＰ／ＩＰ上のＯＭＡ  ＳＵＰＬ  ＵＬＰプロトコルを使用してフェムトセルトランシーバへのインターフェースｉ／ｆ  ３をサポートし得る。インターフェースｉ／ｆ  １は、ＵＭＴＳに対する既存の３ＧＰＰ制御プレーンロケーション解によればサポートされ得、一方でインターフェースｉ／ｆ  ３は、既存のＯＭＡ  ＳＵＰＬ解に従ってサポートされ得、そのことが、これらの解決策に対して未だ定義されていない新しい影響を追加することを回避し得るので、この実施形態ｍａｙ  ｔｏの利点は、組み合わされたＬＳ６０８と６１０への��およびフェムトセルトランシーバ６２４への影響を低減する。
【００９５】
[000102]図７は、いくつかの実施形態において、図１のモバイルデバイス１００、図２および図３のモバイルデバイス２０４、図５のモバイルデバイス５０４、および／または図６のモバイルデバイス６０４を表すかまたはそれらに対応する場合がある、モバイルデバイス１１００の概略図である。たとえば、モバイルデバイス１００（図１）は、図７に示すモバイルデバイス１１００の１つまたは複数の特徴を備え得る。いくつかの実施形態では、モバイルデバイス１１００は、ワイヤレス通信ネットワーク上でワイヤレスアンテナ１１２２を介してワイヤレス信号１１２３を送信および受信することが可能であるワイヤレストランシーバ１１２１を備え得る。ワイヤレストランシーバ１１２１は、ワイヤレストランシーババスインターフェース１１２０によってバス１１０１に接続され得る。ワイヤレストランシーババスインターフェース１１２０は、いくつかの実施形態では、ワイヤレストランシーバ１１２１に少なくとも部分的に統合され得る。いくつかの実施形態は、たとえば、ほんの数例を挙げると、ＩＥＥＥ規格８０２．１１のバージョン、ＣＤＭＡ２０００、ＷＣＤＭＡ、ＬＴＥ、ＵＭＴＳ、ＧＳＭ、ＡＭＰＳ、Ｚｉｇｂｅｅ（登録商標）およびＢｌｕｅｔｏｏｔｈなどの、対応する複数のワイヤレス通信規格に従って信号を送信および／または受信することを可能にするために、複数のワイヤレストランシーバ１１２１とワイヤレスアンテナ１１２２とを含み得る。いくつかの実施形態では、ワイヤレストランシーバは、モデム３０６を備え得るかまたはその一部であり得る。
【００９６】
[000103]モバイルデバイス１１００は、ＳＰＳアンテナ１１５８を介してＳＰＳ信号１１５９を受信および収集することが可能なＳＰＳ受信機１１５５も備え得る。ＳＰＳ受信機１１５５はまた、モバイルデバイス１１００のロケーションを推定するために、収集されたＳＰＳ信号１１５９を全体的にまたは部分的に処理し得る。いくつかの実施形態では、汎用プロセッサ１１１１、メモリ１１４０、ＤＳＰ１１１２、および／または専用プロセッサ（図示せず）はまた、ＳＰＳ受信機１１５５と併せて、収集されたＳＰＳ信号を全体的にもしくは部分的に処理し、および／またはモバイルデバイス１１００の推定ロケーションを計算するために利用され得る。ＳＰＳまたは測位動作を実行する際に使用するための他の信号（たとえば、ワイヤレストランシーバ１１２１から収集された信号）のストレージは、メモリ１１４０またはレジスタ（図示せず）中で実行され得る。汎用プロセッサ１１１１、メモリ１１４０、ＤＳＰ１１１２および／または専用プロセッサは、モバイルデバイス１１００のロケーションを推定するための測定値の処理に使用するために、測位エンジン（たとえば、ＰＥ３０２）を備えてよく、またはそれに対するサポートを与えてもよい（たとえば、それに代わってロケーション関連測定値を可能にしてもよい）。
【００９７】
[000104]同じく図７に示すように、モバイルデバイス１１００は、（たとえば、バスインタ−フェース１１１０によって）バス１１０１に接続されたデジタル信号プロセッサ（ＤＳＰ）１１１２と、（たとえば、バスインタ−フェース１１１０によって）バス１１０１に接続された汎用プロセッサ１１１１と、メモリ１１４０とを備え得る。バスインタ−フェース（たとえば、バスインターフェース１１１０）は、ＤＳＰ１１１２、汎用プロセッサ１１１１、およびメモリ１１４０と統合され得る。様々な実施形態では、ほんの数例を挙げると、ＲＡＭ、ＲＯＭ、ＦＬＡＳＨ、またはディスクドライブなどの、コンピュータ可読記憶媒体上などに、メモリ１１４０に記憶された１つまたは複数の機械可読命令の実行に応答して、機能が実行され得る。１つまたは複数の命令は、汎用プロセッサ１１１１、専用プロセッサ、またはＤＳＰ１１１２によって実行可能であり得る。１つまたは複数の命令の実行は、図４Ａに示されるプロセス４００など、モバイルデバイスに対して本明細書で説明される機能をサポートし得る。その上、メモリ１１４０に記憶されている機械可読命令は、モデム３０６、ＰＥ３０２および１つまたは複数のアプリ３０４に対するサポートを可能にし得る。メモリ１１４０は、本明細書で説明した機能を実行するためにプロセッサ１１１１および／またはＤＳＰ１１１２によって実行可能なソフトウェアコード（プログラミングコード、命令など）を記憶する、非一時的プロセッサ可読メモリおよび／またはコンピュータ可読メモリを備え得る。
【００９８】
[000105]同じく図７に示すように、ユーザインターフェース１１３５は、ほんの数例を挙げると、たとえば、スピーカー、マイクロフォン、ディスプレイデバイス、振動デバイス、キーボード、タッチスクリーンなどのいくつかのデバイスのうちのいずれか１つを備え得る。特定の実装形態では、ユーザインターフェース１１３５は、ユーザがモバイルデバイス１１００上にホストされた１つまたは複数のアプリケーション（たとえば、アプリ３０４）と対話することを可能にし得る。たとえば、ユーザインターフェース１１３５のデバイスは、ユーザからのアクションに応答して（１つまたは複数の）ＤＳＰ１１１２または汎用プロセッサ１１１１によってさらに処理されるべきアナログ信号またはデジタル信号をメモリ１１４０に記憶し得る。同様に、モバイルデバイス１１００上にホストされたアプリケーションは、出力信号をユーザに提示するために、アナログ信号またはデジタル信号をメモリ１１４０上に記憶し得る。別の実装形態では、モバイルデバイス１１００は、たとえば、専用スピーカー、マイクロフォン、デジタルアナログ回路、アナログデジタル回路、増幅器、および／または利得制御を備える専用オーディオ入出力（Ｉ／Ｏ）デバイス１１７０を随意に含み得る。ただし、これは、オーディオＩ／Ｏがモバイルデバイスにおいてどのように実装され得るかの一例にすぎず、請求する主題はこの点について限定されないことを理解されたい。別の実装形態では、モバイルデバイス１１００は、キーボードまたはタッチスクリーンデバイスへのタッチまたは圧力に応答するタッチセンサ１１６２を備え得る。
【００９９】
[000106]モバイルデバイス１１００は、静止画または動画をキャプチャするための専用カメラデバイス１１６４も備え得る。カメラデバイス１１６４は、たとえば、ほんの数例を挙げると、イメージングセンサ（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ１１１１または（１つまたは複数の）ＤＳＰ１１１２において実行され得る。代替的に、専用ビデオプロセッサ１１６８が、キャプチャされた画像を表す信号の調整、符号化、圧縮、または操作を実行し得る。さらに、ビデオプロセッサ１１６８は、モバイルデバイス１１００上のディスプレイデバイス（図示せず）上での提示のために記憶された画像データを復号／圧縮解除し得る。
【０１００】
[000107]モバイルデバイス１１００はまた、モバイルデバイス１１００がロケーションおよび／または現在の速度ならびに方位の相対的変化を決定することを可能にし得る、たとえば、慣性センサおよび環境センサを含み得る、バス１１０１に結合されたセンサ１１６０を備え得る。センサ１１６０の慣性センサは、（たとえば、１つまたは複数のコンパスアプリケーションをサポートするために）たとえば、（たとえば、３次元のモバイルデバイス１１００の加速度にまとめて応答する）加速度計、１つまたは複数のジャイロスコープあるいは１つまたは複数の磁力計を備え得る。モバイルデバイス１１００の環境センサは、たとえば、ほんの数例を挙げると、温度センサ、気圧センサ、周辺光センサ、カメライメージャ、マイクロフォンを備え得る。センサ１１６０は、メモリ１１４０中に記憶され、たとえば、測位またはナビゲーション動作を対象とするアプリケーションなどの１つまたは複数のアプリケーションをサポートする（１つまたは複数の）ＤＰＳまたは汎用アプリケーションプロセッサ１１１１によって処理され得るアナログまたはデジタル信号を生成し得る。
【０１０１】
[000108]特定の実装形態では、モバイルデバイス１１００は、ワイヤレストランシーバ１１２１またはＳＰＳ受信機１１５５において受信され、ダウンコンバートされた信号のベースバンド処理を実行することが可能な専用モデムプロセッサ１１６６を備え得る。同様に、モデムプロセッサ１１６６は、ワイヤレストランシーバ１１２１による送信のためにアップコンバートされるべき信号のベースバンド処理を実行し得る。いくつかの実施形態では、モデムプロセッサは、モデム３０６を備え得るかまたはその一部であり得る。代替実装形態では、専用モデムプロセッサを有する代わりに、ベースバンド処理が汎用プロセッサまたはＤＳＰ（たとえば、汎用／アプリケーションプロセッサ１１１１またはＤＳＰ１１１２）によって実行され得る。ただし、これらはベースバンド処理を実行し得る構造の例にすぎず、特許請求する主題がこの点について限定されないことを理解されたい。
【０１０２】
[000109]図８は、たとえば、図１に関して上記で説明した技法またはプロセスを実施するように構成可能な１つもしくは複数のデバイスを含み得る例示的なシステム１２００を示す概略図である。システム１２００は、たとえば、ワイヤレス通信ネットワーク１２０８を通して互いに動作可能に結合され得る、第１のデバイス１２０２と、第２のデバイス１２０４と、第３のデバイス１２０６とを含み得る。一態様では、第１のデバイス１２０２は、たとえば、基地局アルマナックなど、測位支援データを与えることが可能なサーバを備え得る。また、一態様では、ワイヤレス通信ネットワーク１２０８は、たとえば、１つまたは複数のワイヤレスアクセスポイントを備え得る。しかしながら、特許請求する主題はこれらの点で範囲が限定されない。
【０１０３】
[000110]図８に示されるように、第１のデバイス１２０２、第２のデバイス１２０４および第３のデバイス１２０６は、（ｉ）図１に示されるフェムトセルトランシーバ１１０および／またはサーバ１４０、１５０または１５５；図２に示されるＬＳ２０６、ＬＢＳ  ＡＳ２１２、ＡＬＮ  ＤＢ２０８、マップＤＢ２１０および／またはＡＬＮ２０２内の１つまたは複数のＡＰまたはフェムトセル；（ｉｉｉ）図３に示されるＬＳ２０６、ＬＢＳ  ＡＳ２１２および／またはＡＬＮ２０２内の１つまたは複数のＡＰまたはフェムトセル；（ｉｖ）図５に示されるフェムトセルトランシーバ５２４、ＨｅＮＢ  ＧＷ５１４、ＬＳ５０６、ＬＳ５０８および／またはＬＳ５１０；ならびに／あるいは（ｖ）図６に示されるフェムトセルトランシーバ６２４、ＨＮＢ  ＧＷ６１４、ＬＳ６０６、ＬＳ６０８および／またはＬＳ６１０など、任意のデバイス、設備または機械を表し得るかまたはそれらに対応し得る。図８のネットワーク１２０８は、図１に示されるネットワーク１３０、図５に示されるネットワーク５２０および／または図６に示されるネットワーク６２０に対応し得る。限定ではなく例として、第１のデバイス１２０２、第２のデバイス１２０４、または第３のデバイス１２０６のいずれも、たとえば、デスクトップコンピュータ、ラップトップコンピュータ、ワークステーション、サーバデバイスなどの、１つまたは複数のコンピューティングデバイスまたはプラットフォーム、たとえば、携帯情報端末、モバイル通信デバイスなどの、１つまたは複数のパーソナルコンピューティングもしくは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなどの、コンピューティングシステムまたは関連するサービスプロバイダ機能、あるいはそれらの任意の組合せを含み得る。第１のデバイス１２０２、第２のデバイス２０４、および第３のデバイス１２０６のいずれも、それぞれ、本明細書で説明する例による基地局アルマナックサーバ、基地局、フェムトセル、またはモバイルデバイスのうちの１つまたは複数を備え得る。
【０１０４】
[000111]同様に、（たとえば、図１に示すネットワーク１３０の実装形態の特定のものにおける）ワイヤレス通信ネットワーク１２０８は、第１のデバイス１２０２、第２のデバイス１２０４、および第３のデバイス１２０６のうちの少なくとも２つの間でのデータの交換をサポートするように構成可能な１つもしくは複数の通信リンク、プロセス、またはリソースを表し得る。限定ではなく例として、ワイヤレス通信ネットワーク１２０８は、ワイヤレスもしくは有線の通信リンク、電話もしくは電気通信システム、データバスもしくはチャネル、光ファイバ、地上もしくはスペースビークルリソース、ローカルエリアネットワーク、ワイドエリアネットワーク、イントラネット、インターネット、ルータもしくはスイッチなど、またはそれらの任意の組合せを含み得る。たとえば、第３のデバイス１２０６の部分的に隠されているものとして示した点線のボックスによって図示されるように、ワイヤレス通信ネットワーク１２０８に動作可能に結合された、同様の追加のデバイスがある場合がある。
【０１０５】
[000112]システム１２００に示す様々なデバイスおよびネットワークのすべてまたは一部分、ならびに本明細書でさらに説明するプロセスおよび方法が、ハードウェア、ファームウェア、ソフトウェア、もしくはその任意の組合せを使用して、またはさもなければ含めて実装され得ることを認識されたい。したがって、限定ではなく例として、第２のデバイス１２０４は、バス１２２８を介してメモリ１２２２に動作可能に結合された少なくとも１つの処理ユニット１２２０を含み得る。
【０１０６】
[000113]処理ユニット１２２０は、データコンピューティング手順またはデータコンピューティングプロセスの少なくとも一部分を実行するように構成可能な１つまたは複数の回路を表す。限定ではなく例として、処理ユニット１２２０は、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【０１０７】
[000114]メモリ１２２２は、任意のデータ記憶メカニズムを表す。たとえば、メモリ１２２２は、１次メモリ１２２４または２次メモリ１２２６を含み得る。たとえば、１次メモリ１２２４は、ランダムアクセスメモリ、読出し専用メモリなどを含み得る。１次メモリ１２２４のすべてまたは一部分は、この例では処理ユニット１２２０とは別個であるものとして示されているが、処理ユニット１２２０内に設けられるか、またはさもなければ処理ユニット１２２０と共設／結合され得ることを理解されたい。
【０１０８】
[000115]特定の実装形態では、屋内エリアのデジタルマップは、メモリ１２２２中に特定のフォーマットで記憶され得る。処理ユニット１２２０は、デジタルマップ中で示された構造の外周によって制限された構成要素エリアを識別および分類するために、記憶されたデジタルマップを処理するための命令を実行し得る。すでに指摘したように、これらの実行される命令は、構成要素エリアを制限する外周を形成する構造中の出口セグメントを識別し、特徴づけることと、制限された構成要素エリアの少なくとも１つの次元のサイズに対する少なくとも１つの識別された出口セグメントのサイズの比例に少なくとも部分的に基づいて制限された構成要素エリアを分類することとを指定し得る。
【０１０９】
[000116]２次メモリ１２２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数のデータストレージデバイスもしくはデータストレージシステムを含み得る。いくつかの実施態様では、２次メモリ１２２６は、コンピュータ可読媒体１２４０を動作可能に受容するか、またはさもなければそれに結合するように構成可能であり得る。コンピュータ可読媒体１２４０は、たとえば、システム１２００内のデバイスのうちの１つまたは複数のためにデータ、コード、または命令を担持するかアクセス可能にすることができる任意の非一時的媒体を含み得る。コンピュータ可読媒体１２４０は、記憶媒体と呼ばれることもある。
【０１１０】
[000117]第２のデバイス１２０４は、たとえば、第２のデバイス１２０４の少なくともワイヤレス通信ネットワーク１２０８への動作可能な結合を提供する、またはさもなければサポートする通信インターフェース１２３０を含み得る。限定ではなく例として、通信インターフェース１２３０は、ネットワークインターフェースデバイスまたはネットワークインターフェースカード、モデム、ルータ、スイッチ、トランシーバなどを含み得る。通信インターフェース１２３０は、（たとえば、数例を挙げると、ＧＳＭ、ＵＭＴＳ、ＬＴＥ、ＣＤＭＡ２０００、ＩＥＥＥ８０２．１１に従う）ワイヤレス通信、および／または（たとえば、ＤＳＬ、パケットケーブル、ＩＰ．ＴＣＰ／ＩＰ、ＳＣＴＰ／ＩＰを介する）ワイヤライン通信とをサポートし得る。
【０１１１】
[000118]第２のデバイス１２０４は、たとえば、入力／出力デバイス１２３２を含み得る。入力／出力デバイス１２３２は、人間の、または機械の入力を受け入れる、またはさもなければ導入するように構成可能であり得る１つもしくは複数のデバイスまたは機能、あるいは、人間の、または機械の出力を搬送、またはさもなければ提供するように構成可能であり得る１つもしくは複数のデバイスまたは機能を表す。限定ではなく例として、入力／出力デバイス１２３２は、動作可能に構成されるディスプレイ、スピーカー、キーボード、マウス、トラックボール、タッチスクリーン、データポートなどを含み得る。
【０１１２】
[000119]本明細書で説明した方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明した機能を実行するように設計された他のデバイスユニット、またはそれらの組合せの中で実装され得る。
【０１１３】
[000120]本明細書に含まれる詳細な説明のいくつかの部分は、特定の装置あるいは専用コンピューティングデバイスまたはプラットフォームのメモリ内に記憶された２値デジタル信号に対する演算のアルゴリズムまたは記号表現に関して提示されている。この特定の明細書のコンテキストでは、特定の装置などの用語は、プログラムソフトウェアからの命令に従って特定の動作を実行するようにプログラムされた汎用コンピュータを含む。アルゴリズムの説明または記号表現は、信号処理または関連技術の当業者が各自の仕事の本質を他の当業者に伝達するために使用する技法の例である。アルゴリズムは、本明細書では、また一般に、所望の結果につながる自己矛盾のない一連の演算または同様の信号処理であると考えられる。このコンテキストでは、演算または処理は物理量の物理的操作を伴う。必ずしもそうとは限らないが、一般に、そのような量は、記憶、転送、結合、比較、またはさもなければ他の方法で操作されることが可能な電気信号もしくは磁気信号の形態をとり得る。主に一般的な用法という理由で、そのような信号をビット、データ、値、要素、記号、文字、項、数、数字などと呼ぶことは時々便利であることがわかっている。ただし、これらまたは同様の用語はすべて、適切な物理量に関連付けられるべきものであり、便利なラベルにすぎないことを理解されたい。特に記載のない限り、本明細書の議論から明らかなように、本明細書全体にわたって、「処理する（ｐｒｏｃｅｓｓｉｎｇ）」、「算出する（ｃｏｍｐｕｔｉｎｇ）」、「計算する（ｃａｌｃｕｌａｔｉｎｇ）」、「決定する（ｄｅｔｅｒｍｉｎｉｎｇ）」、などの用語を利用する議論は、専用コンピュータ、専用コンピューティング装置、もしくは同様の専用電子コンピューティングデバイスなどの、特定の装置の動作またはプロセスを指すことが理解される。したがって、本明細書のコンテキストで、専用コンピュータまたは同様の専用電子コンピューティングデバイスは、専用コンピュータもしくは同様の専用電子コンピューティングデバイスのメモリ、レジスタ、または他の情報記憶デバイス、送信デバイス、あるいはディスプレイデバイス内の電子的または磁気的な物理量として一般に表される信号を操作もしくは変換することが可能である。
【０１１４】
[000121]本明細書で説明したワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「アーキテクチャ」、「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ＣＤＭＡ２０００、広帯域ＣＤＭＡ（「Ｗ−ＣＤＭＡ（登録商標）」（登録商標））などの１つまたは複数の無線アクセス技術（「ＲＡＴ」）を実装し得る。ここで、ＣＤＭＡ２０００は、ＩＳ−９５規格、ＩＳ−２０００規格、およびＩＳ−８５６規格に従って実装される技術を含み得る。ＴＤＭＡネットワークは、グローバルシステムフォーモバイルコミュニケーションズ（ＧＳＭ）、デジタル先進移動電話システム（Ｄ−ＡＭＰＳ）、または何らかの他のＲＡＴを実装することができ得る。ＧＳＭおよびＷＣＤＭＡは、「第３世代パートナーシッププロジェクト」（「３ＧＰＰ」）という名称の組織からの文書に記載されている。ＣＤＭＡ２０００は、「第３世代パートナーシッププロジェクト２」（「３ＧＰＰ２」）という名称のコンソーシアムからの文書に記載されている。３ＧＰＰおよび３ＧＰＰ２文書は公的に入手可能である。ある態様では、４Ｇロングタームエボリューション（「ＬＴＥ」）通信ネットワークもまた、特許請求の範囲に記載された対象に従って実装され得る。ＷＬＡＮはＩＥＥＥ８０２．１１ｘネットワークを備える場合があり、ＷＰＡＮは、たとえば、Ｂｌｕｅｔｏｏｔｈネットワーク、ＩＥＥＥ８０２．１５ｘを備える場合がある。本明細書で説明するワイヤレス通信実装形態はまた、ＷＷＡＮ、ＷＬＡＮまたはＷＰＡＮの任意の組合せとともに使用され得る。
【０１１５】
[000122]別の態様では、前述のように、ワイヤレス送信機またはワイヤレスアクセスポイントは、セルラー電話サービスを会社または家庭に延長するために利用されるフェムトセルを備え得る。そのような実装形態では、１つまたは複数のモバイルデバイスは、たとえば、ＵＭＴＳ（たとえば、ＷＣＤＭＡ）またはＬＴＥを介してフェムトセルと通信し得、フェムトセルは、インターネットなどの別のブロードバンドネットワークを介してより大きいセルラー電気通信ネットワークへのアクセスをモバイルデバイスに与え得る。
【０１１６】
[000123]本明細書で説明した技法は、いくつかのＧＮＳＳ（たとえば、ＧＰＳ、ガリレオ、ＧＬＯＮＡＳＳおよび／またはＢｅｉｄｏｕ）および／またはＧＮＳＳの組合せのうちのいずれか１つを含むＳＰＳとともに使用され得る。さらに、そのような技法は、「スードライト（pseudolite）」として働く地上波送信機、またはＳＶとそのような地上波送信機との組合せを利用する測位システムとともに使用され得る。地上波送信機は、たとえば、ＰＮコードまたは（たとえば、ＧＰＳもしくはＣＤＭＡセルラー信号と同様の）他のレンジングコードをブロードキャストする地上送信機を含み得る。そのような送信機は、遠隔受信機による識別を可能にするように一意のＰＮコードを割り当てられ得る。地上波送信機は、たとえば、トンネルの中、鉱山内、建築物の中、都市ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用する「ＳＶ」という用語は、スードライト、スードライトの均等物、および場合によっては、他のものとして機能する地上波送信機を含むものとする。本明細書で使用する「ＳＰＳ信号」および／または「ＳＶ信号」という用語は、スードライトまたはスードライトの均等物として機能する地上波送信機を含む、地上波送信機からのＳＰＳ様の信号を含むものとする。
【０１１７】
[000124]本明細書で使用する「および」、および「または」という用語は、それが使用されるコンテキストに少なくとも部分的に依存する様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、Ｂ、またはＣを意味するものとする。「一例（ｏｎｅ  ｅｘａｍｐｌｅ）」または「ある例（ａｎ  ｅｌａｍｐｌｅ）」に対する本明細書全体にわたる言及は、その例に関連して説明した特定の特徴、構造、または特性が、特許請求の範囲に記載された対象の少なくとも１つの例に含まれることを意味する。したがって、本明細書全体にわたる様々なロケーションにおけるフレーズ「一例において（ｉｎ  ｏｎｅ  ｅｘａｍｐｌｅ）」または「ある例（ａｎ  ｅｘａｍｐｌｅ）」という語句の出現は、必ずしもすべてが同じ例に言及しているとは限らない。さらに、特定の特徴、構造、または特性は、１つまたは複数の例において組み合わせられ得る。本明細書で説明した例は、デジタル信号を使用して動作する機械、デバイス、エンジン、または装置を含み得る。そのような信号は、電子信号、光学的信号、電磁信号、またはロケーション間で情報を提供するあらゆる形態のエネルギーを備え得る。
【０１１８】
[000125]現在考えられる例示的な特徴を図示および説明したが、特許請求の範囲に記載された対象から逸脱することなしに、様々な他の修正が行われてよく、また均等物の置換が可能であることは当業者によって理解されよう。さらに、本明細書で説明した主要な概念から逸脱することなしに、特定の状況を特許請求の範囲に記載された対象の教示に適応させるために、多くの修正が行われ得る。したがって、特許請求の範囲に記載された対象は、開示した特定の例に限定されないが、そのような特許請求の範囲に記載された対象は、添付の特許請求の範囲に含まれるすべての態様、およびそれらの均等物も含み得ることが意図される。
【図１】
2017503430.tif 000004
【図２】
2017503430.tif 000005
【図３】
2017503430.tif 000006
【図４Ａ】
2017503430.tif 000007
【図４Ｂ】
2017503430.tif 000008
【図４Ｃ】
2017503430.tif 000009
【図５】
2017503430.tif 000010
【図６】
2017503430.tif 000011
【図７】
2017503430.tif 000012
【図８】
2017503430.tif 000013
【国際調査報告】
2017503430.tif 000014
2017503430.tif 000015